(57)【特許請求の範囲】
【請求項１】
測位ビーコンにおいて測位基準信号を提供するための方法であって、
前記測位ビーコンのユーザ機器（ＵＥ）ユニットにおいて、通信ネットワークへのワイヤレスバックホール接続を確立することと、
前記測位ビーコンの前記ＵＥユニットにおいて、前記ワイヤレスバックホール接続を通じて前記通信ネットワークから測位基準信号（ＰＲＳ）のためのスケジューリング情報を受信することと、
有線接続を介して、前記スケジューリング情報を前記ＵＥユニットからホーム進化型Ｎｏｄｅ  Ｂ（ＨｅＮＢ）ユニットに送信することと、
前記測位ビーコンの前記ホーム進化型Ｎｏｄｅ  Ｂ（ＨｅＮＢ）ユニットから、前記スケジューリング情報に従って前記ＰＲＳを送信することと
を備える、方法。
【請求項２】
前記確立することが、前記ＵＥユニットによって、前記通信ネットワーク中のパケットデータネットワークゲートウェイ（ＰＤＧ）への、インターネットプロトコル（ＩＰ）接続性に対するサポートを伴う前記ワイヤレスバックホール接続を確立することを備える、請求項１に記載の方法。
【請求項３】
前記ＰＤＧへの前記ワイヤレスバックホール接続を使用して、前記通信ネットワークにおいてセキュリティゲートウェイ（ＳｅＧＷ）へのセキュアなＩＰ接続を確立することと、
前記ＳｅＧＷからＨｅＮＢ管理システム（ＨｅＭＳ）にアクセスすることと、
前記測位ビーコンを前記ＨｅＭＳに登録することと、
前記測位ビーコンのための第１の情報を前記ＨｅＭＳに送信することと、
前記測位ビーコンのための第２の情報を前記ＨｅＭＳから受信することと
をさらに備える、請求項２に記載の方法。
【請求項４】
前記測位ビーコンのための前記第２の情報が、位置登録エリアコード（ＴＡＣ）、セル識別情報（ＣＩ）、位置、もしくは前記ＰＲＳのための前記スケジューリング情報、またはこれらの組合せを備える、請求項３に記載の方法。
【請求項５】
前記測位ビーコンのための前記第１の情報が、位置もしくは前記ＰＲＳのための前記スケジューリング情報、またはこれらの組合せを備える、請求項３に記載の方法。
【請求項６】
前記ＳｅＧＷへの前記セキュアなＩＰ接続を使用して、ＨｅＮＢゲートウェイ（ＨｅＮＢ  ＧＷ）およびモビリティ管理エンティティ（ＭＭＥ）へのシグナリング接続を確立することと、
前記ＭＭＥまたは前記ＳｅＧＷのいずれかから位置特定サーバにアクセスすることと、
前記位置特定サーバに、および／または前記位置特定サーバから、前記測位ビーコンのための第３の情報を送信および／または受信することと
をさらに備える、請求項３に記載の方法。
【請求項７】
前記位置特定サーバに、および／または前記位置特定サーバから、前記測位ビーコンのための前記第３の情報を前記送信および／または受信することが、３ＧＰＰによって定義されるＬＴＥ測位プロトコルＡ（ＬＰＰａ）に従ってメッセージを送信および／または受信することを備える、請求項６に記載の方法。
【請求項８】
前記位置特定サーバから受信される前記第３の情報が、前記ＰＲＳのための前記スケジューリング情報を備える、請求項６に記載の方法。
【請求項９】
位置特定サーバに送信される前記第３の情報が、位置登録エリアコード（ＴＡＣ）、セル識別情報（ＣＩ）、位置、もしくは前記ＰＲＳのための前記スケジューリング情報、またはこれらの組合せを備える、請求項６に記載の方法。
【請求項１０】
前記位置特定サーバが、３ＧＰＰのためのＬＴＥ制御プレーンの位置特定方法に従って前記ＭＭＥからアクセスされ、前記位置特定サーバが、進化型サービングモバイル位置特定センター（Ｅ−ＳＭＬＣ）を備える、請求項６に記載の方法。
【請求項１１】
前記位置特定サーバが前記ＳｅＧＷからアクセスされ、前記位置特定サーバがホームＳＬＰ（Ｈ−ＳＬＰ）または発見されたＳＬＰ（Ｄ−ＳＬＰ）を備える、請求項６に記載の方法。
【請求項１２】
非位置特定サービスのサポートを妨げる前記ＵＥユニットをさらに備える、請求項１に記載の方法。
【請求項１３】
前記通信ネットワークが、第３世代パートナーシッププロジェクト（３ＧＰＰ）によって定義されるロングタームエボリューション（ＬＴＥ）ワイヤレス技術のためのコアネットワークである、請求項１に記載の方法。
【請求項１４】
前記ＰＲＳが、観測到着時間差（ＯＴＤＯＡ）に従ったユーザ機器（ＵＥ）の位置特定をサポートする、請求項１に記載の方法。
【請求項１５】
前記スケジューリング情報に応答して、ノーマルＰＲＳモードと緊急ＰＲＳモードとを切り替えることをさらに備える、請求項１に記載の方法。
【請求項１６】
前記通信ネットワーク中の位置特定サーバとの通信を行うために前記ワイヤレスバックホール接続を使用することと、
前記位置特定サーバとの前記通信に少なくとも一部基づいて、前記測位ビーコンの位置を決定することと
をさらに備える、請求項１に記載の方法。
【請求項１７】
前記位置特定サーバが改良されたサービングモバイル位置特定センター（Ｅ−ＳＭＬＣ）であり、前記ワイヤレスバックホール接続を使用することが、ロングタームエボリューション（ＬＴＥ）制御プレーンプロトコルに従って前記位置特定サーバと通信することを備える、請求項１６に記載の方法。
【請求項１８】
位置特定サーバがセキュアユーザプレーン位置特定（ＳＵＰＬ）位置特定プラットフォーム（ＳＬＰ）であり、前記ワイヤレスバックホール接続を使用することが、オープンモバイルアライアンス（ＯＭＡ）によって定義されるＳＵＰＬプロトコルに従って、前記位置特定サーバと通信することを備える、請求項１６に記載の方法。
【請求項１９】
前記測位ビーコンが、ロングタームエボリューション（ＬＴＥ）中継ノード（ＲＮ）を備え、
前記ワイヤレスバックホール接続を使用する前記ＲＮによって、前記通信ネットワークのための無線アクセスネットワーク（ＲＡＮ）中のＬＴＥドナーｅＮｏｄｅＢ（ＤｅＮＢ）へのインターネットプロトコル接続を確立することをさらに備える、請求項１に記載の方法。
【請求項２０】
前記ＤｅＮＢから運用および保守（Ｏ＆Ｍ）機能にアクセスすることと、
前記測位ビーコンのための第４の情報を前記ＨｅＭＳに送信することと、
前記測位ビーコンのための第５の情報を前記ＨｅＭＳから受信することと
をさらに備える、請求項１９に記載の方法。
【請求項２１】
前記第５の情報が、位置登録エリアコード（ＴＡＣ）、セル識別情報（ＣＩ）、位置、もしくは前記ＰＲＳのための前記スケジューリング情報、またはこれらの組合せを備える、請求項２０に記載の方法。
【請求項２２】
前記第４の情報が、前記ＤｅＮＢの識別情報、位置、もしくは前記ＰＲＳのための前記スケジューリング情報、またはこれらの組合せを備える、請求項２０に記載の方法。
【請求項２３】
前記ＤｅＮＢから位置特定サーバにアクセスすることと、
前記位置特定サーバに、および／または前記位置特定サーバから、前記測位ビーコンのための第６の情報を送信および／または受信することと
をさらに備える、請求項１９に記載の方法。
【請求項２４】
前記位置特定サーバを用いて、前記測位ビーコンのための前記第６の情報を前記送信および／または受信することが、３ＧＰＰによって定義されるＬＴＥ測位プロトコルＡ（ＬＰＰａ）に従ってメッセージを送信および／または受信することを備える、請求項２３に記載の方法。
【請求項２５】
前記位置特定サーバが、３ＧＰＰのためのＬＴＥ制御プレーンの位置特定方法に従って前記ＤｅＮＢからアクセスされ、前記位置特定サーバが、進化型サービングモバイル位置特定センター（Ｅ−ＳＭＬＣ）を備える、請求項２３に記載の方法。
【請求項２６】
前記位置特定サーバがインターネットプロトコル（ＩＰ）シグナリングを使用して前記ＤｅＮＢからアクセスされ、前記位置特定サーバがホームＳＬＰ（Ｈ−ＳＬＰ）または発見されたＳＬＰ（Ｄ−ＳＬＰ）を備える、請求項２３に記載の方法。
【請求項２７】
測位基準信号（ＰＲＳ）を提供するための測位ビーコンであって、
通信ネットワークへのワイヤレスバックホール接続を確立するための手段と、
前記ワイヤレスバックホール接続を通じて前記通信ネットワークから前記ＰＲＳのためのスケジューリング情報を受信するための手段と、
前記スケジューリング情報に従って前記ＰＲＳを送信するための手段と、
ここにおいて、前記ＰＲＳを送信するための前記手段は、有線接続を介して、スケジューリング情報を受信するための前記手段に通信可能に結合され、前記有線接続を介して、スケジューリング情報を受信するための前記手段から前記スケジューリング情報を受信するように構成される、
ここにおいて、確立するための前記手段がユーザ機器（ＵＥ）ユニットを含み、送信するための前記手段がホームｅＮｏｄｅＢ（ＨｅＮＢ）ユニットを含み、
確立するための前記手段が、前記ＵＥユニットによって、前記通信ネットワーク中のパケットデータネットワークゲートウェイ（ＰＤＧ）への、インターネットプロトコル（ＩＰ）接続性に対するサポートを伴う前記ワイヤレスバックホール接続を確立するためのものであり、
送信するための前記手段が、前記ＨｅＮＢユニットを介して前記ＰＲＳを送信するためのものである、
を備える、測位ビーコン。
【請求項２８】
前記ＰＤＧへの前記ワイヤレスバックホール接続を使用して、前記通信ネットワークにおいて前記ＨｅＮＢユニットからセキュリティゲートウェイ（ＳｅＧＷ）へのセキュアなＩＰ接続を確立するための手段と、
前記ＳｅＧＷからＨｅＮＢ管理システム（ＨｅＭＳ）にアクセスするための手段と、
前記ＨｅＮＢユニットを前記ＨｅＭＳに登録するための手段と、
前記測位ビーコンのための第１の情報を前記ＨｅＭＳに送信するための手段と、
前記測位ビーコンのための第２の情報を前記ＨｅＭＳから受信するための手段と
をさらに備える、請求項２７に記載の測位ビーコン。
【請求項２９】
前記測位ビーコンのための前記第１の情報が、位置もしくは前記ＰＲＳのための前記スケジューリング情報、またはこれらの組合せを備え、前記測位ビーコンのための前記第２の情報が、位置登録エリアコード（ＴＡＣ）、セル識別情報（ＣＩ）、位置、もしくは前記ＰＲＳのための前記スケジューリング情報、またはこれらの組合せを備える、請求項２８に記載の測位ビーコン。
【請求項３０】
前記ＳｅＧＷへの前記セキュアなＩＰ接続を使用して、ＨｅＮＢゲートウェイ（ＨｅＮＢ  ＧＷ）およびモビリティ管理エンティティ（ＭＭＥ）へのシグナリング接続を確立するための手段と、
前記ＭＭＥまたは前記ＳｅＧＷのいずれかから位置特定サーバにアクセスするための手段と、
前記位置特定サーバから前記測位ビーコンのための第３の情報を受信するための手段と、
前記測位ビーコンのための第４の情報を前記位置特定サーバに送信するための手段と
をさらに備える、請求項２８に記載の測位ビーコン。
【請求項３１】
前記第３の情報を受信するための前記手段および前記第４の情報を送信するための前記手段が、それぞれ、３ＧＰＰによって定義されるＬＴＥ測位プロトコルＡ（ＬＰＰａ）に従ってメッセージを送信して受信するためのものである、請求項３０に記載の測位ビーコン。
【請求項３２】
前記第３の情報が、前記ＰＲＳのための前記スケジューリング情報を備える、請求項３０に記載の測位ビーコン。
【請求項３３】
前記第４の情報が、位置登録エリアコード（ＴＡＣ）、セル識別情報（ＣＩ）、位置、もしくは前記ＰＲＳのための前記スケジューリング情報、またはこれらの組合せを備える、請求項３０に記載の測位ビーコン。
【請求項３４】
前記ＵＥユニットが、非位置特定サービスのサポートを妨げるように構成される、請求項２７に記載の測位ビーコン。
【請求項３５】
確立するための前記手段が、第３世代パートナーシッププロジェクト（３ＧＰＰ）によって定義されるロングタームエボリューション（ＬＴＥ）ワイヤレス技術のためのコアネットワークへの前記ワイヤレスバックホール接続を確立するためのものである、請求項２７に記載の測位ビーコン。
【請求項３６】
前記ＰＲＳが、観測到着時間差（ＯＴＤＯＡ）に従ったユーザ機器（ＵＥ）の位置特定をサポートする、請求項２７に記載の測位ビーコン。
【請求項３７】
送信するための前記手段が、前記スケジューリング情報に応答して、ノーマルＰＲＳモードと緊急ＰＲＳモードとを切り替えるための手段を含む、請求項２７に記載の測位ビーコン。
【請求項３８】
前記ワイヤレスバックホール接続を介した、前記通信ネットワーク中の位置特定サーバとの通信に少なくとも一部基づいて、前記測位ビーコンの位置を決定するための手段をさらに備える、請求項２７に記載の測位ビーコン。
【請求項３９】
決定するための前記手段が、ロングタームエボリューション（ＬＴＥ）制御プレーンプロトコルに従って、進化型サービングモバイル位置特定センター（Ｅ−ＳＭＬＣ）と通信するためのものである、請求項３８に記載の測位ビーコン。
【請求項４０】
決定するための前記手段が、オープンモバイルアライアンス（ＯＭＡ）によって定義されるセキュアユーザプレーン位置特定（ＳＵＰＬ）プロトコルに従って、ＳＵＰＬ位置特定プラットフォーム（ＳＬＰ）と通信するためのものである、請求項３８に記載の測位ビーコン。
【請求項４１】
前記測位ビーコンが、ロングタームエボリューション（ＬＴＥ）中継ノード（ＲＮ）を備え、確立するための前記手段が、前記通信ネットワークのための無線アクセスネットワーク（ＲＡＮ）中のＬＴＥドナーｅＮｏｄｅＢ（ＤｅＮＢ）へのインターネットプロトコル接続を確立するためのものである、請求項２７に記載の測位ビーコン。
【請求項４２】
前記ＤｅＮＢから運用および保守（Ｏ＆Ｍ）機能にアクセスするための手段と、
前記測位ビーコンのための第５の情報を前記ＨｅＭＳに送信するための手段と、前記第５の情報は、前記ＤｅＮＢの識別情報、位置、もしくは前記ＰＲＳのための前記スケジューリング情報、またはこれらの組合せを備える、
前記測位ビーコンのための第６の情報を前記ＨｅＭＳから受信するための手段と、前記第６の情報は、位置登録エリアコード（ＴＡＣ）、セル識別情報（ＣＩ）、位置、もしくは前記ＰＲＳのための前記スケジューリング情報、またはこれらの組合せを備える、
をさらに備える、請求項４１に記載の測位ビーコン。
【請求項４３】
前記ＤｅＮＢから位置特定サーバにアクセスするための手段と、
３ＧＰＰによって定義されるＬＴＥ測位プロトコルＡ（ＬＰＰａ）に従って、前記位置特定サーバに、および／または前記位置特定サーバから、前記測位ビーコンのための第７の情報を送信および／または受信する手段と
をさらに備える、請求項４１に記載の測位ビーコン。
【請求項４４】
前記位置特定サーバにアクセスするための前記手段が、３ＧＰＰのためのＬＴＥ制御プレーンの位置特定方法に従って、前記ＤｅＮＢから前記位置特定サーバにアクセスするためのものである、請求項４３に記載の測位ビーコン。
【請求項４５】
前記位置特定サーバにアクセスするための前記手段が、インターネットプロトコル（ＩＰ）シグナリングを使用して、前記ＤｅＮＢから前記位置特定サーバにアクセスするためのものである、請求項４３に記載の測位ビーコン。
【請求項４６】
測位基準信号（ＰＲＳ）を提供するための測位ビーコンであって、
通信ネットワークへのワイヤレスバックホール接続を確立し、
前記ワイヤレスバックホール接続を通じて前記通信ネットワークから前記ＰＲＳのためのスケジューリング情報を受信する
ように構成されるユーザ機器（ＵＥ）ユニットと、
有線接続を介して、前記ＵＥユニットに通信可能に結合され、
有線接続を介して、前記スケジューリング情報を前記ＵＥから受信し、
前記スケジューリング情報に従って前記ＰＲＳを送信する
ように構成される、ホームｅＮｏｄｅＢ（ＨｅＮＢ）ユニットと
を備える、測位ビーコン。
【請求項４７】
前記通信ネットワークへの前記ワイヤレスバックホール接続を確立することを可能にするために、前記ＵＥユニットが、インターネットプロトコル（ＩＰ）接続性に対するサポートを伴う前記通信ネットワーク中のパケットデータネットワークゲートウェイ（ＰＤＧ）への前記ワイヤレスバックホール接続を確立するように構成される、請求項４６に記載の測位ビーコン。
【請求項４８】
前記ＨｅＮＢユニットがさらに、
前記ＰＤＧへの前記ワイヤレスバックホール接続を使用して、前記通信ネットワークにおいて前記ＨｅＮＢユニットからセキュリティゲートウェイ（ＳｅＧＷ）へのセキュアなＩＰ接続を確立し、
前記ＳｅＧＷからＨｅＮＢ管理システム（ＨｅＭＳ）にアクセスし、
前記ＨｅＮＢユニットを前記ＨｅＭＳに登録し、
前記測位ビーコンのための第１の情報を前記ＨｅＭＳに送信し、
前記測位ビーコンのための第２の情報を前記ＨｅＭＳから受信する
ように構成される、請求項４７に記載の測位ビーコン。
【請求項４９】
前記測位ビーコンのための前記第１の情報が、位置もしくは前記ＰＲＳのための前記スケジューリング情報、またはこれらの組合せを備え、前記測位ビーコンのための前記第２の情報が、位置登録エリアコード（ＴＡＣ）、セル識別情報（ＣＩ）、位置、もしくは前記ＰＲＳのための前記スケジューリング情報、またはこれらの組合せを備える、請求項４８に記載の測位ビーコン。
【請求項５０】
前記ＨｅＮＢユニットがさらに、
前記ＳｅＧＷへの前記セキュアなＩＰ接続を使用して、ＨｅＮＢゲートウェイ（ＨｅＮＢ  ＧＷ）およびモビリティ管理エンティティ（ＭＭＥ）へのシグナリング接続を確立し、
前記ＭＭＥまたは前記ＳｅＧＷのいずれかから位置特定サーバにアクセスし、
前記位置特定サーバから前記測位ビーコンのための第３の情報を受信し、
前記測位ビーコンのための第４の情報を前記位置特定サーバに送信する
ように構成される、請求項４８に記載の測位ビーコン。
【請求項５１】
前記測位ビーコンのための前記第３の情報を受信して前記第４の情報を送信することを可能にするために、前記ＨｅＮＢユニットが、３ＧＰＰによって定義されるＬＴＥ測位プロトコルＡ（ＬＰＰａ）に従ってメッセージを受信して送信するように構成される、請求項５０に記載の測位ビーコン。
【請求項５２】
前記第３の情報が、前記ＰＲＳのための前記スケジューリング情報を備える、請求項５０に記載の測位ビーコン。
【請求項５３】
前記第４の情報が、位置登録エリアコード（ＴＡＣ）、セル識別情報（ＣＩ）、位置、もしくは前記ＰＲＳのための前記スケジューリング情報、またはこれらの組合せを備える、請求項５０に記載の測位ビーコン。
【請求項５４】
前記ＵＥユニットがさらに、非位置特定サービスのサポートを妨げるように構成される、請求項４６に記載の測位ビーコン。
【請求項５５】
前記ＵＥユニットがさらに、第３世代パートナーシッププロジェクト（３ＧＰＰ）によって定義されるロングタームエボリューション（ＬＴＥ）ワイヤレス技術のためのコアネットワークへの前記ワイヤレスバックホール接続を確立するように構成される、請求項４６に記載の測位ビーコン。
【請求項５６】
前記ＰＲＳが、観測到着時間差（ＯＴＤＯＡ）に従ったユーザ機器（ＵＥ）の位置特定をサポートする、請求項４６に記載の測位ビーコン。
【請求項５７】
前記ＨｅＮＢユニットがさらに、前記スケジューリング情報に応答して、ノーマルＰＲＳモードと緊急ＰＲＳモードとを切り替えるように構成される、請求項４６に記載の測位ビーコン。
【請求項５８】
（１）前記ワイヤレスバックホール接続を介した、前記通信ネットワーク中の位置特定サーバとの通信、または、（２）衛星測位システムの衛星との通信に少なくとも一部基づいて、前記測位ビーコンの位置を決定するように構成される、ワイヤレスベースの測位ユニットをさらに備える、請求項４６に記載の測位ビーコン。
【請求項５９】
前記測位ビーコンの位置を決定することを可能にするために、前記ワイヤレスベースの測位ユニットが、ロングタームエボリューション（ＬＴＥ）制御プレーンプロトコルに従って、進化型サービングモバイル位置特定センター（Ｅ−ＳＭＬＣ）と通信するように構成される、請求項５８に記載の測位ビーコン。
【請求項６０】
前記測位ビーコンの位置を決定することを可能にするために、前記ワイヤレスベースの測位ユニットが、オープンモバイルアライアンス（ＯＭＡ）によって定義されるセキュアユーザプレーン位置特定（ＳＵＰＬ）プロトコルに従って、ＳＵＰＬ位置特定プラットフォーム（ＳＬＰ）と通信するように構成される、請求項５８に記載の測位ビーコン。
【請求項６１】
前記ＵＥユニットがロングタームエボリューション（ＬＴＥ）中継ノード（ＲＮ）を備え、前記ワイヤレスバックホール接続を確立することを可能にするために、前記ＵＥユニットが、前記通信ネットワークのための無線アクセスネットワーク（ＲＡＮ）中のＬＴＥドナーｅＮｏｄｅＢ（ＤｅＮＢ）へのインターネットプロトコル接続を確立するように構成される、請求項４６に記載の測位ビーコン。
【請求項６２】
前記ＵＥユニットがさらに、
前記ＤｅＮＢから運用および保守（Ｏ＆Ｍ）機能にアクセスし、
前記測位ビーコンのための第５の情報を前記ＨｅＭＳに送信し、前記第５の情報は、前記ＤｅＮＢの識別情報、位置、もしくは前記ＰＲＳのための前記スケジューリング情報、またはこれらの組合せを備える、
前記測位ビーコンのための第６の情報を前記ＨｅＭＳから受信し、前記第６の情報は、位置登録エリアコード（ＴＡＣ）、セル識別情報（ＣＩ）、位置、もしくは前記ＰＲＳのための前記スケジューリング情報、またはこれらの組合せを備える
ように構成される、請求項６１に記載の測位ビーコン。
【請求項６３】
前記ＵＥユニットがさらに、
前記ＤｅＮＢから位置特定サーバにアクセスし、
３ＧＰＰによって定義されるＬＴＥ測位プロトコルＡ（ＬＰＰａ）に従って、前記位置特定サーバに、および／または前記位置特定サーバから、前記測位ビーコンのための第７の情報を送信および／または受信する
ように構成される、請求項６１に記載の測位ビーコン。
【請求項６４】
前記ＤｅＮＢから前記位置特定サーバにアクセスすることを可能にするために、前記ＵＥユニットが、３ＧＰＰのためのＬＴＥ制御プレーンの位置特定方法に従って動作するように構成される、請求項６３に記載の測位ビーコン。
【請求項６５】
前記ＵＥユニットが、インターネットプロトコル（ＩＰ）シグナリングを使用して、前記ＤｅＮＢから前記位置特定サーバにアクセスするように構成される、請求項６３に記載の測位ビーコン。
【発明の詳細な説明】
【技術分野】
【０００１】
関連出願の相互参照
[0001]本出願は、２０１４年６月１３日に出願された「Ｓｔａｎｄａｌｏｎｅ  ｅＮＢ  Ｂｅａｃｏｎｓ  ｆｏｒ  ＴＢＳ  ｗｉｔｈ  Ｗｉｒｅｌｅｓｓ  Ｂａｃｋｈａｕｌ」という表題の米国仮出願第６２／０１２，０８７号、および２０１４年７月８日に出願された「Ｐｏｓｉｔｉｏｎｉｎｇ  Ｂｅａｃｏｎｓ  ｗｉｔｈ  Ｗｉｒｅｌｅｓｓ  Ｂａｃｋｈａｕｌ」という表題の米国仮出願第６２／０２２，１０９号の利益を主張し、これらの両方が、本出願の譲受人に譲渡され、参考として本明細書に組み込まれる。
【０００２】
[0002]本開示の態様は、モバイルデバイスまたは端末の屋内での位置特定のためのワイヤレスバックホールを用いた測位ビーコンに関する。
【背景技術】
【０００３】
[0003]ワイヤレス通信システムは、第１世代アナログワイヤレス電話サービス（１Ｇ）、第２世代（２Ｇ）デジタルワイヤレス電話サービス、ならびに第３世代（３Ｇ）および第４世代（４Ｇ）高速データ／インターネット対応ワイヤレスサービスを含む、様々な世代を通じて発展してきた。
【０００４】
[0004]より最近には、ロングタームエボリューション（ＬＴＥ（登録商標）：Long Term Evolution）が、携帯電話および他のデータ端末向けの高速データのワイヤレス通信のための無線アクセスネットワーク技術として、第３世代パートナーシッププロジェクト（３ＧＰＰ（登録商標））によって開発された。ＬＴＥは、Ｇｌｏｂａｌ  Ｓｙｓｔｅｍ  ｆｏｒ  Ｍｏｂｉｌｅ  ａｃｃｅｓｓ（ＧＳＭ（登録商標））から、および、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、およびＨｉｇｈ−Ｓｐｅｅｄ  Ｐａｃｋｅｔ  Ａｃｃｅｓｓ（ＨＳＰＡ）などのＧＳＭの派生物から進化した。
【０００５】
[0005]北米では、ＬＴＥなどのワイヤレス通信システムは、緊急通報者と適切な公的機関をつなぐ、Ｅｎｈａｎｃｅｄ  ９１１またはＥ９１１のための方法を使用する。この方法は、通報者、すなわち通報者のユーザ機器（ＵＥ）を、物理的な住所または地理的な座標などの特定の位置と自動的に関連付けることを試みる。高い精度（たとえば、５０メートル以下の距離の誤差）で通報者を自動的に位置特定し、その位置を緊急応答機関（ＰＳＡＰ：Public Safety Answering Point）に与えることで、特に通報者が自身の位置を伝えることが不可能であり得る場合に、公的機関側が緊急事態の間に必要とされる資源を配置できる速度が向上し得る。
【０００６】
[0006]ＵＥを地理的に位置特定するために、いくつかの手法がある。１つの手法は、ワイヤレスネットワーク基地局およびアクセスポイントによって送信される信号のＵＥによって行われる測定に基づいて、ならびに／または、ＵＥによって送信される信号のネットワーク要素（たとえば、基地局およびアクセスポイント（ＡＰ））によって行われる測定に基づいて、何らかの形態の地上の無線による位置特定を使用することである。別の手法は、ＵＥ自体に内蔵された全地球測位システム（ＧＰＳ）受信機または全地球的航法衛星システム（ＧＮＳＳ）受信機を使用することである。セルラー電話システムにおける地上の無線による位置特定は、基地局またはＡＰのペアの間の送信タイミングの差の、ＵＥにより行われる測定結果を使用することができ、２つの、またはより一般的には３つ以上のタイミングの差の測定結果に基づいて、ＵＥの場所を決定するために三角測量またはマルチラテレーション技法を利用することができる。ＬＴＥ基地局（ｅＮｏｄｅＢまたはｅＮＢと呼ばれる）の測定結果に適用可能であり、３ＧＰＰ技術仕様（ＴＳ）３６．２１１、３６．２１４、３６．３０５、３６．３５５、および３６．４５５において３ＧＰＰによって標準化されている１つのそのような地上の無線による位置特定方法は、観測到着時間差（ＯＴＤＯＡ：Observed Time Difference of Arrival）である。ＯＴＤＯＡは、ＵＥがｅＮｏｄｅＢのペアからの測位基準信号（ＰＲＳ）であり得る特定の信号の間の時間差を測定するマルチラテレーション方法であり、ｅＮｏｄｅＢのペアのいずれもが、これらの測定結果からそれ自体で位置を計算し、または、測定された時間差（基準信号時間差（ＲＳＴＤ：reference signal time difference）としても知られている）を改良されたサービングモバイル位置特定センター（Ｅ−ＳＭＬＣ：Enhanced Serving Mobile Location Center）またはセキュアユーザプレーン位置特定（ＳＵＰＬ：Secure User Plane Location）位置特定プラットフォーム（ＳＬＰ：SUPL Location Platform）へ報告し、これがＵＥの位置を計算する。いずれの場合でも、測定された時間差、ならびに、ｅＮｏｄｅＢの位置および相対的な（または同期された）送信タイミングについての知識が、ＵＥの場所を計算するために使用される。
【０００７】
[0007]ＵＥの正確な位置を屋内で決定することは、しばしば難しいことがある。たとえば、ＧＰＳまたは他のＧＮＳＳ衛星（たとえば、Ｇａｌｉｌｅｏ、Ｇｌｏｎａｓｓ、または北斗ＧＮＳＳシステム）からの信号は、通常は減衰されており、マルチパスの影響を受け、ＵＥが屋内にあるときにＵＥによって取得して正確に測定するのが困難であることがある。ネットワーク基地局（たとえば、ＬＴＥ  ｅＮＢ）から送信される信号は、サービング基地局または他の近くの基地局の場合にはＵＥによって受信され測定され得るが、通常は、ＵＥが屋内にあるときの正確な位置特定を可能にするのに十分な数の基地局から取得して測定するのは困難でもある。したがって、屋内でのより正確な位置特定を可能にするために、ＯＴＤＯＡなどの測位技法を改良することには利益がある。さらに、ＯＴＤＯＡなどの方法についての屋内での測位の精度のあらゆる向上が、Ｅ９１１の通報を行っているＵＥを正確に位置特定するためだけではなく、他の目的、たとえば、行方不明の子供を位置特定するため、または、大きな建物の内部でユーザをある目的地に案内するためにも、使用され得る。したがって、屋内にある、または密集した都市領域などの困難な屋外環境にあるＵＥのための、位置特定の精度を改善するための本明細書で説明される実施形態および例は、緊急通報の場合に、または他の理由でＵＥを位置特定するために使用され得る。
【発明の概要】
【０００８】
[0008]本明細書で説明されるような方法の第１の例は、測位ビーコンにおいて、通信ネットワークへのワイヤレスバックホール接続を確立することと、測位ビーコンにおいて、ワイヤレスバックホールを通じて通信ネットワークから測位基準信号（ＰＲＳ）のためのスケジューリング情報を受信することと、測位ビーコンから、スケジューリング情報に従ってＰＲＳを送信することとを含む。
【０００９】
[0009]本明細書で説明されるような方法の第２の例は、通信ネットワーク中の位置特定サーバにおいて、測位ビーコンのための構成情報を取得することと、ここにおいて、測位ビーコンは通信ネットワークへのワイヤレスバックホール接続を有する、位置特定サーバにおいて、測位ビーコンの通信範囲内にあるユーザ機器（ＵＥ）の測位に対する要求を受信することと、ＵＥの測位に対する要求を受信したことに応答して、および、構成情報に基づいて、位置特定サーバから測位ビーコンに測位基準信号（ＰＲＳ）スケジューリング調整命令を送信することとを含む。
【００１０】
[0010]測位基準信号を提供するための測位ビーコンの例は、通信ネットワークへのワイヤレスバックホール接続を確立するための手段と、ワイヤレスバックホールを通じて通信ネットワークから測位基準信号（ＰＲＳ）のためのスケジューリング情報を受信するための手段と、スケジューリング情報に従ってＰＲＳを送信するための手段とを含む。
【００１１】
[0011]測位基準信号を提供するための測位ビーコンの別の例は、通信ネットワークへのワイヤレスバックホール接続を確立し、ワイヤレスバックホール接続を通じて通信ネットワークから測位基準信号（ＰＲＳ）のためのスケジューリング情報を受信するように構成される、ユーザ機器（ＵＥ）モジュールを含み、測位ビーコンはさらに、ＵＥモジュールに通信可能に結合され、スケジューリング情報に従ってＰＲＳを送信するように構成される、ホームｅＮｏｄｅＢ（ＨｅＮＢ）モジュールを含む。
【００１２】
[0012]非一時的プロセッサ可読媒体の例は、プロセッサに、測位ビーコンから通信ネットワークへのワイヤレスバックホール接続を確立させ、ワイヤレスバックホール接続を通じて通信ネットワークから測位基準信号（ＰＲＳ）のためのスケジューリング情報を受信させ、受信されたスケジューリング情報に従ってＰＲＳを送信させるように構成される、プロセッサ実行可能命令を含む。
【００１３】
[0013]加えて、他のシステムおよび方法が本明細書で説明される。
【００１４】
[0014]本開示の態様とその付随する利点の多くのより完全な諒解は、本開示を限定するためではなく単に例示するために提示される添付の図面に関連して考察されるときに、以下の詳細な説明を参照することでよりよく理解されれば、容易に得られるであろう。
【図面の簡単な説明】
【００１５】
【図１】[0015]本開示のある態様による、ワイヤレス通信システムのハイレベルシステムアーキテクチャを示す図。
【図２】[0016]本開示のある態様による、無線アクセスネットワーク（ＲＡＮ）と、進化型パケットシステム（ＥＰＳ）またはロングタームエボリューション（ＬＴＥ）ネットワークに基づくコアネットワークのパケット交換部分との例示的な構成を示す図。
【図３Ａ】[0017]ＬＴＥネットワークにおけるＥ９１１の位置特定のための例示的なシステムアーキテクチャを示す図。
【図３Ｂ】[0018]図３Ａに示されるＬＴＥネットワークにおけるＥ９１１の位置特定のためのシステムアーキテクチャの例示的な制御プレーン要素を示す図。
【図３Ｃ】[0019]ＯＴＤＯＡを使用してネットワークにより支援される測位を行うための例示的なシステムを示す図。
【図４Ａ】[0020]屋内でのＯＴＤＯＡの使用を可能にする、図３Ａおよび図３Ｂに示されるＥ９１１の位置特定のためのＬＴＥアーキテクチャの例示的な拡張を示す図。
【図４Ｂ】[0021]緊急モードの測位基準信号（ＰＲＳ）のスケジューリングを構成するための例示的なメッセージングフローを示す図。
【図５】[0022]例示的なＰＲＳのデューティサイクルの時間シーケンスを示す図。
【図６Ａ】[0023]適応的なＰＲＳの構成のための例示的なサブフレームシーケンスを示す図。
【図６Ｂ】[0024]緊急ＰＲＳモードをスケジューリングするための例示的なサブフレームシーケンスを示す図。
【図６Ｃ】[0025]セルの３つのグループの間での適応的な送信中断を示す例示的なサブフレームシーケンスを示す図。
【図７】[0026]適応的なＰＲＳを用いたＯＴＤＯＡの例示的なフローを示す図。
【図８】[0027]ワイヤレスバックホールを用いて、ホームｅＮｏｄｅＢを使用した測位ビーコンをサポートする、ワイヤレス通信システムのブロック図。
【図９】[0028]図８のシステムのための動作の例示的なシーケンスを示す図。
【図１０】[0029]図８のシステムにおける例示的なプロトコルのレイヤ化を示す図。
【図１１】図８のシステムにおける例示的なプロトコルのレイヤ化を示す図。
【図１２】[0030]ワイヤレスバックホールを用いて、ＬＴＥ中継ノードを使用した測位ビーコンをサポートする、ワイヤレス通信システムのブロック図。
【図１３】[0031]図１２のシステムのための動作の例示的なシーケンスを示す図。
【図１４】[0032]図１２のシステムにおける例示的なプロトコルのレイヤ化を示す図。
【図１５】[0033]ワイヤレス通信システムにおいて測位ビーコンを初期化するためのプロセスのブロックフロー図。
【図１６】ワイヤレス通信システムにおいて測位ビーコンを初期化するためのプロセスのブロックフロー図。
【図１７】[0034]本開示の一態様による、ワイヤレス技法を使用して位置を決定することができる動作環境中で使用され得る例示的な測位ビーコンを示す図。
【図１８】[0035]本開示の一態様による、測位ビーコンおよびユーザ機器（ＵＥ）の設計の例示的なブロック図。
【図１９】[0036]本開示のある態様による、機能を実行するように構成される論理を含む通信デバイスを示す図。
【図２０】[0037]本開示のある態様による、サーバを示す図。
【発明を実施するための形態】
【００１６】
[0038]本開示の特定の態様を対象とする以下の説明および関連する図面において、本開示の態様が開示される。本発明の範囲から逸脱することなく、代替的な態様が考案され得る。加えて、本開示の関連する詳細を不明瞭にしないように、本開示のよく知られている要素は詳細に説明されず、または省略される。
【００１７】
[0039]「例示的」および／または「例」という単語は、本明細書では「例、事例、または例示として機能すること」を意味するために使用する。本明細書で「例示的（ｅｘｅｍｐｌａｒｙ）」、「例（ｅｘａｍｐｌｅ）」、「説明のための（ｉｌｌｕｓｔｒａｔｉｖｅ）」、「示す（ｉｌｌｕｓｔｒａｔｉｎｇ）」、または「例示（ｉｌｌｕｓｔｒａｔｉｏｎ）」として説明されるいかなる態様も、必ずしも他の態様よりも好ましいまたは有利であると解釈されるべきではない。同様に、「本開示の態様」という用語は、本開示のすべての態様が、説明される特徴、利点、または動作モードを含むことを必要としない。
【００１８】
[0040]さらに、多くの態様が、たとえば、コンピューティングデバイスの要素によって実行されるべき一連の活動に関して説明される。本明細書で説明される様々な活動は、特定の回路（たとえば特定用途向け集積回路（ＡＳＩＣ））によって、１つまたは複数のプロセッサによって（直接またはコンパイル後に）実行されているプログラム命令によって、または両方の組合せによって実行され得る。加えて、本明細書で説明されるこれらの一連の活動は、実行時に、本明細書で説明される機能を実行することを関連するプロセッサに行わせるであろう、コンピュータ命令の対応するセットを記憶した任意の形態のコンピュータ可読記憶媒体内で全体として具現化されるべきものと見なされ得る。したがって、本開示の様々な態様は、すべてが請求される主題の範囲内に入ることが企図されているいくつかの異なる形態で具現化され得る。加えて、本明細書で説明される態様の各々について、任意のそのような態様の対応する形式が、本明細書では、たとえば、説明される活動を実行する「ように構成された論理」として説明されることがある。
【００１９】
[0041]以下の表は、本開示で使用される略称のリストを与える。
【００２０】
【表１】
0006258528.tif 000002
【００２１】
0006258528.tif 000003
【００２２】
0006258528.tif 000004
【００２３】
0006258528.tif 000005
【００２４】
[0042]本明細書でユーザ機器（ＵＥ）と呼ばれるクライアントデバイスは、移動式または固定式であってよく、無線アクセスネットワーク（ＲＡＮ）と通信し得る。本明細書で使用される「ＵＥ」という用語は、互換的に、「アクセス端末」または「ＡＴ」、「ワイヤレスデバイス」、「加入者デバイス」、「モバイルデバイス」、「加入者端末」、「加入者局」、「ユーザ端末」またはＵＴ、「モバイル端末」、「移動局」、ＳＵＰＬ対応端末（ＳＥＴ：SUPL enabled terminal）、ターゲット、ターゲットデバイス、ターゲットＵＥ、およびそれらの変形として呼ばれることがある。ＵＥは、携帯電話、スマートフォン、ラップトップ、タブレット、資産タグ、ＰＤＡ、または、直接の手段を介して、および／あるいは、１つもしくは複数のネットワークまたは１つもしくは複数のネットワーク要素を介して、他のＵＥおよび／または他のエンティティとワイヤレスに通信することが可能にされた任意の他のデバイスであり得る。一般に、ＵＥは、ＲＡＮを介してコアネットワークと通信することができ、コアネットワークを通じて（または場合によってはＲＡＮを通じて）、ＵＥは、インターネットなどの外部ネットワークと接続され得る。ＲＡＮは、３ＧＰＰによって定義されるＧＳＭ、ＵＭＴＳ、およびＬＴＥ、または、第３世代パートナーシッププロジェクト２（３ＧＰＰ２）によって定義されるｃｄｍａ２０００などの、セルラーベースの無線技術を使用して、ＵＥからのワイヤレス通信をサポートし得る。ＵＥは、有線アクセスネットワーク、（たとえば、ＩＥＥＥ８０２．１１などに基づく）ＷｉＦｉ（登録商標）ネットワーク、Ｂｌｕｅｔｏｏｔｈ（登録商標）ネットワークなどを通じたものなどの、コアネットワークおよび／またはインターネットに接続する他の機構を利用することができる。ＵＥは、限定はされないが、ＰＣカード、コンパクトフラッシュ（登録商標）デバイス、外部または内部モデム、ワイヤレス電話また有線電話などを含む、いくつかのタイプのデバイスのいずれかによって具現化され得る。ＵＥがそれを通じてＲＡＮに信号を送ることができる通信リンクは、アップリンクチャネル（たとえば、逆方向トラフィックチャネル、逆方向制御チャネル、アクセスチャネルなど）と呼ばれる。ＲＡＮがそれを通じてＵＥに信号を送ることができる通信リンクは、ダウンリンクまたは順方向リンクチャネル（たとえば、ページングチャネル、制御チャネル、ブロードキャストチャネル、順方向トラフィックチャネルなど）と呼ばれる。本明細書で使用される場合、トラフィックチャネル（ＴＣＨ）という用語は、アップリンク／逆方向トラフィックチャネルまたはダウンリンク／順方向トラフィックチャネルのいずれかを指し得る。
【００２５】
[0043]図１は、本開示のある態様による、ワイヤレス通信システム１００のハイレベルシステムアーキテクチャを示す。ワイヤレス通信システム１００は、ＵＥ  １、ＵＥ  ２、・・・ＵＥＮと名付けられ、ＵＥ  ＵＥ  １、・・・ＵＥ  Ｎと呼ばれる、ある数ＮのＵＥを含む。ＵＥ  ＵＥ  １・・・ＵＥ  Ｎは、携帯電話、携帯情報端末（ＰＤＡ）、スマートフォン、ページャ、ラップトップコンピュータ、デスクトップコンピュータなどを含み得る。たとえば、図１では、ＵＥ  １およびＵＥ  ２は、発呼する携帯電話として示されており、ＵＥ  ３、ＵＥ  ４、およびＵＥ  ５はタッチスクリーン式携帯電話またはスマートフォンとして示されており、ＵＥ  ＮはデスクトップコンピュータまたはＰＣとして示されている。
【００２６】
[0044]図１を参照すると、ＵＥ  ＵＥ  １・・・ＵＥ  Ｎは、エアインターフェース１０４、１０６、１０８として図１に示された物理通信インターフェースまたはレイヤ、および／または直接の有線接続を通じて、アクセスネットワーク（たとえば、ＲＡＮ１２０、アクセスポイント１２５など）と通信するように構成される。エアインターフェース１０４および１０６は、所与のセルラー通信プロトコル（たとえば、符号分割多元接続（ＣＤＭＡ）、Ｅｎｈａｎｃｅｄ  Ｖｏｉｃｅ  Ｄａｔａ  Ｏｐｔｉｍｉｚｅｄ（ＥＶＤＯ）、Ｅｎｈａｎｃｅｄ  Ｈｉｇｈ  Ｒａｔｅ  Ｐａｃｋｅｔ  Ｄａｔａ（ｅＨＰＲＤ）、ＧＳＭ、ＥＤＧＥ、Ｗｉｄｅｂａｎｄ  ＣＤＭＡ（ＷＣＤＭＡ（登録商標））、ＬＴＥ、ＬＴＥ−Ｕなど）に適合することができ、一方、エアインターフェース１０８は、ワイヤレスローカルエリアネットワーク（ＷＬＡＮ）プロトコル（たとえば、ＩＥＥＥ  ８０２．１１またはＢｌｕｅｔｏｏｔｈ）に適合することができる。ＲＡＮ１２０（エアインターフェース１０４および１０６とそれぞれ関連付けられる２つの別々の部分を備えるものとして図１に示される）は、エアインターフェース１０４および１０６などのエアインターフェースを通じてＵＥにサービスする、複数のアクセスポイントを含む。ＲＡＮ  １２０中のアクセスポイントは、アクセスノードまたはＡＮ、アクセスポイントまたはＡＰ、基地局またはＢＳ、Ｎｏｄｅ  Ｂ、ｅＮｏｄｅＢなどと呼ばれることがある。これらのアクセスポイントは、地上アクセスポイント（または地上局）、または衛星アクセスポイントであり得る。ＲＡＮ１２０は、ＲＡＮ１２０によってサービスされるＵＥと、ＲＡＮ１２０または異なるＲＡＮによってサービスされる他のＵＥとの間の回線交換（ＣＳ）呼および／またはパケット交換（ＰＳ）接続を一緒に接続することを含む、様々な機能を実行することができる、およびインターネット１７５などの外部ネットワークとのＰＳデータの交換を仲介することもできる、コアネットワーク１４０（ＬＴＥコアネットワークなど）に接続するように構成される。インターネット１７５は、（便宜上図１には示されていない）いくつかのルーティングエージェントおよび処理エージェントを含む。図１では、ＵＥ  Ｎは、インターネット１７５に直接（すなわち、ＷｉＦｉまたは８０２．１１ベースのネットワークのイーサネット（登録商標）接続などを通じて、コアネットワーク１４０とは別個に）接続するものとして示されている。したがって、インターネット１７５は、コアネットワーク１４０を介してＵＥ  ＮとＵＥ  ＵＥ  １．．．ＵＥ  Ｎ−１との間のＰＳデータ通信を接続するように機能することができる。ＲＡＮ  １２０とは別個のアクセスポイント１２５も図１に示されている。アクセスポイント１２５は、コアネットワーク１４０とは独立に（たとえば、ＦｉＯＳなどの光通信システム、ケーブルモデムなどを介して）インターネット１７５に接続され得る。エアインターフェース１０８は、ある例ではＩＥＥＥ８０２．１１などの、ローカルワイヤレス接続を通じてＵＥ  ４またはＵＥ  ５にサービスし得る。
【００２７】
[0045]図１を参照すると、位置特定サーバ１７０が、インターネット１７５、コアネットワーク１４０、もしくはＲＡＮ１２０に、またはこれらのうちの２つもしくは３つすべてに接続されるものとして示されている。位置特定サーバ１７０は、複数の構造的に別個のサーバとして実装されてよく、または代替的に、単一のサーバに対応してよい。以下でより詳細に説明されるように、位置特定サーバ１７０は、ＲＡＮ１２０、コアネットワーク１４０、および／またはインターネット１７５を介して位置特定サーバ１７０と通信できる、ＵＥのための１つまたは複数の測位サーバをサポートするように構成され得る。
【００２８】
[0046]図２は、本開示のある態様による、ＲＡＮ１２０と、進化型パケットシステム（ＥＰＳ）またはＬＴＥネットワークに基づくコアネットワーク１４０のパケット交換部分とのある構成である、例示的なアーキテクチャ２００を示す。図２を参照すると、ＥＰＳ／ＬＴＥネットワーク中のＲＡＮ１２０は、複数のＥｖｏｌｖｅｄ  Ｎｏｄｅ  Ｂ（ｅＮｏｄｅＢまたはｅＮＢ）２０２、２０５、および２１０を用いて構成される。図２では、コアネットワーク１４０は、複数のモビリティ管理エンティティ（ＭＭＥ）２１５および２２０と、ホーム加入者サーバ（ＨＳＳ）２２５と、サービングゲートウェイ（ＳＧＷ）２３０と、パケットデータネットワークゲートウェイ（ＰＤＧ）２３５とを含む。これらの構成要素と、ＲＡＮ１２０と、位置特定サーバ１７０と、インターネット１７５との間のネットワークインターフェースが図２に示されており、以下のように（以下の）表２において定義される。
【００２９】
【表２】
0006258528.tif 000006
【００３０】
[0047]図２に示される構成要素のハイレベルの説明がここで行われる。しかしながら、これらの構成要素は各々、様々な３ＧＰＰ技術仕様（ＴＳ）から当技術分野でよく知られており、本明細書に含まれている説明は、これらの構成要素によって実行されるすべての機能の網羅的な説明であることを意図していない。
【００３１】
[0048]図２を参照すると、ｅＮＢ２０２、２０５、および２１０は、ＬＴＥ無線アクセスをＵＥ（たとえば、ＵＥ２５０、２５２、および２５４のいずれか）に提供し、任意のＵＥと、ＭＭＥ２１５およびＳＧＷ２３０などのコアネットワーク１４０中の要素との間に、シグナリングと音声／データの接続を提供するように構成される。３つのＵＥが図２に示されるが、より少ないＵＥのより多くがあり得る。ｅＮＢ２０２、２０５、および２１０は、アンテナを介してＵＥ２５０、２５２、および２５４とワイヤレスに通信するように構成される。ｅＮＢ２０２、２０５、および２１０の各々は、それぞれの地理的エリア、たとえばある対応するセルまたはいくつかの対応するセルに対する通信カバレッジを提供し得る。ＲＡＮ１２０は、マクロ基地局だけを含むことがあり、または、異なるタイプの基地局、たとえばマクロ基地局およびフェムト基地局（ホーム進化型Ｎｏｄｅ  Ｂ（ＨｅＮＢ）、フェムトセル、またはスモールセルとも呼ばれる）を有し得る。マクロ基地局は、比較的大きい地理的エリア（たとえば、半径数キロメートル）をカバーすることができ、サービスに加入している端末による無制限アクセスを可能にし得る。フェムト基地局は、比較的小さい地理的エリア（たとえば、家庭または事務所）をカバーすることができ、いくつかの場合、フェムトセルとの関連を有する端末（たとえば、家庭内のユーザ用の端末）による制限付きアクセスを可能にし得る。ｅＮＢ２０２、２０５、および２１０は次いで、ｅＮＢ２０２、２０５、および２１０とコアネットワーク１４０との間の１つまたは複数のバックホールリンクを通じて、コアネットワーク１４０と通信するように構成される。バックホールリンクは、ｅＮＢとコアネットワーク１４０の１つまたは複数の構成要素との間の、有線またはワイヤレス（たとえば、マイクロ波）の接続であり得る。加えて、または代替的に、ワイヤレスバックホールリンクは、以下でさらに詳細に説明されるように使用され得る。
【００３２】
[0049]先に説明されたように、ｅＮＢ２０２、２０５、および２１０は、任意のＵＥがｅＮＢのペア間で測位基準信号（ＰＲＳ）のタイミングの差の測定を行うことを可能にし、それによって、ＵＥの位置推定が、ＵＥ自体によって、または、ＯＴＤＯＡ測位を使用してタイミングの差の測定が送信され得る先の位置特定サーバ（たとえば、位置特定サーバ１７０）によって取得されることを可能にするために、ＰＲＳを近くのＵＥにブロードキャストするように構成され得る。本明細書では、地理的であり得る（たとえば、緯度、経度、および場合によっては高度を備え得る）、または都市的であり得る（たとえば、街路住所、建物の指定、または、建物の特定の入口、建物の中の特定の部屋もしくは一連の部屋、または町の広場などのランドマークなどの、建物または街路住所の中または近くの正確な地点もしくはエリアを備え得る）、ＵＥ（たとえば、ＵＥ２５０、２５２、および２５４のいずれか）の位置の推定を指すために、位置推定という用語が使用される。位置推定（ｌｏｃａｔｉｏｎ  ｅｓｔｉｍａｔｅ）はまた、位置特定（ｌｏｃａｔｉｏｎ）、測位（ｐｏｓｉｔｉｏｎ）、位置決定（ｆｉｘ）、場所決定（ｐｏｓｉｔｉｏｎ  ｆｉｘ）、位置決定（ｌｏｃａｔｉｏｎ  ｆｉｘ）、場所推定（ｐｏｓｉｔｉｏｎ  ｅｓｔｉｍａｔｅ）、位置推定（ｆｉｘ  ｅｓｔｉｍａｔｅ）、または何らかの他の用語として呼ばれ得る。位置推定を得る手段は全般に、測位、位置特定、または場所決定と呼ばれることがあり、位置推定を得るための特定の手法は、位置特定手法と呼ばれることがあり、位置特定手法の一部としての位置推定を得るための特定の方法は、測位方法または位置特定方法と呼ばれることがある。
【００３３】
[0050]図２を参照すると、ＭＭＥ２１５および２２０は、ＵＥ（たとえば、ＵＥ２５０、２５２、２５４）のネットワーク接続と、ＵＥのモビリティと、ＵＥへのベアラの割当てとをサポートするように構成される。ＭＭＥ機能は、ＵＥへの非アクセス層（ＮＡＳ）シグナリングと、ＮＡＳシグナリングセキュリティと、ＵＥの技術間および技術内ハンドオーバーのためのモビリティ管理と、ＰＤＧおよびＳＧＷの選択と、ＭＭＥ変更を伴うＵＥのハンドオーバーのためのＭＭＥの選択とを含む。
【００３４】
[0051]図２を参照すると、ＳＧＷ２３０は、ＲＡＮ１２０に向かうインターフェースを終端するゲートウェイである。ＥＰＳベースのシステムのためのコアネットワーク１４０に接続される各ＵＥについて、所与の時点おいて、単一のＳＧＷがあり得る。ＳＧＷ２３０の機能は、モビリティアンカーポイント（ｍｏｂｉｌｉｔｙ  ａｎｃｈｏｒ  ｐｏｉｎｔ）と、パケットのルーティングおよび転送と、アップリンクおよびダウンリンクにおけるトランスポートレベルのパケットマーキング（たとえば、関連するＥＰＳベアラのＱｏＳクラス識別子（ＱＣＩ）に基づくＤｉｆｆＳｅｒｖコードポイント（ＤＳＣＰ）の設定）とを含み得る。
【００３５】
[0052]図２を参照すると、ＰＤＧ２３５は、パケットデータネットワーク（ＰＤＮ）、たとえば、インターネット１７５に向かうＳＧｉインターフェースを終端するゲートウェイである。ＵＥが複数のＰＤＮにアクセスしている場合、そのＵＥに対しては２つ以上のＰＤＧがあり得る。ＰＤＧ機能は、パケットフィルタリング（たとえば、ディープパケットインスペクションを使用した）と、ＵＥ  ＩＰアドレスの割振りと、アップリンクおよびダウンリンクにおけるトランスポートレベルのパケットマーキング（たとえば、関連するＥＰＳベアラのＱＣＩに基づくＤＳＣＰの設定）と、事業者間の課金のためのアカウンティングと、アップリンク（ＵＬ）ベアラとダウンリンク（ＤＬ）ベアラのバインディングと、ＵＬおよびＤＬのレートの施行ならびにサービスレベルレートの施行と、ＵＬベアラのバインディングとを含み得る。ＰＤＧ２３５は、ＧＳＭ／ＥＤＧＥ無線アクセスネットワーク（ＧＥＲＡＮ）／ＵＴＲＡＮ専用ＵＥと、Ｅ−ＵＴＲＡＮ、ＧＥＲＡＮ、またはＵＴＲＡＮのいずれかを使用するＥ−ＵＴＲＡＮ対応ＵＥとの両方にＰＤＮ接続性を与え得る。ＰＤＧ２３５は、Ｓ５／Ｓ８インターフェースのみを通じて、Ｅ−ＵＴＲＡＮを使用するＥ−ＵＴＲＡＮ対応ＵＥにＰＤＮ接続性を与え得る。ＰＤＧ２３５は、ＩＰアクセスおよびＩＰルーティングの能力を有するネットワーク側の最初のエンティティとして機能することによって、ＩＰ接続性をＵＥ２５０、２５２、および２５４に与え得る。本明細書において後で論じられるように、ＰＤＧ２３５はまた、ｅＮＢビーコンがワイヤレスバックホール接続を有する場合、ｅＮＢビーコンに（たとえば、ｅＮＢ２０２、２０５、または２１０のいずれかがｅＮＢビーコンとして機能するときには、ｅＮＢ２０２、２０５、または２１０に）ＩＰ接続性を与え得る。
【００３６】
[0053]図２では、位置特定サーバ１７０は、インターネット１７５、ＰＤＧ２３５、ＭＭＥ２２０、およびＭＭＥ２１５の１つまたは複数に接続されるものとして示される。ＭＭＥ２１５およびＭＭＥ２２０への接続は、位置特定サーバ１７０がＥ−ＳＭＬＣであるとき、またはそれを含むときに、適切である。インターネット１７５およびＰＤＧ２３５への接続は、位置特定サーバ１７０がＳＬＰであるとき、またはそれを含むときに、適切である。位置特定サーバ１７０は、（ｉ）（たとえば、ＵＥ２５０、２５２、および２５４のいずれかによって取得され位置特定サーバ１７０に移送される信号測定結果から）ＵＥ２５０、２５２、および２５４のいずれかの位置を得るために、ならびに／または、（ｉｉ）ＵＥ２５０、２５２、および２５４のいずれかが信号（たとえば、ｅＮＢ２０２、２０５、および２１０の１つまたは複数からの信号）を取得して測定すること、および／もしくは、いくつかの場合には、これらの信号測定結果から位置を計算することを可能にするように、支援データをＵＥ２５０、２５２、および２５４のいずれかに提供するために、使用され得る。支援データの例は、ＧＰＳまたはＧＮＳＳの測位が使用されるときの、ＧＰＳ衛星または他のＧＮＳＳ衛星のための軌道およびタイミングのデータであってよく、または、ＯＴＤＯＡが測位のために使用されるときの、ＵＥの近くのｅＮＢ（たとえば、ｅＮＢ２０２、２０５、および２１０のいずれか）からのダウンリンク送信に関する情報であってよい。
【００３７】
[0054]図２のコアネットワーク１４０、ＲＡＮ１２０、および位置特定サーバ１７０は、それぞれ、図１のコアネットワーク１４０、ＲＡＮ１２０、および位置特定サーバ１７０に対応し得る。加えて、図２のＵＥ２５０、２５２、および２５４は各々、図１のＵＥ  １からＮのいずれかに対応し得る。
【００３８】
[0055]上で論じられたように、ＵＥを地理的に位置特定するために、ＬＴＥにおいて利用可能ないくつかの手法があり、そのうちの１つがＯＴＤＯＡ測位方法である。ＯＴＤＯＡは、ｅＮｏｄｅＢの異なるペアからの特定の信号（たとえば、ＰＲＳ信号）間の時間差をＵＥが測定するマルチラテレーションの方法であり、それらのペアのいずれかが、Ｅ−ＳＭＬＣまたはＳＬＰなどの位置特定サーバにこれらの時間差を報告し、または、これらの時間差からそれ自体で位置を計算する。位置計算は、測定された時間差と、ｅＮｏｄｅＢの位置および相対的な送信タイミングについての（たとえば、ｅＮＢが正確に同期されるかどうか、または各ｅＮＢが他のｅＮＢとは異なる何らかの既知の時間に送信するかどうかに関する）知識とに基づき得る。ＵＥがＯＴＤＯＡで測定された時間差を使用してそれ自体で位置推定を取得するとき、必要な追加のデータ（たとえば、ｅＮｏｄｅＢの位置および相対的な送信のタイミング）が、位置特定サーバ（たとえば、図２の位置特定サーバ１７０）によってＵＥに提供され得る。いくつかの実装形態では、ＵＥのための位置推定は、ＯＴＤＯＡで測定された時間差から、およびＵＥによって行われる他の測定結果（たとえば、ＧＰＳ衛星または他のＧＮＳＳ衛星からの信号タイミングの測定結果）から、（たとえば、ＵＥそれ自体によって、または位置特定サーバによって）取得され得る。ハイブリッド測位として知られているこれらの実装形態では、ＯＴＤＯＡ測定は、ＵＥの位置推定を得ることに寄与し得るが、位置推定を完全には決定しないことがある。
【００３９】
[0056]図３Ａは、ＵＥがＥ９１１の呼を確立中であるとき、またはすでに確立しているときに、ＬＴＥネットワーク３０１によってサービスされるＵＥ（図３Ａに示されるＵＥ３０２など）のための位置推定を得るための、例示的なシステムアーキテクチャ３００Ａを示す。図３Ｂは、Ｅ９１１の位置特定サービスのために使用され得る図３Ａに示されるＬＴＥネットワーク３０１の例示的な制御プレーン要素を示す。より具体的には、図３Ｂは、制御プレーンの位置特定方法が使用される場合に様々なネットワーク要素間で使用され得る様々なプロトコルと、様々なネットワーク要素間で送信され得る関連するタイプのメッセージとを示す。
【００４０】
[0057]制御プレーンの位置特定方法では、位置特定サーバ（たとえば、図１および図２の位置特定サーバ１７０または図３Ａおよび図３ＢのＥ−ＳＭＬＣ３５５）が、既存のシグナリングインターフェースおよび既存のプロトコル、ならびに位置特定のサポートに専用の新たなプロトコルおよびインターフェースを通常は含む、ネットワークにおけるシグナリングインターフェースおよびシグナリングプロトコルを介して、ＵＥを含む他の要素によってアクセスされる。ＵＥの位置特定に関するすべてのシグナリングが次いで、すべてのインターフェース上でシグナリングとして明示的に運ばれる。ＬＴＥアクセスの場合、制御プレーンの位置特定方法は、３ＧＰＰ  ＴＳ  ２３．２７１および３６．３０５において定義される。
【００４１】
[0058]オープンモバイルアライアンス（ＯＭＡ）によって定義されるＳＵＰＬ方法などの、ユーザプレーンの位置特定方法では、ＵＥおよび位置特定サーバは、ＩＰまたはＴＣＰ／ＩＰなどを介して、ネットワークの観点からデータを交換することによって通信する。ＳＵＰＬ方法の場合、図１および図２の位置特定サーバ１７０はＳＬＰであり、Ｅ−ＳＭＬＣ３５５ではなく図３ＡのＥ−ＳＬＰ３３５が位置特定のために使用される。いくつかの場合、ネットワークは、制御プレーンの位置特定方法と、ＳＵＰＬなどのユーザプレーンの位置特定方法の両方を利用し得る。その場合、Ｅ−ＳＭＬＣ３５５とＥ−ＳＬＰ３３５の両方が図３Ａに存在することがあり、これらのサーバは、ＵＥを位置特定するために両方の方法が使用されることを可能にするために、（たとえば、同じ物理エンティティの中で）結合され、または互いに接続されてよい。
【００４２】
[0059]図３Ａは、制御プレーンの位置特定要素、すなわち、ゲートウェイモバイル位置特定センター（ＧＭＬＣ）３４５、ＭＭＥ３１５（これは図２のＭＭＥ２１５および２２０のいずれかと同じであり得る）、およびＥ−ＳＭＬＣ３５５と、ＵＥ３０２のユーザがＥ９１１の呼を引き起こすときにＵＥ３０２の位置を決定するために使用され得る代替的なユーザプレーン（たとえば、ＳＵＰＬ）の位置特定要素、すなわち、Ｅ−ＳＬＰ３３５の両方を示す。ｅＮｏｄｅＢ３０５は、図２のｅＮｏｄｅＢ２０２、２０５、および２１０のいずれかと同じであり得る。図３Ａおよび図３ＢのＥ−ＳＭＬＣ３５５と、図３ＡのＥ−ＳＬＰ３３５のいずれかまたは両方が、図１および図２の位置特定サーバ１７０に対応し得る。さらに、図３Ａおよび図３ＢのＵＥ３０２は、図２のＵＥ２５０、２５２、および２５４のいずれかに、および、図１のＵＥ  ＵＥ  １・・・ＵＥ  Ｎのいずれかに対応し得る。
【００４３】
[0060]図３Ａはまた、（ｉ）ＵＥ３０２などのＵＥからのＬＴＥを通じたＥ９１１の呼の確立をサポートし、および／または、（ｉｉ）Ｅ９１１の呼のための位置特定のサポートを提供するために使用され得る、ＬＴＥネットワーク３０１のネットワーク要素とサブシステムとを含む、他の構成要素を示す。ユーザプレーンの位置特定をサポートするために使用され得る構成要素は、図３Ａの破線のボックス３０３に囲まれて示されており、すでに言及されたようなＥ−ＳＬＰ３３５と、ＰＤＮゲートウェイ（ＰＤＧ）２３５（これは図２のＰＤＧ２３５に対応し得る）と、サービングゲートウェイ（ＳＧＷ）２３０（これは図２のＳＧＷ２３０に対応し得る）とを備える。ＰＤＧ２３５およびＳＧＷ２３０は、ＵＥ３０２とＥ−ＳＬＰ３３５との間で、データ（たとえば、ＩＰまたはＴＣＰ／ＩＰデータパケット）の形態で位置特定関連のシグナリング（たとえば、ＳＵＰＬメッセージ）を移送し得る。制御プレーンの位置特定をサポートするために使用され得る構成要素は、図３Ａの破線のボックス３０４に囲まれて示されており、すでに言及されたように、ＭＭＥ３１５と、ＧＭＬＣ３４５と、Ｅ−ＳＭＬＣ３５５とを備える。ＬＴＥネットワーク３０１のためのＩＭＳを備えるコンポーネントは、図３Ａの破線のボックス３７０に囲まれて示されており、Ｓ−ＣＳＣＦ３７１と、Ｐ−ＣＳＣＦ３７２と、Ｅ−ＣＳＣＦ３７３と、ＩＢＣＦ３７４と、ＬＲＦ３７５と、ＢＧＣＦ３７６と、ＭＧＣＦ３７７と、ＲＤＦ３７８とを備える。Ｅ９１１を確立して後で解放するために必要とされるＵＥ（たとえば、ＵＥ３０２）とのＳＩＰシグナリングと、ＰＳＡＰ側がＳＩＰをサポートする場合（たとえば、Ｅ９１１の呼がｉ３  ＰＳＡＰ３９５にルーティングされる場合）のＰＳＡＰ側とのＳＩＰシグナリング、またはＰＳＡＰ側がＣＳ呼をサポートする場合（たとえば、Ｅ９１１の呼が従来のＰＳＡＰ３８５にルーティングされる場合）のＰＳＡＰ側とのＣＳ関連のシグナリングのいずれかとをサポートすることによって、Ｅ９１１の呼を確立して後で解放するために、ＩＭＳが使用され得る。システムアーキテクチャ３００Ａに関連するＥ９１１の呼の確立と解放の詳細が、３ＧＰＰ  ＴＳ  ２３．１６７、Ａｌｌｉａｎｃｅ  ｆｏｒ  Ｔｅｌｅｃｏｍｍｕｎｉｃａｔｉｏｎｓ  Ｉｎｄｕｓｔｒｙ  Ｓｏｌｕｔｉｏｎｏｓ（ＡＴＩＳ）規格ＡＴＩＳ−０７０００１５、およびＮａｔｉｏｎａｌ  Ｅｍｅｒｇｅｎｃｙ  Ｎｕｍｂｅｒ  Ａｓｓｏｃｉａｔｉｏｎ（ＮＥＮＡ）  ｉ３  ｓｏｌｕｔｉｏｎ（たとえば、「Ｄｅｔａｉｌｅｄ  Ｆｕｎｃｔｉｏｎａｌ  ａｎｄ  Ｉｎｔｅｒｆａｃｅ  Ｓｐｅｃｉｆｉｃａｔｉｏｎ  ｆｏｒ  ｔｈｅ  ＮＥＮＡ  ｉ３  Ｓｏｌｕｔｉｏｎ  −  Ｓｔａｇｅ  ３」）を含む、いくつかの公に入手可能な規格においてさらに規定されている。
【００４４】
[0061]ＵＥ３０２がＬＴＥを通じてＥ９１１の通報をする場合、制御プレーンの位置特定とユーザプレーンのＳＵＰＬ位置特定の両方ではなくいずれかだけのために特別に使用される要素を除き、図３Ａに示される要素のいずれもが、呼を確立して維持すること、および／または、ＵＥ３０２を位置特定するのを助けることに関与し得る。制御プレーンの位置特定では、Ｅ−ＳＬＰ３３５ではなく、ＭＭＥ３１５、ＧＭＬＣ３４５、およびＥ−ＳＭＬＣ３５５が、ＵＥ３０２を位置特定するのを助けるために使用され得る。逆にユーザプレーンのＳＵＰＬ位置特定では、ＭＭＥ３１５、ＧＭＬＣ３４５、またはＥ−ＳＭＬＣ３５５ではなく、Ｅ−ＳＬＰ３３５が、ＵＥ３０２を位置特定するのを助けるために使用され得る。様々な位置特定方法が、ＬＲＦ３７５を通じたＰＳＡＰ（従来のＰＳＡＰ３８５またはＮＥＮＡ  ｉ３対応のＰＳＡＰ３９５のいずれか）への接続性を提供する。ＬＲＦ３７５は、ユーザプレーンの位置特定が使用されるときのＥ−ＳＬＰ３３５、または制御プレーンの位置特定が使用されるときのＧＭＬＣ３４５のいずれかから、ＵＥ３０２のための位置推定を要求して受信することが可能である、ＬＴＥネットワーク３０１のためのＩＭＳ中の共通のネットワーク要素である。ＬＲＦ３７５は次いで、ＰＳＡＰによって要求されると、ＵＥ３０２のための位置推定をＰＳＡＰ（たとえば、従来のＰＳＡＰ３８５またはｉ３  ＰＳＡＰ３９５）に提供し得る。
【００４５】
[0062]図３Ｂを参照すると、この図は述べられたように、制御プレーンの位置特定をサポートする図３ＡのＬＴＥネットワーク３０１中のネットワーク要素を示し、破線は、互いに通信するが互いに直接接続されていないエンティティのペア間での測位の対話のための、プロトコルと、関連するメッセージタイプと、関係する３ＧＰＰ  ＴＳ（ＴＳ番号によって参照される）とを示し、実線は、直接接続されている通信エンティティ間で測位のために使用される通信リンクのためのプロトコルと、メッセージタイプと、インターフェース設計と、関係する３ＧＰＰ  ＴＳ（ＴＳ番号によって参照される）とを示す。たとえば、Ｅ−ＳＭＬＣ３５５およびｅＮｏｄｅＢ３０５は、３ＧＰＰ  ３６．４５５において定義され、Ｅ−ＳＭＬＣ３５５がｅＮＢ３０５とＬＰＰａメッセージを交換することによってＵＥ３０２のｅＮｏｄｅＢ３０５により行われる測定を要求し取得できる、ＬＰＰａ測位プロトコル（図３Ｂにおいて破線として示される）を利用する。ＬＰＰａプロトコルのためのメッセージは、（ｉ）３ＧＰＰ  ＴＳ  ２９．１７１において定義されるＬＣＳ−ＡＰプロトコルを使用するＥ−ＳＭＬＣ３５５とＭＭＥ３１５との間のＳＬｓインターフェース（図３Ｂの実線として示される）、および（ｉｉ）３ＧＰＰ  ＴＳ  ３６．４１３において定義されるＳ１  ＡＰプロトコルを使用するＭＭＥ３１５とｅＮｏｄｅＢ３０５との間のＳ１インターフェース（やはり図３Ｂにおいて実線として示される）を通じて、物理的に移送される。ＭＭＥ３１５はまた、ＳＬｇインターフェースを通じてＧＬＭＣ３４５と通信し、ＧＭＬＣ３４５は、Ｌｅインターフェースを通じてＬＣＳクライアント３５０（従来のＰＳＡＰ３８５またはｉ３  ＰＳＡＰ３９５などのＰＳＡＰであり得る）と通信する。図３Ｂには示されないいくつかの場合（たとえば、図３Ａの例示的なシステムアーキテクチャ３００Ａ）、ＧＭＬＣ３４５はＬＲＦ（たとえば、ＡＴＩＳ規格ＡＴＩＳ−０７０００１５において定義されるＬ０インターフェースを通じて図３ＡのＬＲＦ３７５）と通信することができ、次いでＧＭＬＣ３４５ではなくＬＲＦが、Ｌｅインターフェースを通じてＰＳＡＰと通信する。
【００４６】
[0063]同様に、Ｅ−ＳＭＬＣ３５５およびＵＥ３０２は、３ＧＰＰ  ＴＳ  ３６．３５５において定義され、Ｅ−ＳＭＬＣ３５５が（ｉ）ｅＮｏｄｅＢ３０５および他のｅＮＢによって送信される信号のＵＥ３０２によって行われる測定（たとえば、ＯＴＤＯＡ測定）を要求して取得でき、ならびに／または、（ｉｉ）支援データ（たとえば、ＯＴＤＯＡのための支援データ）をＵＥ３０２に提供できる、ＬＰＰ測位プロトコル（図３Ｂにおいて破線として示される）を利用し得る。ＬＰＰプロトコルのためのメッセージは、Ｅ−ＳＭＬＣ３５５とＭＭＥ３１５との間のＳＬｓインターフェースを通じて、ＭＭＥ３１５とｅＮｏｄｅＢ３０５との間のＳ１インターフェースを通じて、および、ｅＮｏｄｅＢ３０５とＵＥ３０２との間のＬＴＥ  Ｕｕエアインターフェースを通じて、物理的に移送される（すべてが図３Ｂにおいて実線として示されている）。いくつかの実装形態では、追加のＬＰＰ拡張（ＬＰＰｅ）メッセージは、ＯＴＤＯＡへの拡張を含む追加の測位方法のための情報を提供するために、ＬＰＰメッセージの内部に埋め込まれ得る。ＬＰＰｅプロトコルは、ＯＭＡによって定義され、ＬＰＰと組み合わされて使用されると、ＬＰＰ／ＬＰＰｅと呼ばれ得る。
【００４７】
[0064]ＯＴＤＯＡ測位手順の間、Ｅ−ＳＭＬＣ３５５は、ＬＰＰレイヤを通じてＵＥ３０２からＯＴＤＯＡ測定を要求し得る。要求される測定は、基準信号時間差（ＲＳＴＤ）測定のセットであり得る。この要求とともに、またはその前に、Ｅ−ＳＭＬＣ３５５は、ＵＥ３０２の支援データを送信することができ、この支援データは、（ｅＮｏｄｅＢ３０５に対応する１つまたは複数のセルなどの）セルのリストと、測位基準信号（ＰＲＳ）のための帯域幅（ＢＷ）、ＬＴＥサブフレームの数、周期などを含む、ＯＴＤＯＡをサポートするために（セルをサポートするｅＮＢによって）各セルにおいて送信されるＰＲＳを定義するパラメータとを含み得る。ＯＴＤＯＡに適用可能なＬＰＰ要求および支援データが、以下でより詳細に説明される。
【００４８】
[0065]ＵＥ３０２は次いで、所与の時間の期間の間（たとえば、Ｅ９１１の呼の場合は最大で３０秒）、要求されるＯＴＤＯＡ測定結果の一部またはすべてを取得する。これらの測定は、ｅＮｏｄｅＢの異なるペアから（またはＵＥ３０２によって測定される２つのセルを共通のｅＮＢがサポートする場合、セルの異なるペアから）ＵＥ３０２によって受信されるＰＲＳ信号間の正確な時間差を測定することからなる。ＵＥ３０２は次いで、各測定結果の測定品質の推定値（たとえば、これは各時間差測定における測定誤差の推定値であり得る）とともに、これらの測定された時間差をＥ−ＳＭＬＣ３５５に報告する。これらの時間差の推定値と、ｅＮｏｄｅＢの場所および任意の送信時間オフセットについての知識とを使用して、Ｅ−ＳＭＬＣ３５５はＵＥ３０２の場所を推定する。ＯＴＤＯＡのいくつかの実装形態では（たとえば、ＯＴＤＯＡがＬＰＰｅと組み合わされたＬＰＰを使用してサポートされるとき）、ＵＥ３０２は、各セルおよび任意の送信時間オフセットに対するｅＮｏｄｅＢ（たとえば、ｅＮＢアンテナ）の場所を備えるＬＰＰ／ＬＰＰｅ支援データをＥ−ＳＭＬＣ３５５がＵＥ３０２に提供している場合、ＯＴＤＯＡ時間差測定を行えるだけではなく、これらの測定結果から位置推定を計算することもできる。
【００４９】
[0066]ＳＵＰＬユーザプレーンの位置特定方法が制御プレーンの方法の代わりに使用されるとき、同様の手順が、ＯＴＤＯＡの使用のために可能である。この場合、ＳＬＰ（たとえば、図３ＡのＥ−ＳＬＰ３３５）およびＵＥ（たとえば、ＵＥ３０２）は、ＴＣＰ／ＩＰを使用してＳＬＰとＵＥとの間で移送され得るＳＵＰＬメッセージ（たとえば、ＳＵＰＬ  ＰＯＳメッセージ）の内部に埋め込まれるＬＰＰメッセージ（または組み合わされたＬＰＰ／ＬＰＰｅメッセージ）を交換する。ＳＵＰＬの場合のＬＰＰ（またはＬＰＰ／ＬＰＰｅ）メッセージ交換は、制御プレーンの方法の場合のＬＰＰ（またはＬＰＰ／ＬＰＰ）メッセージ交換と同一であってよく、または類似していてよく（たとえば、ＬＰＰまたはＬＰＰ／ＬＰＰｅメッセージの同じシーケンスが移送され得る）、トランスポートの方法だけが異なり得る。
【００５０】
[0067]図３Ｃは、ＯＴＤＯＡを使用してネットワークにより支援される測位を行うための例示的なシステム３００Ｃを示す。図３Ｃは、異なるセルの中のｅＮＢからの固定されたＰＲＳシグナリング（たとえば、ここでＰＲＳシグナリングは、帯域幅、周波数、および変化しない他の特性のパラメータによって定義される）に、および／または、１つまたは複数のｅＮＢからのＰＲＳシグナリングの動的な適応を伴うＯＴＤＯＡ測位に、適用可能であり得る。ＰＲＳシグナリングの動的な適応は、（ｉ）ＵＥによるＰＲＳ信号のＯＴＤＯＡ測定の精度を改善するために、（ｉｉ）ＰＲＳ信号がＵＥによって受信され測定されることが可能な建物侵入の距離および／もしくは量を向上させるために、ならびに／または、（ｉｉｉ）他のより遠くのｅＮＢからＵＥによって受信されるＰＲＳ信号に対する、ＵＥに近いｅＮＢの場合のＰＲＳ信号による干渉のレベルを下げるために、特定のセル内のＰＲＳシグナリングの品質を一時的に変更すること（たとえば、ＰＲＳの帯域幅、ＰＲＳの反復レート、および／またはＰＲＳの送信出力を一時的に上げること）を指す。ＰＲＳ信号の適応は、位置特定サーバによって、ｅＮＢによりサポートされる１つまたは複数のセルのために、あるｅＮＢにおいてスケジューリングされ得る。適応ＰＲＳスケジューリングのさらなる詳細が、本明細書において後で与えられる。
【００５１】
[0068]図３Ｃを参照すると、システム３００Ｃは、基準セル３２０および１つまたは複数の近隣セル３２２などの、１つまたは複数のネットワークセル（これはｅＮｏｄｅＢ２０２、２０５、および２１０、ｅＮｏｄｅＢ３０５などのセルに、または、ｅＮｏｄｅＢ２０２、２０５、および２１０ならびに／もしくはｅＮｏｄｅＢ３０５自体に対応し得る）を含み得る。ある例では、基準セル３２０および／もしくは近隣セル３２２または他の非基準セルが、１つまたは複数のＵＥ３０２によって受信（たとえば、測定）され得る信号（たとえば、ＰＲＳ信号）を送信することができる。基準セル３２０および／または近隣セル３２２の１つもしくは複数は、任意のＵＥ３０２のためのサービングネットワークセルまたは任意のＵＥ３０２のための非サービングネットワークであり得る。
【００５２】
[0069]一態様によれば、任意のＵＥ３０２および／またはシステム３００Ｃ内の他のエンティティ（たとえば、位置特定サーバ３１０）が、ＯＴＤＯＡを使用してＵＥ３０２の場所を決定することができ、ここで、タイミング測定は、ＬＴＥによってサポートされる基準信号（たとえば、ＰＲＳ信号）のために、ならびに／または、基準セル３２０および／もしくは近隣セル３２２によって送信される他の高度に検出可能なパイロット信号などのために、行われる。本明細書で全般に使用されるように、「近隣セル（ｎｅｉｇｈｂｏｒｉｎｇ  ｃｅｌｌ）」または「近くのセル（ｎｅｉｇｈｂｏｒ  ｃｅｌｌ）」は、所与のＵＥ３０２のためのサービングネットワークセルの近く（たとえば、隣接していること、または近いが分離されていることを含む）にある、または、別様にＵＥ３０２の近くにある（たとえば、ＵＥ３０２から数マイル以内にあるｅＮＢによって送信される）セルを指すために使用される。しかしながら、指定された基準セル３２０と接するネットワークセルなどの他の適切なネットワークセルが、本明細書で説明されるように追加で利用され得る。
【００５３】
[0070]システム３００Ｃにおいて示されるように、ＵＥ３０２は、システム３００Ｃ内で場所決定を実行するために、場所決定モジュール３３２および／または他の適切な手段を利用し得る。ある例では、ＵＥ３０２は、場所決定を行うのを助けること、ＰＲＳ信号をより迅速におよび／もしくはより確実に取得して測定すること、測定の複雑さを下げること、ＵＥ３０２の性能を改善すること、ならびに／または他の適切な目的のために、測位支援データを利用することができる。いくつかの実装形態では、測位支援データは、（ｉ）（たとえば、グローバルなセル識別子および／またはローカルな物理セル識別子を使用した）基準セル３２０および／もしくは近隣セル３２２の識別、（ｉｉ）基準セル３２０および／もしくは近隣セル３２２によって送信されるＰＲＳ信号の識別もしくは特性（たとえば、ＰＲＳの帯域幅、ＰＲＳのサブフレーム割当て、ＰＲＳの符号化）、（ｉｉｉ）基準セル３２０および近隣セル３２２によって送信されるＰＲＳ信号間の相対的な送信時間差、（ｉｖ）各近隣セル３２２のためにＵＥ３０２によって行われることが（たとえば、位置特定サーバ３１０によって）予想される概略的なＲＳＴＤ測定、ならびに／または、（ｖ）基準セル３２０および／もしくは近隣セル３２２のためのｅＮＢアンテナの位置などの情報を含み得る。測位支援データはさらに、本明細書において後で論じられるように、適応ＰＲＳスケジューリング情報を含み得る。
【００５４】
[0071]図３Ｃにさらに示されるように、測位支援データは、システム３００Ｃと関連付けられる位置特定サーバ３１０からＵＥ３０２によって取得され得る。位置特定サーバ３１０は、Ｅ−ＳＭＬＣ３５５などのＥ−ＳＭＬＣ、緊急ＳＵＰＬ位置特定プラットフォーム（Ｅ−ＳＬＰ）３３５などのＥ−ＳＬＰ、ｅＮＢ、または、場所決定モジュール３３２の実行を助けるための情報をＵＥ３０２に提供できる任意の他のエンティティであり得る。場所決定モジュール３３２は、従来のシステムであってよく、または、後で説明されるように、ＰＲＳのデューティサイクルを上げるために使用され得る、ＰＲＳの新しいバージョンを復号するための能力を含み得る。場所決定モジュール３３２は、異なる基準セル３２０および／または近隣セル３２２によって送信されるＰＲＳ信号の測定を行うために（たとえば、１つの基準セル３２０およびいくつかの異なる近隣セル３２２の各々によって送信されるＰＲＳ信号のＲＳＴＤ測定を行うために）ＵＥ３０２によって使用されてよく、この測定結果は、位置特定サーバ３１０がＵＥ３０２のための位置推定を計算することを可能にするために、ＵＥ３０２によって位置特定サーバ３１０に返される。代替的に、場所決定モジュール３３２は、異なる基準セル３２０および／または近隣セル３２２によって送信されるＰＲＳ信号の測定を行うために、ならびに、（たとえば、位置推定の決定を助けるために位置特定サーバ３１０から受信される測位支援データを使用して）これらの測定結果から位置推定を計算するために、ＵＥ３０２によって使用され得る。
【００５５】
[0072]ある例では、位置特定サーバ３１０は、測位支援メッセージ生成器３１２を含んでよく、適応ＰＲＳスケジュールを生成してシステム３００Ｃ内で通信することによって、それぞれのＵＥ３０２の測位を協調させることができる。たとえば、位置特定サーバ３１０は、どの測位支援メッセージ生成器３１２が適応ＰＲＳメッセージングを生成するために利用され得るかに基づいて、ネットワークセルのグループを識別するように構成され得る。識別されるネットワークセルのグループは、たとえば、１つまたは複数のネットワークユーザ（たとえば、ＵＥ３０２）のためのサービングネットワークセル、基準セル３２０（たとえば、ＵＥのためのサービングネットワークセルでもあり得る）、および１つまたは複数の近隣ネットワークセルを含み得る。さらに、識別されたネットワークセルの一部またはすべてが、図４Ａについて後で説明されるスタンドアロンのｅＮＢビーコン４００などの、スタンドアロンのｅＮＢビーコンによってサポートされ得る。
【００５６】
[0073]一態様によれば、測位支援メッセージ生成器３１２は、本明細書でさらに詳細に説明されるような様々な方式で、所与のＵＥ３０２のための測位支援データを生成するために利用され得る。そのようなデータを生成すると、位置特定サーバ３１０は、１つまたは複数の測位支援メッセージ（たとえば、ＬＰＰまたはＬＰＰ／ＬＰＰｅ測位支援メッセージ）を介して、所与のＵＥ３０２に生成されたデータを移送することができる。ある例では、位置特定サーバ３１０によって生成され移送される測位支援メッセージは、以下で説明されるような適応ＰＲＳスケジューリング情報を含み得る。
【００５７】
[0074]米国連邦通信委員会（ＦＣＣ）は、２０１７年に開始することが計画されている、セルラーワイヤレス手段を使用して米国の屋内で行われるＥ９１１の呼に対して、５０メートルの位置特定精度を命令している。支援される全地球的航法衛星システム（Ａ−ＧＮＳＳ）、改良されたセルＩＤ（ＥＣＩＤ：Enhanced Cell ID）、ＯＴＤＯＡなどの、ＵＥを位置特定するための既存の屋外の方法は、この屋内での精度を達成することが可能ではないことがある。図１のアクセスポイント１２５などの、ワイヤレスローカルエリアネットワーク（ＷＬＡＮ）アクセスポイントの位置を使用すると、この精度以上のものを達成することがあるが、常に信頼できるとは限らない。たとえば、いくつかの位置では、ＵＥはＷＬＡＮ  ＡＰを検出しないことがある、加えて、ターゲットＵＥによって検出されるいずれのＷＬＡＮ  ＡＰも、既知の正確な位置を有しないことがあり、または、ＡＰは既知の位置を有し得るが、位置が取得された後でこの位置から移動していることがある。
【００５８】
[0075]ＬＴＥのためのＯＴＤＯＡは、本明細書で説明される改良を用いて、屋内精度の要件を達成することができる。ＬＴＥのためのＯＴＤＯＡがＥ９１１の呼について５０メートル以上の屋内精度を達成するには、高いＰＲＳのデューティサイクルが使用される必要がある可能性があり、この場合、ＯＴＤＯＡ  ＲＳＴＤ測定のために使用されるＰＲＳ信号が頻繁に送信され、事業者の利用可能なダウンリンク帯域幅の大きな部分（たとえば、２５％から１００％）が使用される必要があり得る。そのようなＰＲＳのデューティサイクルは、事業者が屋外での位置特定の用途に採用すると思われるものよりも、はるかに高い必要があり得る。しかしながら、そのようなＰＲＳのデューティサイクルについての問題は、大量の免許帯域幅がＯＴＤＯＡ  ＰＲＳのために割り振られる必要がある可能性があるということであり、これは音声およびデータのトラフィックのためのネットワーク容量を減らす。
【００５９】
[0076]したがって、適応的なＰＲＳのデューティサイクルが、屋内の位置特定の改良のために使用され得る。ある態様では、事業者の帯域幅のＰＲＳ使用率は、屋内にある、またはあり得る(または、密集した都市エリアなどの何らかの困難な屋外環境にある)ＵＥの正確な位置を得ることが重要である場合、Ｅ９１１の呼の需要に、および場合によっては位置特定の他の用途に対して適応される。ｅＮｏｄｅＢの近くに位置特定される必要のあるＥ９１１の通報者がいないとき、ｅＮｏｄｅＢによってサポートされるセルは、「ノーマルＰＲＳモード」（「非緊急ＰＲＳモード」とも呼ばれる）で動作することができ、このモードでは、少量の帯域幅だけがＰＲＳ信号に割り振られる。しかしながら、ｅＮｏｄｅＢの近くの、場合によっては屋内のＥ９１１の通報者が位置特定される必要があるとき、ｅＮｏｄｅＢは「緊急ＰＲＳモード」に切り替わることができ、このモードでは、より高い割合の帯域幅（たとえば、拡大された周波数範囲）および／またはより高い送信出力がＰＲＳ信号に割り振られ、これによって、建物侵入と、信号取得と、ＵＥによる測定精度とを改善する。緊急ＰＲＳモードがノーマルＰＲＳモードにおいて使用され得るＰＲＳ測位機会を含む場合、緊急ＰＲＳモードは、緊急ＰＲＳモードをサポートせずノーマルＰＲＳモードだけをサポートする従来のＵＥと後方互換性があり得る。たとえば、緊急ＰＲＳモードは、図５において後で説明されるように定期的に繰り返され得る最大で６つの連続するＰＲＳサブフレームを含んでよく、緊急ＰＲＳモードが含まれない３ＧＰＰ  ＴＳ  ３６．２１１および３６．３５５におけるＯＴＤＯＡの既存の定義に従ってコーディングされ、帯域幅を使用し得る。従来のＵＥは次いで、緊急ＰＲＳ送信のこの部分を測定し、緊急ＰＲＳモードの一部としてｅＮＢによっても送信され得る追加のＰＲＳサブフレームまたは異なるように符号化されたＰＲＳサブフレームを無視することができる。
【００６０】
[0077]関連する態様では、緊急モードにおけるＰＲＳ信号間の干渉が低減されることが可能であり、ノーマルＰＲＳモードと緊急ＰＲＳモードとを異なるｅＮｏｄｅＢがいつ切り替えるかをスケジューリングすることによって、緊急ＰＲＳモードのためのさらに高いＰＲＳのデューティサイクルが可能にされ得る。具体的には、ターゲットＵＥの近くのｅＮｏｄｅＢにおける緊急ＰＲＳモードの持続時間は、少数のｅＮｏｄｅＢだけが同じ時間において緊急ＰＲＳモードを使用するように、千鳥状にされ得る。スケジューリング時間は、ターゲットＵＥのためのサービングセル（または他の基準セル）に対して参照され、Ｅ−ＳＭＬＣまたはＳＵＰＬ位置特定プラットフォーム（ＳＬＰ）によって提供される支援データにおいてＵＥに知らされ得る。
【００６１】
[0078]図４Ａは、屋内でのＯＴＤＯＡの使用を可能にする、図３Ａ〜図３Ｂに示されるＬＴＥネットワークにおけるＥ９１１の位置特定のためのシステムアーキテクチャの例示的な拡張を示す。図４Ａに示されるアーキテクチャは、制御プレーンの方法に適用され、Ｅ９１１の呼がある場合またはない場合のいずれでも、ＬＴＥアクセスを用いたＵＥの位置特定に適用され得る。
【００６２】
[0079]図４Ａに示されるＬＴＥアーキテクチャでは、スタンドアロンのｅＮＢビーコン４００が、図３Ａ〜図３Ｂに示されるＬＴＥ  Ｅ９１１の位置特定アーキテクチャに追加されている。図４Ａの例では、ｅＮＢビーコン４００（図２のｅＮＢ２０２、２０５、および２１０のいずれかに対応し得る）は、場合によってはＳ１リンクを通じて、たとえばＭＭＥ３１５に接続され、屋内の位置に対するさらなるカバレッジを提供する。ｅＮＢビーコン４００は、スタンドアロンのビーコンとして動作し、このビーコンは、ＵＥの測位をサポートするためにＰＲＳ信号を送信でき、ＬＴＥマスター情報ブロック（ＭＩＢ）および１つまたは複数のＬＴＥシステム情報ブロック（ＳＩＢ）などの、ＵＥの取得とＰＲＳの測定とをサポートするために必要とされる情報も送信することがあるが、ＵＥによる通常のＬＴＥアクセスをサポートするためのデータまたは制御情報を送信または受信しないことがある（たとえば、音声とデータとを送信して受信する目的でのＵＥによるワイヤレスアクセスをサポートしないことがある）。本明細書で後で論じられるように、スタンドアロンのｅＮＢビーコン４００（ｅＮＢビーコンとも呼ばれる）は、ＭＭＥ３１５へのワイヤレスバックホールリンクを使用して接続されてよく、または、ＭＭＥへの直接のリンクを有しないがドナーｅＮＢとして知られている別のｅＮＢへの直接のリンクを代わりに有する、レピータもしくは中継ノード（ＲＮ）としてサポートされ得る。ｅＮＢビーコン４００は、測位ビーコンの特定の例である。ｅＮＢビーコン、スタンドアロンのｅＮＢビーコン、ＲＮビーコン、および測位ビーコンという用語はすべて、１つまたは複数のターゲットＵＥの測位を支援するために測位基準信号を送信し、１つまたは複数のＵＥへのワイヤレスアクセス（たとえば、音声とデータの接続性のための）を提供することなどの他の機能をサポートすることもまたはしないこともある、ＲＡＮ中のエンティティを指すために、本明細書において使用される。さらに、ｅＮＢビーコン、スタンドアロンのｅＮＢビーコン、およびＲＮビーコンは、測位ビーコンの特定の例であり得る。
【００６３】
[0080]図４ＡのＭＭＥ３１５はまた、Ｓ１インターフェースを通じてＵＥ３０２のためのサービングｅＮｏｄｅＢ３０５と、および、Ｓ１０インターフェースを通じてＭＭＥ４２０と通信することができ、ＭＭＥ４２０は、Ｓ１インターフェースを通じて別のｅＮｏｄｅＢ４１０と通信することができる。ｅＮｏｄｅＢ３０５および４１０（図２のｅＮｏｄｅＢ２０２、２０５、および２１０のいずれか、および／または、図３Ａおよび図３ＢのｅＮｏｄｅＢ３０５に対応し得る）は各々、音声およびデータの移送のためのＵＥによるＬＴＥアクセスをサポートする際にノーマルｅＮＢとして動作することができ、ＵＥのＯＴＤＯＡ測位をサポートするためにＰＲＳ信号を各々追加で送信することができる。ＵＥ３０２からの緊急通報の場合、スタンドアロンのｅＮＢビーコン４００は、高デューティサイクルまたは全デューティサイクルで緊急ＰＲＳモードにて送信することができ、サービングｅＮｏｄｅＢ３０５および／または他のｅＮｏｄｅＢ４１０は、以下で論じられるように、高デューティサイクルで緊急ＰＲＳモードにて送信することができる。ＵＥ３０２は、スタンドアロンのｅＮＢビーコン４００、サービングｅＮｏｄｅＢ３０５、および／または他のｅＮｏｄｅＢ４１０からの緊急ＰＲＳモードに対する適応されたＰＲＳ信号、ならびに、場合によっては、図４Ａに示されない他のｅＮＢからの緊急ＰＲＳモードに対する適応されたＰＲＳ信号を受信することができる。
【００６４】
[0081]図４Ｂは、図３Ａ、図３Ｂ、および図４Ａに示されるものなどの、制御プレーンの位置特定方法が使用される場合、緊急モードＰＲＳスケジューリングを構成するための例示的なメッセージングフローを示す。図４Ｂは、いくつかのセルのためのｅＮＢ３０５において適応ＰＲＳを構成するための、Ｅ−ＳＭＬＣ３５５から１つまたは複数のｅＮＢ３０５へのＬＰＰａメッセージの移送を示す。図４ＢのｅＮＢ３０５は、図４ＡのサービングｅＮＢ３０５に対応し得るだけではなく、これらのｅＮＢにおいて適応ＰＲＳを構成するという観点から、図４ＡのスタンドアロンのｅＮＢビーコン４００と他のｅＮＢ４１０とをも表し得る。図４ＢのｅＮＢ３０５が図４ＡのｅＮＢビーコン４００に対応する場合、ｅＮＢ３０５とＭＭＥ３１５との間のリンクは、本明細書でより詳細にさらに説明されるように、中間エンティティを介して、およびワイヤレスバックホールを使用して移送され得る。図４ＢのＥ−ＳＭＬＣ３５５とｅＮＢ３０５との間で移送されるＬＰＰａメッセージは、緊急ＰＲＳモードの開始（たとえば、開始時間または開始ＬＴＥシステムフレーム番号）、ならびに／または、何らかのターゲットＵＥ３０２からのＥ９１１の呼の冒頭のある時間期間（たとえば、３０秒）の間の、（本明細書で後で説明されるような）ＰＲＳ送信の適応的な送信中断および／もしくは非ＰＲＳダウンリンク送信の適応的な送信中断の開始（たとえば、開始時間または開始ＬＴＥシステムフレーム番号）を示し得る。Ｅ−ＳＭＬＣ３５５によって送信されるＬＰＰａメッセージは、ＭＭＥ３１５などのＭＭＥを介してｅＮＢ３０５に（または各ｅＮＢ３０５に）移送され得る。ＬＰＰａメッセージは、受信側のｅＮＢ３０５によって肯定応答され得るが、（破線によって示されるように）その必要はない。ｅＮＢ３０５に送信されるＬＰＰａメッセージは、受信側のｅＮＢ３０５によってサポートされる１つまたは複数のセルのための詳細なＰＲＳ送信パラメータおよび／またはＰＲＳ送信中断パラメータ（たとえば、影響を受けるサブフレーム、影響を受ける周波数、使用されるべき任意の新しいＰＲＳの周波数シフトまたは符号化、持続時間、開始時間など）を含んでよく、または単に、参照（たとえば、「緊急ＰＲＳモード」を示すフラグ、または、事前に構成されたＰＲＳ送信を参照する数値ラベル、および、ｅＮＢ３０５によってサポートされる１つまたは複数のセルのためのｅＮＢ３０５における送信中断パラメータ）を含み得る。ＬＰＰａメッセージは、さらに、または代わりに、詳細なＰＲＳ送信パラメータとＰＲＳ送信中断パラメータとを用いてターゲットＵＥ３０２のためのサービングセルもしくは概略的な位置、および／または、ｅＮＢ３０５においてすでに前もって構成されている適応ＰＲＳ（たとえば、緊急ＰＲＳモード）が適用されるべきセルを示し得るので、ｅＮＢ３０５は、構成されたデータからＰＲＳ送信パラメータとＰＲＳ送信中断パラメータと影響を受けるセルとを探すために、または別様に発見するために、そのサービングセルまたは概略的なＵＥの位置を使用することができる。詳細なＰＲＳ送信パラメータおよびＰＲＳ送信中断パラメータは、ＰＲＳの送信および送信中断がどのように、ｅＮＢ３０５によってサポートされる１つまたは複数のセルにおいて修正されるべきかということと、どの時間期間（またはＬＴＥシステムフレームのどのシーケンス）にわたってこの修正が維持されるべきかということとを定め得る。本質的に、ｅＮＢ３０５（および任意の数のｅＮＢ３０５）は、緊急通報（または他の緊急事態または高優先度の条件）が原因の位置特定が近くのＵＥに対して必要とされないときは、通常の条件のもとでノーマルＰＲＳモードにてＰＲＳの送信と送信中断とをサポートし得るが、緊急通報または他の緊急事態または高優先度の位置特定関連の条件に伴い近くのＵＥに対して位置特定が必要とされるときは、緊急ＰＲＳモードのためのＰＲＳ送信パラメータおよびＰＲＳ送信中断パラメータへと一時的に切り替え得る。
【００６５】
[0082]図５は、例示的なＰＲＳのデューティサイクルの時間シーケンス５００を示す。図５は、システムフレーム番号（ＳＦＮ）が０であるシステムフレーム中のサブフレーム０における送信で開始し、（図５のはるかに右側にあり、図５には具体的に示されていない）ＳＦＮが１０２３に等しいシステムフレームの最後のフレームからの送信にまで延びる、ｅＮＢによってサポートされる特定のセルにおけるｅＮＢ（たとえば、ｅＮＢ３０５）からのＬＴＥサブフレーム送信のシーケンスを示す。ＦＤＤモードのＬＴＥでは、３ＧＰＰ  ＴＳによれば、各サブフレームは１ミリ秒（ｍｓ）の持続時間を有し、各システムフレームは１０個のサブフレームからなり、１０ｍｓの持続時間を有する。システムフレームは、無線フレームとも呼ばれることがあり、または単にフレームとも呼ばれることがある。連続するシステムフレームは、０から１０２３の番号を付けられ、その後、この番号付けは、後続のシステムフレームに対して０から再び開始する。したがって、図５は、ＬＴＥのために個別に、および別々に（サブフレームとシステムフレームの番号付けを介して）参照され得る、サブフレームの最長のセットにわたる送信を示す。図５では、左から右に向かう水平方向の線によって、増大する時間が表される。ＰＲＳを送信するために使用され、３ＧＰＰ  ＴＳにおいて（たとえば、３ＧＰＰ  ＴＳ  ３６．２１１および３６．３５５において）「ＰＲＳ測位機会」と呼ばれる、連続するサブフレームのグループが、対角方向に縞のある長方形によって図５において表されている。
【００６６】
[0083]３ＧＰＰによって（たとえば、ＴＳ  ３６．２１１において）定義されるように、ＯＴＤＯＡのためのＰＲＳを送信するために使用されるサブフレームのシーケンスは、（ｉ）帯域幅（ＢＷ）の予備のブロックと、（ｉｉ）構成インデックスＩPRS（これは、ＳＦＮが０であるサブフレーム０の開始から最初のＰＲＳ測位機会までのオフセットΔPRSと、連続するＰＲＳ測位機会に対するサブフレーム単位での周期ＴPRSの両方を定義する）と、（ｉｉｉ）持続時間ＮPRS（各ＰＲＳ測位機会における連続するＰＲＳサブフレームの数を定義する）と、（ｉｖ）送信中断パターン（送信中断パターンに従ってＰＲＳ信号が送信されるかまたは送信中断されるかのいずれかである、連続するＰＲＳ測位機会のシーケンスを定義する）と、（ｖ）（ｉｖ）の送信中断パターンの一部として暗黙的に含まれ得る送信中断シーケンス周期ＴREPとを備える、いくつかのパラメータによって特徴付けられ、定義される。いくつかの場合、かなり低いＰＲＳのデューティサイクルでは、ＮPRS＝１であり、ＴPRS＝１６０サブフレームであり（１６０ｍｓと等価である）、ＢＷ＝１．４、３、５、１０、１５、または２０ＭＨｚである。ＰＲＳのデューティサイクルを上げるために、ＮPRS値は６に上げられてよく（すなわち、ＮPRS＝６）、ＢＷ値はＬＴＥのシステム帯域幅に上げられてよい（すなわち、ＢＷ＝ＬＴＥのシステム帯域幅）。最高で全デューティサイクル（すなわち、ＮPRS＝ＴPRS）までの、より大きなＮPRS（たとえば、６よりも大きい）とより短いＴPRS（たとえば、１６０ｍｓよりも短い）とを有する拡大された適応ＰＲＳが、たとえば、３ＧＰＰ  ＴＳ  ３６．３５５においてＯＴＤＯＡの既存の定義を修正することによっても使用され得る。たとえば、通常データと音声のサポートのためのＬＴＥのシステム帯域幅を確保するために必要とされないスタンドアロンのｅＮＢビーコン（たとえば、図４ＡのｅＮＢビーコン４００）は、標準で、または緊急ＰＲＳモードを使用するときに、全デューティサイクルでのＰＲＳ送信をサポートし得る。
【００６７】
[0084]ＴＤＤを使用するＬＴＥの場合、システムフレームは各々、持続時間がやはり１０ｍｓであり、各々が、アップリンク送信またはダウンリンク送信のために８つの利用可能なサブフレームを備える。ＦＤＤのために上で説明されたＰＲＳパラメータが次いで、どのダウンリンクサブフレームでＰＲＳ送信が発生するかを定義するために使用される。具体的には、オフセットΔPRSは、システムフレーム０における最初のダウンリンクサブフレームから最初のＰＲＳサブフレームまでのダウンリンクサブフレームの数を与え、持続時間ＮPRSは、各ＰＲＳ測位機会における連続するダウンリンクＰＲＳサブフレームの数を与え、周期ＴPRSは、連続するＰＲＳ測位機会の始点間のダウンリンクサブフレームの数を与える。ＦＤＤモードと同様に、拡大された適応ＰＲＳは、たとえば緊急ＰＲＳモードのために定義され得る。
【００６８】
[0085]事業者の帯域幅のＰＲＳの使用率がＥ９１１の呼の需要に適応される場合、ＰＲＳのデューティサイクルおよび（セルごとまたはセクタごとの）ＰＲＳの出力は、Ｅ９１１の位置特定サービスが近くのＵＥにより必要とされているかどうかに基づいて適応され得る。事業者は、デューティサイクル（たとえば、帯域幅ＢＷ、オフセットΔPRS、持続時間ＮPRS、周期ＴPRS）と、（たとえば、ｅＮＢによってサポートされる各セルに対する）各ｅＮｏｄｅＢにおける２つ（またはそれより多く）のモードに対する送信中断とを含む、ＰＲＳパラメータを構成し得る。構成パラメータはまた、図１８に関連して本明細書において後で説明されるように、送信ダイバーシティの使用についての情報を含み得る。たとえば、事業者は、「ノーマルモード」（またはノーマルＰＲＳモード）および「緊急モード」（または「緊急ＰＲＳモード」）のためのＰＲＳパラメータを構成し得る。スタンドアロンのｅＮＢビーコンはまた、干渉と電力使用量を減らすように適応され得る。ノーマルモードでのＰＲＳの構成は、屋外でのＵＥの位置特定のために、または、ＵＥは屋内にあり得る場合は低優先度の位置特定の用途に使用されてよく、使用されるダウンリンクの事業者の帯域幅の部分が小さく（たとえば、２％以下に）なるように、ＰＲＳパラメータを構成することができる。緊急モードでのＰＲＳの構成は、（たとえば、Ｅ９１１の呼などのために）位置特定の優先度が高い場合に、屋内または困難な屋外の環境にあることが知られている、またはそのような場所にあり得るＵＥの位置特定のために使用されてよく、ダウンリンクの事業者の帯域幅のうちのより大きな割合（たとえば、２％よりも多く最高で１００％）を使用し得る。
【００６９】
[0086]ｅＮｏｄｅＢによるあらゆるセルに対するノーマルＰＲＳモードと緊急ＰＲＳモードの切替えは、（ｉ）３ＧＰＰ  ＴＳ  ３６．４１３において定義されるＳ１−ＡＰプロトコルを使用してターゲットＵＥ（すなわち、位置特定されるべきＵＥ）にサービスしているＭＭＥ、（ｉｉ）ＬＰＰａプロトコルを使用してＵＥ（「ターゲットＵＥ」と呼ばれる）を位置特定することを試みているＥ−ＳＭＬＣ、または（ｉｉｉ）Ｘ２プロトコルを使用するターゲットＵＥのためのサービングｅＮｏｄｅＢのいずれかによって命令され得る。サービングＭＭＥおよびサービングｅＮｏｄｅＢの制御は、緊急通報のための位置特定の場合、制御プレーンの位置特定方法とＳＵＰＬの位置特定方法の両方で使用され得る。これは、ＬＴＥにおいてＬＴＥ緊急通報のための緊急ＰＤＮ接続または緊急ベアラとして知られているものをＵＥが取得することが原因で、ＵＥが緊急通報を引き起こしていることをサービングＭＭＥおよびサービングｅＮｏｄｅＢの各々が認識し得るからである。したがって、サービングＭＭＥまたはサービングｅＮｏｄｅＢは、制御プレーンの位置特定の場合はＥ−ＳＭＬＣによって、またはＳＵＰＬの位置特定の場合はＥ−ＳＬＰによって位置が取得される前に、ターゲットＵＥの近くのセルにおいて緊急ＰＲＳモードを構成するために、他のｅＮｏｄｅＢに情報を送信することができる。しかしながら、Ｅ−ＳＭＬＣの制御には、緊急ＰＲＳモードに適用可能な適応されたＰＲＡパラメータをＥ−ＳＭＬＣ（またはＥ−ＳＭＬＣと関連付けられるＳＬＣ）がターゲットＵＥに送信できるようにして、それによって、各セル中のどのサブフレームがＰＲＳを送信するために使用されるかをターゲットＵＥが知れるようになるという、追加の利点があり得る。ＧＳＭ、ＷＣＤＭＡ、またはｃｄｍａ２０００  １ｘ  ＣＳ（回線交換）接続を使用して緊急通報を確立するＵＥでは、位置特定サーバ（この場合はＳＭＬＣ、ＳＡＳ、またはＰＤＥ）は、関連するＥ−ＳＭＬＣに緊急ＰＲＳモードの構成変更を近くのｅＮｏｄｅＢへ送信させるために、関連するＥ−ＳＭＬＣと対話することができ、位置特定サーバはまた、緊急ＰＲＳモードパラメータをＵＥに転送することができる。
【００７０】
[0087]事業者は、ＵＥサービングセルに基づいてｅＮｏｄｅＢにおけるモード変更を構成し得る（たとえば、ＵＥにおける信号強度が良好であるので緊急ＰＲＳモードを必要としないことがあるサービングｅＮｏｄｅＢではノーマルモードを使用するが、他の近くのｅＮｏｄｅＢでは緊急ＰＲＳモードを使用する）。たとえば、事業者は、計算または実際の測定のいずれか、または両方を介して、特定のサービングセルの中の最も多くのＵＥによって取得され正確に測定され得るＰＲＳを、どの近くのセルが送信することが可能であり得るかを決定し得る。この特定の近くのセルは、正確なＯＴＤＯＡの位置特定の計算を可能にするのに、および、地理的な正確さの喪失による位置特定の精度の低下を避けるために（ターゲットＵＥから１つまたは少数の方向だけではなく）ターゲットＵＥからすべての方向へのセルの測定を可能にするのに、十分な数（たとえば、２０個から８０個のセル）が測定に利用可能となるように、選ばれ得る。最適な構成は、手動で集められた、またはクラウドソーシングされた、ＵＥによるＰＲＳ測定結果（たとえば、オフピーク時間の間の試験的な緊急ＰＲＳモード）を介して評価され得る。たとえば、ネットワークにアクセスするＵＥは、いわゆる３ＧＰＰ  Ｍｉｎｉｍｉｚａｔｉｏｎ  ｏｆ  Ｄｒｉｖｅ  Ｔｅｓｔ（ＭＤＴ）の測定を実行するようにネットワークによって命令されることがあり、この測定では、ＵＥは近くのセルからのＰＲＳ送信の特性（たとえば、信号強度、信号品質、および／またはＲＳＴＤ）を測定し、加えて、ＵＥのサービングセル、ＵＥの位置、および／またはＵＥの位置関連の測定結果（たとえば、ＲＳＴＤ測定結果）を、ネットワーク中のＭＤＴサーバに報告する。これは、一部またはすべてのセルが緊急ＰＲＳモードを使用している、オフピーク時間の間に行われ得る。事業者は次いで、ネットワークの各セルにおいて、緊急ＰＲＳモード送信がどのセルに対して正確に測定され得るかを決定するために、結果を評価することができる。事業者は次いで、正確なＯＴＤＡ位置特定を可能にするのに十分な数の近くのセルからのＰＲＳ送信の、各サービングセル中のＵＥによる正確な測定を通常は可能にする、最適な構成を見つけるために、緊急ＰＲＳモード構成パラメータを調整することができる。この試行錯誤による測定および調整は、ＰＲＳ送信の帯域幅を最適化し得る（たとえば、必要なものよりも多くの、ＰＲＳのための帯域幅とサブフレームとを割り当てるのを避ける）だけではなく、他のセルからのＰＲＳの送信の間に一部のセルからの通常の送信および／またはＰＲＳの送信を中断することによって、干渉を減らすことも試み得る。
【００７１】
[0088]ノーマルＰＲＳモードと緊急ＰＲＳモードを異なるｅＮｏｄｅＢ／セルがいつ切り替えるかをスケジューリングする場合、多くのＥ９１１の呼が同じ小さなエリアにわたって一緒に発生するとき（たとえば、重大な事故または災害の場合）、単一のＵＥだけが位置特定されるときに通常影響を受けるエリアよりも広いエリアにわたる多数のセルにおいてＰＲＳのデューティサイクルが上げられる、第３の構成モードが有用であり得る。Ｅ−ＳＭＬＣ（またはＳＬＰ）は、広範な緊急事態が発生したと推測するのに最良の場所にある可能性があり、それは、Ｅ−ＳＭＬＣが、同じセルまたは近くのセルの中にあるＵＥと関連付けられるＥ９１１の呼のための多数の位置特定要求を受信するからである。多数のＥ９１１関連の位置特定が同じセルまたは近くのセルのセットに対して必要とされた場合、Ｅ−ＳＭＬＣ（またはＳＬＰ）は、ターゲットＵＥのためのすべてのサービングセルにわたって測定され得る第３のＰＲＳモードをセルにおいて呼び出し得る。第３のＰＲＳモードは、セル間の干渉を減らすために緊急モードよりも低いＰＲＳのデューティサイクルを有することがあり、または、他のセルからのＰＲＳ送信の間に一部のセルにおいて追加の送信中断を利用することがある。緊急ＰＲＳモードの構成はまた、たとえば、３ＧＰＰ  ＥＣＩＤの位置特定方法を使用して、ターゲットＵＥがどのセルを受信可能であるものとして報告するかに基づき得る。ある例として、（ターゲットＵＥにより提供されるＥＣＩＤ測定結果から）ターゲットＵＥによって受信可能であることが知られているセルは、ノーマルＰＲＳモードまたは緊急ＰＲＳモードのためのより低いＰＲＳのデューティサイクルを使用し続け得るが、受信可能であることが知られていない近くのセル（たとえば、サービングセルとして使用可能ではないセル）は、より高いＰＲＳのデューティサイクルにおいて緊急ＰＲＳモードに切り替え得る。
【００７２】
[0089]図６Ａは、適応的なＰＲＳの構成のための例示的なサブフレームシーケンス６００Ａを示す。異なるセルにおけるＰＲＳモードのあらゆる可能な組合せに対するノーマルＰＲＳモードおよび緊急ＰＲＳモードの構成を簡単にするために、セルはグループへと区分されてよく、各グループは、同じＰＲＳのオフセットと、ＰＲＳの周期と、ＰＲＳのシーケンス送信中断周期とのパラメータ値を使用し（すなわち、ＩPRSおよびＴREPのパラメータ値は同じであるが、場合によっては送信中断パターン、ＰＲＳの周波数、および／またはＰＲＳのコードシーケンスが異なる）、ここで、各グループに対する連続するＰＲＳサブフレームの数ＮPRSは、ノーマルＰＲＳモードに対してはより低い値を有し、緊急ＰＲＳモードに対してはより高い値を有する。図６Ａに示されるサブフレームシーケンス６００Ａは、ＬＴＥ送信がすべてのネットワークセルにおいて同期されるときに適用され得るので、同じサブフレーム（たとえば、システムフレーム０のサブフレーム０および各々の後続のサブフレーム）は、すべてのセルにおいて厳密に同時に送信される。
【００７３】
[0090]図６Ａは、左側のシステムフレーム０の中のサブフレーム０で開始し、（図６Ａには示されていない）はるかに右側のシステムフレーム１０２３の中の最後のサブフレームに向かって進行する、サブフレームのシーケンスにわたって異なるセルにおいて送信される、ＰＲＳのためのサブフレームの使用を示す。ノーマルモードにおけるＰＲＳおよび緊急モードにおけるＰＲＳのために使用されるサブフレームが、異なるグループに対して強調されている。セルの３つのグループがこの例では示されており、各グループのためのＰＲＳ測位機会が区別されている。送信は同期されているので、図６Ａは、セルの３つのグループのためのＰＲＳ測位機会が異なる時間に（サブフレームの異なるセットにおいて）発生し得ることと、セルの１つのグループがＰＲＳサブフレームを送信しているときに、セルの２つの他のグループがＰＲＳを送信していないこととを示す。図６Ａに示されるように、（この例では）ノーマルＰＲＳモードに対して１、および緊急ＰＲＳモードに対して６というＮPRS値を伴うセルの３つのグループについて、緊急モードのための測位機会の間に重複がなければ、セルの３つのグループのためのＰＲＳ測位機会の間の干渉は回避され得る。
【００７４】
[0091]図６Ａに示される送信の構成は、セルの任意の１つのグループによるＰＲＳ送信と、セルの２つの他のグループのいずれかによる非ＰＲＳ送信との間の干渉を、必ずしも回避しない（ただし本明細書において後で説明されるように、この干渉は回避されることが可能である）。したがって、いくつかの実装形態では、ネットワーク中のすべてのまたは大半のセルはあるグループ（たとえば、グループ１）に属してよく、他の２つのグループは存在しない。
【００７５】
[0092]図６Ｂは、セルの３つのグループにおける緊急ＰＲＳモードをスケジューリングするための例示的なサブフレームシーケンス６００Ｂを示す。スケジューリングに伴い、事業者の帯域幅の使用率に対する影響を減らすために、緊急ＰＲＳモードが、セルの１つのグループによって、セルの他のグループによる緊急ＰＲＳモードの送信とは異なる（たとえば、重複しない）時間期間の間に使用され得る。たとえば、セルの第１のグループ（たとえば、１つだけのセルまたは２つ以上のセルを備え得る）は、時間Ｔ（ＵＴＣ時間または現地時間などの何らかの時法に従った）から時間Ｔ＋ｔ（たとえば、Ｔは、ターゲットＵＥの位置特定を試みることの開始に対応し、ｔは、全体で３０秒が利用可能である場合、１０秒などの、ＵＥを位置特定するのに利用可能な全体の時間期間のうちのある部分である）まで、緊急ＰＲＳモードに切り替えられ得る。セルの第２のグループが次いで、時間Ｔ＋ｔとＴ＋２ｔの間、緊急ＰＲＳモードに切り替えられてよく、セルの第３のグループが、時間Ｔ＋２ｔとＴ＋３ｔの間、緊急ＰＲＳモードに切り替えられてよい。緊急ＰＲＳモードがスケジューリングされている時間以外の時間においては、セルの各グループはノーマルＰＲＳモードでＰＲＳを送信していてよい。この例では、セルの各グループは、時間ｔの間だけ緊急ＰＲＳモードを使用しているが、位置特定の全体の期間は３ｔ（またはそれ以上）である。したがって、セルの各グループがＵＥの位置特定の持続時間全体（たとえば、３ｔ以上の期間）において緊急ＰＲＳモードを送信する場合と比較して、事業者の帯域幅に対する影響が、セルの各グループについて低減される。
【００７６】
[0093]さらに、セルの各グループはセルの他のグループとは異なる時間期間ｔの間に緊急ＰＲＳを送信するので、異なるグループによるＰＲＳ送信の間の干渉が回避される。ターゲットＵＥは、セルの各グループがいつ緊急ＰＲＳモードで送信するかを（たとえば、Ｅ−ＳＭＬＣまたはＳＬＰによって）知らされ得るので、ＵＥは、各セルのためのＰＲＳの測定を、そのセルが（ノーマルＰＲＳモードではなく）緊急ＰＲＳモードで送信している間にのみ行うことが可能になる。
【００７７】
[0094]図６Ｂの例は、ノーマルＰＲＳモードと緊急ＰＲＳモードの両方に割り当てられたＰＲＳサブフレームと、緊急ＰＲＳモードのみに割り当てられたＰＲＳサブフレームとを区別するために、図６Ａで示された取り決めを使用して各グループ中のセルによるＰＲＳ送信のタイミングを示す。この例では、セルの各グループのための緊急ＰＲＳモードは、他の２つのグループのための緊急ＰＲＳ測位機会とは異なる時間に発生する、６つの連続するダウンリンクＰＲＳサブフレームを各々含む３つの連続するＰＲＳ測位機会からなる。いずれのセルも緊急ＰＲＳモードで送信していないとき、セルはノーマルＰＲＳモードで送信している（この例では測位機会は各々１つのＰＲＳサブフレームを備える）。したがって、図７Ｂに示されるように、ターゲットＵＥの近くのセルにおける緊急ＰＲＳモードは、セルの一部分（たとえば、セルの３分の１）に緊急ＰＲＳモードを使用して同時に送信させることによって、千鳥状にされ得る。これにより、（たとえば、ＰＲＳのために使用される事業者の帯域幅の量を減らすことによって）通常のトラフィックに対する影響を減らすことができ、近隣のセルのＰＲＳ送信の間の（たとえば、図６Ｂのグループ１、２、および３の中のセル間の）干渉を減らすことができ、ＯＴＤＯＡ測定の精度と、ＯＴＤＯＡ測定が行われ得るセルの数とを、緊急ＰＲＳモードの間のＰＲＳデューティサイクルの向上（たとえば、余剰の数のＰＲＳサブフレームおよび場合によってはより高い帯域幅およびより高い送信出力）により改善することができる。Ｅ−ＳＭＬＣ（またはＭＭＥまたはサービングｅＮＢ）は、各セルがノーマルＰＲＳモードから緊急ＰＲＳモードに切り替え、再びノーマルモードに戻る時間をスケジューリングすることができ、ＵＥに知らせることができる。ＵＥに与えられる時間スケジューリング情報は、ＯＴＤＯＡ基準セル、ＵＥサービングセル、またはスケジューリング情報が与えられるセルに関連するものであり得る。
【００７８】
[0095]より遠くのｅＮｏｄｅＢから送信されるＰＲＳ測位機会についてのターゲットＵＥにおける干渉を減らすために、ターゲットＵＥの近くのｅＮｏｄｅＢは、これらのＰＲＳ測位機会の間、それ自体のセルセクタの１つまたは複数におけるダウンリンク（ＤＬ）送信を中断することができる。そのような送信中断は本明細書では「適応的な送信中断」と呼ばれ、Ｅ−ＳＭＬＣ、ＭＭＥ、またはｅＮＢによって緊急ＰＲＳに関して構成され得る。この送信中断は、ノーマルモードまたは緊急モードのＰＲＳ測位機会の間に発生することがあり、この場合、送信中断されるセルに対して、ｅＮＢは、割り当てられたＰＲＳサブフレームにおいて、および割り当てられたＰＲＳ帯域幅の中で、ＰＲＳ信号を送信せず、代わりに何も送信しない（すなわち、送信中断される）。このタイプの送信中断は、送信中断されているｅＮＢとターゲットＵＥの両方に、（ＰＲＳがこのｅＮＢによってセル内でいつ送信されいつ送信されないかをＵＥが知るように）知らされる必要があり得る。しかしながら、送信中断は、ＰＲＳ測位機会の間にのみ発生しなければならないのではなく、さらに、または代わりに、他のダウンリンク（ＤＬ）サブフレーム（たとえば、測位と関連付けられないデータ、音声、または制御情報を送信するために通常は使用されるサブフレーム）の間にスケジューリングされ得る。ノーマルＤＬサブフレームのこの追加の送信中断は、他のセルからのＰＲＳ送信への干渉を減らすことができ、事業者のＤＬ帯域幅の実質的な減少を短期間に限定するために、緊急ＰＲＳモードのスケジューリングに関しては（たとえば、３０秒という）限られた期間の間にだけ発生するようにスケジューリングされ得る。これらのｅＮｏｄｅＢのＰＲＳ測位機会の一部を送信中断することに加えて（またはその代わりに）、ターゲットＵＥの近くのｅＮｏｄｅＢからの通常のＤＬ送信を中断することによって、それ自体のＰＲＳ測位機会が受ける干渉が減り、したがってそれ自体のＰＲＳ測位機会がターゲットＵＥによって取得され正しく測定され得る、遠くのｅＮｏｄｅＢの数を増やすことが可能になり得る。
【００７９】
[0096]極端な場合には、各ｅＮｏｄｅＢは、１０．２４秒ごとに少なくとも１つのセルにおいて少なくとも１つのＰＲＳ測位機会を送信することができ、この間、ターゲットＵＥの近くのすべてのｅＮＢは、ターゲットＵＥが受信できるセルにおいては送信中断される。そのような適応的な送信中断は、従来のＵＥとも後方互換性があり得る。それは、適応的な中断はターゲットＵＥが測定する必要のあるＰＲＳ測位機会には影響を与えないので、通常のＤＬ送信の適応的な送信中断は、ｅＮｏｄｅＢにしか提供される必要がなく、ターゲットＵＥによって知られる必要はないからである。適応的な送信中断は、ｅＮｏｄｅＢには影響するがＵＥには影響しない、既存のＰＲＳの送信中断の拡張と見なされ得る。
【００８０】
[0097]図６Ｃは、セルの３つのグループの間での適応的な送信中断を示す例示的なフレームシーケンス６００Ｃを示す。図６Ｃに示される例では、すべてのセルが、同じサブフレームおよびシステムフレームのタイミングに、概略的に、または厳密に同期され得る。図６Ｃは次いで、セルの３つのグループからのノーマルＰＲＳモードおよび緊急ＰＲＳモードのために使用されるＰＲＳ測位機会を示し、ここで、時間は、左から右に増大するように水平方向に表されており、セルの各グループに対するシステムフレーム０という始点が一番左側に示されており、システムフレーム１０２３という終点が図６Ｃの範囲を超えるはるか右側に示されており、したがって図６Ｃには示されていない。適応的な送信中断は、干渉を減らしながらＰＲＳ測位機会の頻度を上げるために使用され得る。
【００８１】
[0098]図６Ｃを参照すると、ノーマルＰＲＳモードのためのＰＲＳ測位機会は各々、１つのサブフレームを備えるが、緊急ＰＲＳモードでは、各々６つの連続するサブフレームを備える。緊急ＰＲＳモードのための（セルの３つのグループの各々のための）６つの連続するＰＲＳサブフレームの各グループ中の最初のサブフレームは、ノーマルＰＲＳモードの間に送信されるであろう単一のＰＲＳサブフレームを備える。緊急モードにおける全体で６つのＰＲＳサブフレームについて、次の５つのＰＲＳサブフレームは、ｅＮｏｄｅＢ／セルが緊急ＰＲＳモードにあるときだけ送信される。図６Ｃに示されるように、３つのグループ中のセルは、異なる重複しない時間において（緊急ＰＲＳ測位機会の各々に対して）６つのＰＲＳサブフレームを送信する。これは、特定のグループ中のセルが非ＰＲＳ送信に関しては互いに干渉し得るが、同時にＰＲＳ機会を送信することに関しては他のグループ中のセルと干渉しないことを意味する。
【００８２】
[0099]ＰＲＳはより高い出力で、およびより簡単に取得されるシンボルのシーケンスを用いて送信され得るので、他のセルが非ＰＲＳ信号を送信する間の、いくつかのセルからのＰＲＳの送信は、他のセルがターゲットＵＥの近くにない限り、大きな干渉を受けないことがある。しかしながら、ターゲットＵＥの近くのセル（たとえば、サービングセル）の場合、（たとえば、データ、音声、または制御情報の）通常の送信は、より遠くのセルからのＰＲＳ送信と干渉することがある。そして、１つまたは複数の遠くのセルからのＰＲＳ送信の間の、これらの近くのセルからの通常の送信を中断するために、適応的な送信中断が使用され得る。
【００８３】
[00100]これは、ターゲットＵＥの近くにあるグループ３中のセルという例示的な場合において、図６Ｃに示されている。このセル（図６Ｃにおいて４つの送信シーケンスの一番下によって示されるような）では、セルは、他のセルが緊急ＰＲＳモードを使用して送信しているとき、ダウンリンク送信を中断することができる。送信中断されたセルは、（この例では）ノーマルモードでのみＰＲＳを送信し、他のセルが緊急モードでＰＲＳを送信しているときはダウンリンク送信を中断する。送信中断されたセルのためのｅＮＢは、（送信中断されるｅＮＢがサービングｅＮＢではなく、サービングｅＮＢが送信中断と緊急ＰＲＳスケジューリングとを制御しない限り）Ｅ−ＳＭＬＣ、ＭＭＥ、またはサービングｅＮｏｄｅＢなどのＰＲＳスケジューリングを制御するネットワークエンティティから（たとえば、通常のＤＬ送信が中断されるべきであるサブフレームを定義する）送信中断スケジュールを受信する。図６Ｃに示される例におけるグループ３の中の例示的なセルのための送信中断は、他のセルからのＰＲＳ送信に割り当てられた周波数および帯域幅の範囲内のみで発生する必要があるので、セルは、事業者のすべての利用可能な帯域幅がＰＲＳ送信に割り当てられたのではない場合、他の周波数と帯域幅とを使用して、送信中断されたサブフレーム内で送信することが可能であり得る。
【００８４】
[00101]いくつかの場合、緊急ＰＲＳスケジュールおよび送信中断スケジュールは、ｅＮＢがサポートする各セルのためにｅＮＢにおいて事前に構成されてよく、Ｅ−ＳＭＬＣ、ＭＭＥ、またはｅＮＢは単に、緊急ＰＲＳスケジュールと送信中断スケジュールとを定義するすべてのパラメータを提供する必要なく、事前に構成された情報（たとえば、フラグまたは数字を使用する）を参照し得る。いくつかの場合、事前構成は、ターゲットＵＥのサービングセルまたはターゲットＵＥの概略的な位置に依存し得るので、緊急ＰＲＳモードおよび適応的な送信中断シーケンスのためのスケジュールおよび他のパラメータ（たとえば、出力、帯域幅、周波数）は、ターゲットＵＥのサービングセルまたは概略的な位置に応じて異なり得る（たとえば、異なるように構成され得る）。
【００８５】
[00102]図７は、ＬＴＥのための３ＧＰＰ制御プレーンの位置特定方法に関連して実行される、適応ＰＲＳを用いたＯＴＤＯＡのための例示的なメッセージフローを示す。図７では、適応的なＰＲＳをサポートするために修正または追加される必要はないことがある、既存のメッセージおよびメッセージのシーケンスは、明るい（影付きではない）矢印として示されているが、新しいおよび／または修正されるメッセージは、影付きの矢印として示されている。各矢印は、交換されている２つ以上のメッセージを表し得る。この例では、ＭＭＥ３１５はＵＥ３０２のためのサービングＭＭＥであり、ｅＮＢ１  ３０５はサービングｅＮＢである。
【００８６】
[00103]図７には示されていないが、このフローは、ユーザが緊急通報を行う（たとえば、９−１−１をダイヤルする）ことで開始する。図７のステップ１において、ＵＥ３０２は、ＰＤＧ（たとえば、図２または図３ＡのＰＤＧ２３５、しかし図７には示されていない）への緊急ＰＤＮ接続を取得する。この時点で、サービングｅＮＢ１  ３０５およびサービングＭＭＥ３１５は、それらの両方が緊急ＰＤＮ接続と緊急ベアラとをＵＥ３０２に提供することに関与しているので、ＵＥ３０２が緊急通報を開始したことを認識している。ＭＭＥ３１５はまた、ＵＥ３０２が緊急通報（図７には示されていない）を開始したことをＧＭＬＣ３４５に通知し得るので、ＧＭＬＣ３４５は、ステップ６においてどのＭＭＥにメッセージを送信すべきかを知る。いくつかの実装形態では、ＭＭＥ３１５は、ステップ１の後でＵＥ３０２の位置特定を引き起こすことができ、この場合、ステップ７から１３は図７で示されるよりも早く行われ得る。
【００８７】
[00104]ステップ２において、ＵＥ３０２は、緊急の呼の確立を開始するために、ＳＩＰ  ＩＮＶＩＴＥメッセージをＩＭＳ３７０（たとえば、図３Ａに示されるＩＭＳ３７０）に送信する。ステップ３において、呼は、ＰＳＡＰ３８５／３９５がＩＰ対応である場合にはＳＩＰ  ＩＮＶＩＴＥメッセージを使用して、またはＰＳＡＰ３８５／３９５がＩＰ対応ではない場合にはＣＳ呼として、ＩＭＳ３７０によってＰＳＡＰ３８５／３９５にルーティングされる。ステップ３におけるルーティングは、図７には示されない中間エンティティ（たとえば、ＩＰ転送の場合はＳＩＰルーティングプロキシ、またはＣＳ呼転送の場合は選択的ルータ）を通じたルーティングを伴い得る。ステップ２および３の終わりにおいて、ＵＥ３０２とＰＳＡＰ３８５／３９５との間に緊急の呼が確立されている。
【００８８】
[00105]ステップ４において、ＵＥ３０２とＰＳＡＰ３８５／３９５の間に緊急の呼が確立された後で、ＰＳＡＰ３８５／３９５は、ＵＥ３０２の位置特定をＩＭＳ３７０から（たとえば、そのアドレスまたは識別情報が、ステップ３の一部としてＩＭＳ３７０からＰＳＡＰ３８５／３９５に移送された呼関連の情報に含まれている可能性がある、ＩＭＳ３７０中のＬＲＦ３７５から）要求することができる。ＩＭＳ３７０（たとえば、ＩＭＳ３７０中のＬＲＦ３７５）は、ステップ５において、ＧＭＬＣ３４５に要求を転送する。ステップ６において、ＧＭＬＣ３４５は、Ｐｒｏｖｉｄｅ  Ｓｕｂｓｃｒｉｂｅｒ  Ｌｏｃａｔｉｏｎ要求をＭＭＥ３１５に送信し、ＵＥ３０２の識別情報（たとえば、ＩＭＳＩまたはＩＭＥＩ）に含める。それに応答して、ＭＭＥ３１５は、ステップ７において、ＵＥ３０２に対する位置特定要求をＥ−ＳＭＬＣ３５５に送信する。
【００８９】
[00106]この時点で、Ｅ−ＳＭＬＣ３５５は、ＵＥ３０２の測位を開始する。ステップ８および９において、Ｅ−ＳＭＬＣ３５５は、ＵＥ３０２の近くの１つまたは複数のセルのための緊急モードＰＲＳスケジューリング情報（たとえば、持続時間、帯域幅、出力、周波数、どのサブフレームでＰＲＳを送信および／または送信中断するか、送信中断すべき他のダウンリンク時間スロット、ＰＲＳの周波数シフトなど）を、ＬＰＰａメッセージングを使用して関係するｅＮｏｄｅＢ３０５および４１０に送信し、それらに、緊急ＰＲＳモードへ切り替えるように（または緊急ＰＲＳモードへいつ切り替えるかを）命令する。「関係する」ｅＮｏｄｅＢ３０５および４１０は、サービングｅＮＢ１  ３０５、近くのｅＮｏｄｅＢ、より遠くのｅＮｏｄｅＢ、および／または、図４ＡのｅＮＢビーコン４００などのもう１つのスタンドアロンのｅＮＢビーコンを含み得る。本明細書において後で説明されるように、ステップ８および９における任意のｅＮＢビーコンへのＬＰＰａメッセージの移送を可能にするために、および、Ｅ−ＳＭＬＣ３５５へ肯定応答などの任意のＬＰＰａ応答を移送するために、ワイヤレスバックホールが使用され得る。図７は２つのｅＮｏｄｅＢだけを示すが、任意の数の関係するｅＮｏｄｅＢが存在し得ることが明らかである。その上、関係するｅＮｏｄｅＢは、図７のようにサービングｅＮＢ１  ３０５を含むことがあり、または、サービングｅＮＢ１  ３０５を含まないことがある（図７に示されない）。
【００９０】
[00107]それに応答して、関係するｅＮｏｄｅＢ３０５および４１０は、ステップ８および９において受信される適応ＰＲＳスケジュールに従って、ＰＲＳの送信および／またはダウンリンク送信の中断を開始する。これは、ステップ８および９のメッセージが受信されると直ちに、または、メッセージが受信された後のある時間に行われることがあり、たとえば、ＳＦＮ０で開始する１０２４個のサブフレームの新たなシーケンスが送信され始めた後でのみ、または、ステップ８および９で送信されたメッセージに含まれる、もしくはそのメッセージによって参照される何らかの遅延の後でのみ、開始し得る。ステップ８および９でｅＮＢに送信されたメッセージは、ＬＰＰａ測位プロトコルに従ったものであり得る（たとえば、新たなまたは修正されたＬＰＰａメッセージであり得る）。
【００９１】
[00108]ステップ８および９において各ｅＮＢに送信される緊急ＰＲＳモードスケジューリング情報は、詳細であることがあり、ＰＲＳ送信、ＰＲＳ送信中断、通常のＤＬ送信中断、開始および停止時間、送信ダイバーシティの使用、異なるＰＲＳの周波数シフトの使用、異なるＰＲＳのコードシーケンスの使用などに関するすべてのパラメータを定義し得る。ステップ８および９において運ばれる情報はまた、（たとえば、ｅＮｏｄｅＢが２つ以上のセルをサポートする場合に）ｅＮｏｄｅＢにおいて緊急ＰＲＳモードスケジューリング情報が適用される１つまたは複数のセルを示すことができ、ｅＮＢによってサポートされる各セルに対して異なる緊急ＰＲＳモードスケジューリング情報を提供することができる。代替的に、緊急ＰＲＳモードスケジューリング情報は、ＰＲＳ緊急送信と、送信中断と、開始および停止時間との具体的なタイプを定義する、ｅＮＢ３０５／４１０においてすでに構成されている情報に対する参照であり得る。この参照は、事前に構成されたパラメータの特定のセットを参照するためのフラグ、数字、英数字の表記、または何らかの他の識別子と、場合によっては特定のセルを示すものとを使用し得る。代替的に、または加えて、提供される情報は、現在のサービングセルの識別情報および／または概略的なＵＥの位置などの、ターゲットＵＥの特性を含み得る。受信側のｅＮＢは次いで、緊急ＰＲＳパラメータおよび適応的な送信中断パラメータの特定の構成されたセットに、情報（たとえば、サービングセルＩＤまたは概略的なＵＥの位置）をマッピングすることができる。
【００９２】
[00109]ステップ８またはステップ９において情報を受信した結果として、特定のセルのためのｅＮｏｄｅＢ３０５などの第１のｅＮｏｄｅＢによって送信される緊急モードＰＲＳ信号は、時間領域、周波数領域、および／またはコード領域において、第２のセルのためにｅＮｏｄｅＢ４１０などの第２のｅＮｏｄｅＢによって送信されるＰＲＳ信号と少なくとも部分的に直交していることがある。結果として、第１のセルのための第１のｅＮｏｄｅＢによって送信されるＰＲＳ信号および第２のセルのための第２のｅＮｏｄｅＢによって送信されるＰＲＳ信号は、異なる時間において、異なるＰＲＳの周波数シフトを使用して、または異なるＰＲＳのコードシーケンスを使用して送信され得る。この直交性は、ｅＮｏｄｅＢによってサポートされる２つの異なるセルのための、同じｅＮｏｄｅＢからのＰＲＳ送信にも当てはまり得る。
【００９３】
[00110]別のセルにおいて送信されるＰＲＳ信号に部分的にまたは完全に直交するＰＲＳ信号をあるセルにおいて送信することで、ＰＲＳ信号間の干渉を減らし、またはなくすことができ、ターゲットＵＥ（たとえば、図７の例ではＵＥ３０２）によるＰＲＳ信号の取得と正確な測定とを支援することができる。たとえば、周波数領域において直交するＰＲＳ信号は、同時に送信されるときでも互いに干渉しないことがあるが、両方のＰＲＳ信号をＵＥが同時に測定するのを妨げ得る。時間領域において直交するＰＲＳ信号は、異なる時間に送信されることが可能であり、そうすると干渉せず、両方ともターゲットＵＥによって測定され得る。シンボルの異なるコードシーケンスを使用するＰＲＳ信号は、同時に、および同じ周波数を使用して送信され得るが、ＵＥがコードシーケンスの１つだけを取得して測定する場合、より小さな干渉を受けることがある。
【００９４】
[00111]事業者は、（たとえば、近くのｅＮＢとより遠くのｅＮＢとの間の）異なるｅＮＢからの、または同じｅＮＢからの、異なるセルにおける緊急ＰＲＳ送信が、周波数領域、時間領域、および／または符号領域に対して、部分的または完全に直交するように、Ｅ−ＳＭＬＣなどの制御エンティティにおいて、または受信側のｅＮＢにおいて、緊急ＰＲＳパラメータ（たとえば、ＰＲＳの帯域幅、ＰＲＳの出力、ＰＲＳの周波数シフト、ＰＲＳのコードシーケンス、ＰＲＳのサブフレーム、送信中断されるサブフレームなど）を事前に構成することができる。
【００９５】
[00112]図７に戻ると、ステップ１０において、Ｅ−ＳＭＬＣ３５５は、ＬＰＰおよび／またはＬＰＰｅ  Ｐｒｏｖｉｄｅ  Ａｓｓｉｓｔａｎｃｅ  Ｄａｔａメッセージの形態で、支援データをＵＥ３０２に送信する。支援データは、ＯＴＤＯＡのための典型的な支援データ（たとえば、ＯＴＤＯＡ測定が必要とされる基準セルおよび近隣セルの識別情報など）に加えて、ＵＥ３０２が測定する必要のある各セルのＰＲＳスケジュールの少なくとも一部（たとえば、図７の例ではｅＮｏｄｅＢ３０５および４１０のセル）を含む。ＵＥ３０２に提供されるＰＲＳスケジュールは、ＵＥ３０２が測定を試みる必要があり得る、各セルからの緊急ＰＲＳモードのためのスケジューリングおよび／または送信中断シーケンスを含み得る（たとえば、図５に関連して論じられたパラメータ、より高い帯域幅ＢＷ、向上した周期ＴPRS、向上したサブフレームの数ＮPRS、緊急ＰＲＳモードがいつ開始して停止するかについての情報などの、それらのパラメータの拡張を含んでよく、ならびに／または、ＰＲＳの周波数シフトおよび／もしくはＰＲＳの送信ダイバーシティなどの他のパラメータを含んでよい）。ｅＮＢの位置座標および他のｅＮＢに対するｅＮＢの送信タイミングなどの追加の情報も、ステップ１０においてＵＥ３０２に送信され得る。いくつかの実装形態では、ステップ１０において移送される情報の一部またはすべてが、ＬＰＰメッセージに埋め込まれるＬＰＰｅメッセージを使用して運ばれ得る。いくつかの実装形態では、ステップ１０において送信されるＬＰＰおよび／またはＬＰＰｅ  Ｐｒｏｖｉｄｅ  Ａｓｓｉｓｔａｎｃｅ  Ｄａｔａメッセージは、ＯＴＤＯＡに加えて他の測位方法のための支援データを提供することができ、たとえば、Ａ−ＧＮＳＳ、ＥＣＩＤ、および／またはＷＬＡＮ測位のための支援データをＵＥ３０２に提供することができる。
【００９６】
[00113]ステップ１１において、Ｅ−ＳＭＬＣ３５５は、ＬＰＰおよび／またはＬＰＰｅ  Ｒｅｑｕｅｓｔ  Ｌｏｃａｔｉｏｎ  ＩｎｆｏｒｍａｔｉｏｎメッセージをＵＥ３０２に送信し、このメッセージは、ＵＥ３０２に、ステップ１０において受信された支援データを利用してＯＴＤＯＡ測定を開始するように命令する。ステップ１１において送信されるＬＰＰおよび／またはＬＰＰｅ  Ｒｅｑｕｅｓｔ  Ｌｏｃａｔｉｏｎ  Ｉｎｆｏｒｍａｔｉｏｎメッセージは、（たとえば、近くのセルからのＰＲＳ緊急モード送信についての）追加の情報をＵＥ３０２に提供することができ、ＬＰＰとＬＰＰｅの両方が使用されるときは埋め込まれたＬＰＰｅメッセージを含み得る。いくつかの実装形態では、ステップ１１において送信されるＬＰＰおよび／またはＬＰＰｅ  Ｒｅｑｕｅｓｔ  Ｌｏｃａｔｉｏｎ  Ｉｎｆｏｒｍａｔｉｏｎメッセージは、ＯＴＤＯＡ測定に加えて他の測定を行うようにＵＥ３０２に要求することができ、たとえば、Ａ−ＧＮＳＳ測定、ＥＣＩＤ測定、および／またはＷＬＡＮ測定を行うようにＵＥ３０２に要求することができる。ステップ１１に続いて（および図７には示されない）、ＵＥ３０２は、ステップ１１において要求された測定の一部またはすべてを実行し、たとえばステップ１１において要求されている場合、位置推定を計算することができる。ステップ１２において、ＵＥ３０２は、ＬＰＰおよび／またはＬＰＰｅ  Ｐｒｏｖｉｄｅ  Ｌｏｃａｔｉｏｎ  ＩｎｆｏｒｍａｔｉｏｎメッセージをＥ−ＳＭＬＣ３５５に送信する。ＬＰＰおよび／またはＬＰＰｅ  Ｐｒｏｖｉｄｅ  Ｌｏｃａｔｉｏｎ  Ｉｎｆｏｒｍａｔｉｏｎメッセージは、ＵＥの位置推定を含み得る（ＵＥ３０２が、ステップ１０および／またはステップ１１において受信された情報に基づいて、ならびに、ＵＥ３０２によって行われたＯＴＤＯＡ測定および任意の他の測定に基づいて、これを計算することが可能であった場合）。ＬＰＰおよび／またはＬＰＰｅ  Ｐｒｏｖｉｄｅ  Ｌｏｃａｔｉｏｎ  Ｉｎｆｏｒｍａｔｉｏｎメッセージは、さらに、または代わりに、ステップ１１において移送されたメッセージによって指示されるようにＵＥ３０２によって行われたＯＴＤＯＡ測定結果（および任意の他の測定結果）を含み得る。Ｅ−ＳＭＬＣ３５５は、ＵＥ３０２の位置を計算するために、受信された測定結果を使用することができる。
【００９７】
[00114]ステップ１３において、Ｅ−ＳＭＬＣ３５５は、ＵＥ３０２の位置をＭＭＥ３１５に送信する。ステップ１４において、ＭＭＥ３１５はＵＥ３０２の位置をＧＭＬＣ３４５に送信し、ステップ１５において、ＧＭＬＣ３４５はその位置をＩＭＳ３７０に転送する。ＩＭＳ３７０（たとえば、ＩＭＳ３７０中のＬＲＦ３７５）が次いで、ステップ１６において、その位置をＰＳＡＰ３８５／３９５に転送する。
【００９８】
[00115]図７において示され図７について上で説明されたような制御プレーンの方法の代わりに、ユーザプレーンのＳＵＰＬ方法がＵＥ３０２の位置を取得するために使用されていた場合、図７について先に説明されたステップ１から４は依然として有効であり得る。しかしながら、ステップ５において、ＩＭＳ３７０が位置特定要求をＧＭＬＣ３４５に送信する代わりに、ＩＭＳ３７０が、図３Ａに関して示され説明されたＥ−ＳＬＰ３３５などのＥ−ＳＬＰに位置特定要求を送信し、ステップ６、７、１３、１４、および１５は行われない。ステップ６および７の代わりに、Ｅ−ＳＬＰは、ＩＭＳ３７０から受信された位置特定要求をＥ−ＳＭＬＣ３５５に通知することができる（たとえば、物理的に別のＥ−ＳＭＬＣ３５５に通知することができ、または、物理的に別のＥ−ＳＭＬＣ３５５の機能の一部を実行することが可能なＥ−ＳＬＰ内の機能に通知することができる）。Ｅ−ＳＭＬＣ３５５は次いで、ステップ８および９について示され説明されたメッセージを、ＵＥ３０２の近くのｅＮＢに送信する。
【００９９】
[00116]Ｅ−ＳＬＰは次いで、（たとえば、図３Ａの場合、ＰＤＮゲートウェイ２３５とサービングゲートウェイ２３０とを介して、ＵＤＰとＩＰとを使用してＳＵＰＬ  ＩＮＩＴメッセージをＵＥ３０２に送信することによって）ＵＥ３０２とのＳＵＰＬセッションを開始する。このＳＵＰＬセッションの一部として、図７のステップ１０、１１、および１２がここで、ＵＥ３０２とＥ−ＳＬＰとの間で行われ（すなわち、これらの３つのステップに対してはＥ−ＳＬＰが図７において示されるＥ−ＳＭＬＣ３５５を置き換える）、図７のステップ１０、１１、および１２において移送されるＬＰＰおよび／またはＬＰＰｅメッセージは、ＳＵＰＬ  ＵＬＰメッセージの内部で（たとえば、ＯＭＡによって定義されるＳＵＰＬ  ＰＯＳメッセージの内部で）トランスポートされる。Ｅ−ＳＬＰは次いで、ステップ１２においてＵＥ３０２の位置を受信し、または、ステップ１２において、Ｅ−ＳＬＰがステップ１２においてＵＥ３０２の位置を取得または計算するのを可能にするＯＴＤＯＡ（および場合によっては他の）測定結果を受信する。Ｅ−ＳＬＰは次いで、位置をＩＭＳ３７０に送信する。ＩＭＳ３７０は次いで、図７のステップ１６のように位置をＰＳＡＰ３８５／３９５に転送する。
【０１００】
[00117]別の態様では、ｅＮｏｄｅＢ３０５および／または４１０などの１つまたは複数のｅＮｏｄｅＢが、ＵＥ３０２と関連付けられる緊急の呼をサポートするための要求（たとえば、図７のステップ１において緊急ＰＤＮ接続を取得するための要求、ステップ１における緊急接続のための要求、または、図７のステップ１の一部を形成し得る緊急関連ベアラを確立するための要求）を受信または傍受すると、緊急ＰＲＳモードを自律的に開始することができる。ｅＮｏｄｅＢは、緊急の呼をサポートするための要求を受信（または傍受）したことに応答してｅＮｏｄｅＢがそれへと切り替えることができる、緊急ＰＲＳスケジュールを用いて事前に構成されていることがある。所与のエリアの中の各ｅＮｏｄｅＢは、同じまたは無料の緊急ＰＲＳモードスケジュールを用いて事前に構成されていることがあるので、（たとえば、図６Ａ〜図６Ｃに関して）本明細書において説明されるＰＲＳスケジューリングの協調が可能になる。ｅＮｏｄｅＢはそれでも、図７のステップ８および９においてＥ−ＳＭＬＣ３５５から追加の緊急ＰＲＳスケジューリング情報を受信し得る。単一のｅＮｏｄｅＢ（たとえば、サービングｅＮＢ１  ３０５）だけが緊急の呼をサポートするための要求を受信または傍受する場合、ｅＮｏｄｅＢは、３ＧＰＰ  Ｘ２インターフェースを使用して緊急の呼について他の近くのｅＮＢに知らせることができ、加えて、ｅＮＢがサービングｅＮＢ３０５である場合、ＵＥ３０２のためのサービングセルを他のｅＮＢに示すことができる。サービングセルの指示は、先に説明されたように、様々な緊急ＰＲＳスケジュールおよび他の様々な構成情報の中から選択するために、ｅＮＢによって使用され得る。
【０１０１】
[00118]１つまたは複数のｅＮｏｄｅＢはまた、図７のステップ１０と同様に（たとえば、ステップ１０の代わりに、またはステップ１０に加えて）、支援データをＵＥ３０２に提供することができる。その場合、各ｅＮｏｄｅＢは、それ自体の緊急ＰＲＳスケジュールを支援データとして提供することができる。各ｅＮｏｄｅＢは、支援データをポイントツーポイントでＵＥ３０２に提供することがあり、または、ブロードキャストを介して（たとえば、ｅＭＢＭＳまたはＬＴＥ  ＳＩＢを使用して）ノーマルＰＲＳスケジュールおよび／または緊急ＰＲＳスケジュールを含む支援データを提供することがあり、ＵＥ３０２とポイントツーポイントで対話する必要はないことがある。複数のｅＮｏｄｅＢが同じまたは無料の緊急ＰＲＳスケジュールを用いて構成される場合、１つのｅＮｏｄｅＢしか、ＰＲＳスケジュールをＵＥ３０２に送信する必要はないことがある。たとえば、１つだけのｅＮｏｄｅＢがそれ自体および他のｅＮｏｄｅＢのための緊急ＰＲＳスケジュールを提供することがあり、これらの他のｅＮｏｄｅＢが緊急ＰＲＳへ切り替えることを可能にするために緊急ＰＲＳスケジュールを含むメッセージを（たとえば、ＬＴＥ  Ｘ２インターフェースを使用して）これらの他のｅＮｏｄｅＢに送信することがある。スタンドアロンのｅＮＢビーコンの場合、緊急ＰＲＳモードスケジュール（およびノーマルＰＲＳモード）に関する情報のブロードキャストは、この情報をターゲットＵＥに送信する便利な方法であることがあり、それは、ＵＥがサービングｅＮＢとしてスタンドアロンのＰＲＳビーコンに決してアクセスしない可能性があるからである。
【０１０２】
[00119]無線アクセス技術間（ＲＡＴ間）のＯＴＤＯＡに関して、ＬＴＥとは異なる無線技術を用いてネットワークにアクセスするＵＥ（たとえば、ｃｄｍａ２０００、ＧＳＭ、ＷＣＤＭＡ、またはＷｉＦｉをサポートするネットワークまたはＡＰにアクセスするＵＥ）は、このネットワーク内の、またはそれと関連付けられる位置特定サーバ（たとえば、ＳＭＬＣ、ＳＡＳ、ＰＤＥ、ＳＬＰ、または何らかの他のタイプである位置特定サーバ）によって測位され得る。位置特定サーバはそれでも、ＵＥの位置においてＬＴＥ無線カバレッジを提供するＬＴＥネットワーク（たとえば、ＵＥが現在アクセスしているネットワークの事業者に属するＬＴＥネットワーク）がある場合、ＵＥを位置特定するためにＯＴＤＯＡを利用することができる。位置特定サーバは次いで、ＯＴＤＯＡ測定（たとえば、ＬＴＥネットワークにおいてｅＮＢによって送信されるＰＲＳ信号のＲＳＴＤ測定）を行うためにＵＥをリダイレクトすることができる。ＵＥが（たとえば、ＯＴＤＯＡ測定結果を得るために）測定すべきであるＬＴＥネットワーク中のセルを示し、ＵＥがこれらのセル内で送信されるＰＲＳ信号を取得して測定することを可能にするための情報（たとえば、ＬＴＥ無線周波数、ＰＲＳ測位機会、予想されるＰＲＳタイミングに関する）をＵＥに提供する、支援データおよび／または測定要求を位置特定サーバがＵＥに送信する場合、このリダイレクトは達成され得る。リダイレクトを可能にするために位置特定サーバによってＵＥに送信される情報は、図７のステップ１０および１１において送信される情報と同様であり、または同じであり得る。
【０１０３】
[00120]この情報は、位置特定サーバとＵＥとの間で使用され、ＵＥが現在アクセスしているネットワークに特有である、測位プロトコル（たとえば、ＲＲＬＰ、ＲＲＣ、ＩＳ−８０１、ＬＰＰ／ＬＰＰｅ）内で送信され得る。ＵＥは次いで、ＬＴＥネットワークによって使用される１つまたは複数の周波数に合わせ、ＬＴＥネットワーク中のセルのためにＯＴＤＯＡ測定（たとえば、ＲＳＴＤ測定）を行うことができ、次いで、ＯＴＤＯＡ測定結果を、またはこれらの測定結果に基づく計算された位置を、位置特定サーバとＵＥとの間で使用される測位プロトコル（たとえば、ＲＲＬＰ、ＲＲＣ、ＩＳ−８０１、またはＬＰＰ／ＬＰＰｅ）を使用して位置特定サーバに返すことができる。
【０１０４】
[00121]この測位プロトコルに対する変更と、これらの変更をサポートするためのＵＥおよび位置特定サーバへの影響とを減らすために、位置特定サーバによってＵＥに送信される情報、およびＵＥによって位置特定サーバに返される情報は、測位プロトコルがＬＰＰまたはＬＰＰ／ＬＰＰｅではない場合に、この測位プロトコルのためのメッセージの内部にＬＰＰまたはＬＰＰ／ＬＰＰｅメッセージ（たとえば、図７のステップ１０〜１２について説明されたものと同様の、または同一の、ＬＰＰおよび／またはＬＰＰ／ＬＰＰｅメッセージ）を埋め込むことによって、運ばれ得る。このことは、測位プロトコルのための新しいパラメータおよび／または新しいメッセージのセットを定義する必要をなくし得る。この埋め込みは、ＬＰＰまたはＬＰＰ／ＬＰＰｅメッセージを含むオクテットストリングを埋め込む（たとえば、図７のステップ１０のようにＰＲＳ情報を近くのｅＮＢのためのＵＥに送信するためにＬＰＰ  Ｐｒｏｖｉｄｅ  Ａｓｓｉｓｔａｎｃｅ  Ｄａｔａを埋め込む）ことによって、達成され得る。代替的に、ＬＰＰおよび／もしくはＬＰＰｅから取り込まれるか、またはＬＰＰおよび／もしくはＬＰＰｅに基づくかのいずれかである新しいパラメータ（たとえば、新しいＡＳＮ．１パラメータ）が、ＬＰＰおよび／またはＬＰＰｅパラメータの再使用を可能にするために測位プロトコルに追加され得る。
【０１０５】
[00122]さらに、ノーマルＰＲＳモードから緊急ＰＲＳモードへとＬＴＥネットワーク中のいくつかのセルを切り替えるために、および／または、これらのセルに対して緊急ＰＲＳモードと適応的なＰＲＳの送信中断とをスケジューリングするために、位置特定サーバは、緊急ＰＲＳモードへの切替えに関する命令と、緊急ＰＲＳスケジューリングおよび／または適応的なＰＲＳの送信中断のための情報とを提供するために、ＬＴＥネットワーク中のｅＮＢにメッセージを送信することができる。このメッセージは、位置特定サーバがＥ−ＳＭＬＣ能力を含む場合、または、これらのメッセージを送信するように別のＥ−ＳＭＬＣに命令することができる場合、ＬＰＰａメッセージとして送信されてよく、（たとえば、図７のステップ８および９のように）Ｅ−ＳＭＬＣによって送信されてよい。
【０１０６】
[00123]屋内にあるターゲットＵＥのための正確なＯＴＤＯＡ測位をサポートするために、ＵＥは、屋内にある間に少なくとも３つのｅＮＢから、好ましくは、約２０個から８０個などの多数のｅＮＢから、ＰＲＳを受信して測定する。しかしながら、いくつかの屋内環境では、少数のｅＮＢしか、または場合によっては１つのｅＮＢ（たとえば、サービングｅＮＢ）しか、ＵＥに対して可視ではないことがある。これらの場合、ＰＲＳ信号が、より高い出力を用いる緊急ＰＲＳモードを使用して、および／または経時的な信号積分を通じてターゲットＵＥによってより簡単に取得され測定されるコードを使用して、ｅＮＢによって送信され得るとしても、ＵＥは、正確な位置が決定され得るのに十分なＰＲＳを測定することが可能ではないことがある。したがって、ネットワーク事業者は、十分なＰＲＳのカバレッジを確保するために、たとえば、建物の側面への取り付け、屋根の上への搭載、建物の内部などの、環境中の様々な箇所に、図４ＡのｅＮＢビーコン４００などの追加のｅＮＢビーコンを展開することができる。システム中の他のｅＮＢのように、これらのスタンドアロンのｅＮＢビーコンは、ネットワーク側（たとえば、ＭＭＥおよび／またはＥ−ＳＭＬＣなど）が（たとえば、ＰＲＳの周波数、帯域幅、出力などの上昇および／または低下を命令することによって）ｅＮＢビーコンからのＰＲＳ送信を制御することを可能にするために、および、Ｅ−ＳＭＬＣがｅＮＢビーコンからＰＲＳのタイミングなどのＰＲＳ情報を取得することを可能にするために、ＭＭＥおよび／またはＥ−ＳＭＬＣなどのいくつかのネットワークエンティティに接続するように構成され得る。
【０１０７】
[00124]スタンドアロンのｅＮＢビーコンなどの測位ビーコンは、ＬＴＥのカバレッジを拡大し、場合によってはターゲットＵＥから異なる方向に向いている多数のｅＮＢからのＰＲＳ信号を配置されているＵＥが受信して測定することを可能にするように、展開され得る。しかしながら、ｅＮＢビーコンからのＰＲＳ送信は、他のｅＮＢからのＰＲＳ送信および非ＰＲＳ送信との干渉を引き起こし得るので、いずれの近くのターゲットＵＥの高優先度の位置特定（たとえば、緊急の呼のための位置特定）も必要ではないときには常に、（たとえば、ＰＲＳの帯域幅、ＰＲＳ測位機会、および／またはＰＲＳの出力を制限することによって）制限される必要があり得る。その上、ターゲットＵＥが高い優先度でＯＴＤＯＡを使用して位置特定される必要があるとき、近くのｅＮＢビーコンからのＰＲＳ送信は、ターゲットＵＥによるＰＲＳ信号の取得と正確な測定とを可能にするために、（たとえば、ＰＲＳ測位機会、ＰＲＳの出力、および／またはＰＲＳの帯域幅の増大を介して）増やされる必要があり得る。これは、ノーマルＰＲＳモードおよび緊急ＰＲＳモードが、ノーマルｅＮＢ（たとえば、図４ＡのｅＮＢ３０５およびｅＮＢ３１０）に対するように、ｅＮＢビーコン（たとえば、図４ＡのｅＮＢビーコン４００）によってサポートされる必要があり得ることを示唆する。いくつかの場合、干渉を制限して電力を節約するために、いくつかのｅＮＢビーコンにおけるノーマルＰＲＳモードは、いずれのＰＲＳ信号も送信しないことを備え得るが、一方、緊急ＰＲＳモードは、高デューティサイクルで、またはさらには全デューティサイクルでＰＲＳ信号を送信することを備え得る。ｅＮＢビーコンからのＰＲＳ送信を調整するのが必要であることは、Ｅ−ＳＭＬＣによる（たとえば、図７に示されるようなＬＰＰａを使用する）、または、本明細書において前と後の両方で説明されるようなＳＬＰもしくはＭＭＥもしくは他のｅＮｏｄｅＢによる、ｅＮＢビーコンの制御が可能であることが必要であることを示唆する。コアネットワーク中のネットワークエンティティへのｅＮＢの接続は一般に、事業者によるネットワークバックホールリソースの割振りを介して、たとえば、制御プレーン中のＭＭＥおよびユーザプレーン中のサービングゲートウェイ（ＳＧＷ）にｅＮＢを接続するためにＬＡＮケーブルまたはマイクロ波のリンクを使用して、実現される。しかしながら、ｅＮＢビーコンを事業者のコアネットワークに接続するためにこれらのバックホールリソースを割り振ると、ｅＮＢビーコンの展開が高価になる可能性がある。したがって、ＳＧＷおよびＭＭＥなどのコアネットワークエンティティからｅＮＢビーコンへのワイヤレスバックホール接続が、可能にされ得る。たとえば、ワイヤレスバックホール接続をサポートすることが可能なｅＮＢビーコンは、ローカルの電源しか必要としないことがあり、または、固有の電池による電源が備えられており、他のエンティティに対する依存を最小限にして機能することが可能にされることもある。
【０１０８】
[00125]上で説明されたようなビーコンのバックホール接続性と関連付けられる費用は、ｅＮＢビーコンをリレーまたはレピータの形態で展開することによって減らされ得る。たとえば、レピータ（すなわち、レベル１リレー）ｅＮＢビーコンは、図４ＡのｅＮＢビーコン４００によってサポートされてよく、図４ＡのｅＮＢ３０５などの別のｅＮＢ（ドナーｅＮＢと呼ばれる）によって送信されるＰＲＳ部分と（任意選択で）１つまたは複数のシステム情報ブロック（ＳＩＢ）とを繰り返すように構成され得る。レピータのタイミングは、ドナーｅＮＢに対して相対的に固定されるか、またはＧＮＳＳ受信機を使用して絶対的に固定されるかのいずれかであり得る。別の例として、リレー（たとえば、レベル２リレー）は、たとえば、リレーｅＮＢの異なる物理セルＩＤ（ＰＣＩ）またはリレーｅＮＢのための何らかの他の値に基づいてＰＲＳ信号に対して異なるコーディングおよび／または異なるＰＲＳの周波数シフトを使用することによって、ソースｅＮＢによって使用されるＰＲＳのコーディングおよび／またはＰＲＳの周波数シフトを変更することに加えて、レピータの上で説明された活動を実行するように構成されてよく、これにより、ＵＥ３０５などの近くのターゲットＵＥが、ソースＰＲＳからの中継されたＰＲＳを区別すること、したがって別々に測定することが可能になる。リレーの使用に基づく例示的な方法のさらなる詳細が、本明細書において後で与えられる。
【０１０９】
[00126]別の例として、上で説明されたようなｅＮＢビーコンのバックホール接続性と関連付けられる費用は、何らかの内部的なＵＥ能力を含むスモールセルｅＮＢまたはＨｅＮＢビーコンを展開することによって減らされ得る。内部的なＵＥ能力は、ｅＮＢビーコンを展開する事業者に属するコアネットワークへのワイヤレスバックホール接続を確立するために、スモールセルｅＮＢビーコン（すなわち、ＨｅＮＢビーコン）によって使用され得る。内部的なＵＥ能力はまた、スモールセルｅＮＢまたはＨｅＮＢによって通常サービスされるであろうよりも広いエリアへ（たとえば、より高い出力を使用して）送信することが可能なｅＮＢビーコンに追加され得る。しかしながら、ｅＮＢビーコンが広いエリア（たとえば、農村のエリアでは数キロメートル以上）をサービスし得るとしても、ｅＮＢビーコンは、スモールセルｅＮＢビーコン（たとえば、ＨｅＮＢビーコン）と同じ方法でワイヤレスバックホール接続を確立することができる。したがって、以下の説明では、ｅＮＢビーコンへの言及は、広いエリアカバレッジを有するｅＮＢビーコン、ならびにスモールセルｅＮＢビーコン（たとえば、ＨｅＮＢビーコン）を含み得る。ＨｅＮＢビーコンは、好ましくは、ＵＥによる非位置特定サービスのＬＴＥアクセスのサポートを妨げるように構成されるが（たとえば、音声とデータの送信および受信などの非位置特定ＬＴＥサービスの目的でのＵＥによるワイヤレスアクセスをサポートするための、データまたは制御情報を送信または受信しないことがある）、ＬＴＥ位置特定サービスをサポートするための制御情報を送信して受信するように構成される。たとえば、ｅＮＢビーコンまたはＨｅＮＢビーコンは、非位置特定ＬＴＥアクセスと非位置特定ＬＴＥサービスとをサポートするための必要な装置（たとえば、ハードウェア、ソフトウェアなど）を含まないことがあり、そのような必要な装置を含むがそのような必要な装置を無効にし、または使用されないようにすることがあり、ＵＥによる非位置特定ＬＴＥアクセスおよび非位置特定ＬＴＥサービスのサポートを能動的に妨げるための装置（ｅＮＢビーコン４００がそのようなアクセスとサービスとをサポートしないが、位置特定サービスをサポートすることを示すものをブロードキャストするための装置、または、ＬＴＥ非位置特定サービスに対する要求を拒絶するための装置など）を含むことがあり、または、ｅＮＢビーコンまたはＨｅＮＢビーコンがＬＴＥ非位置特定サービスをサポートしないような他の構成であり得る。
【０１１０】
[00127]ワイヤレスバックホール能力を含むｅＮＢビーコンはまず、ＵＥとして事業者のコアネットワークに接続し、次いで、ＰＤＧを通じたセキュリティゲートウェイ（ＳｅＧＷ）へのセキュアなデータ接続を確立する。今度はＨｅＮＢまたはスモールセルとして動作するｅＮＢビーコンは、次いで、事業者のネットワークにＨｅＮＢとして登録するために、ＳｅＧＷへの確立されたセキュアなデータ接続を使用することができる。事業者のネットワーク（たとえば、Ｅ−ＳＭＬＣを介した）は次いで、たとえば、図７に示されるような（たとえば、図７のステップ８および９のような）ネットワークＥ−ＳＭＬＣとｅＮＢビーコンとの間で通信されるＬＰＰａメッセージを介して、ｅＮＢビーコンにおけるＯＴＤＯＡのサポートとＰＲＳ送信とを制御することができる。ｅＮＢビーコンはＵＥの測位のためだけに使用されることが可能であり、ＵＥとネットワークとの間にシグナリング、データ、および音声の接続性を提供しないことがあるので、ｅＮＢビーコンのＵＥ部分とＳｅＧＷとの間のデータ接続は、完全に機能するｅＮＢと比較して、少量の帯域幅（たとえば、制御シグナリングをサポートするのに十分な量の帯域幅）しか利用しないことがある。したがって、ｅＮＢビーコンのＵＥ部分によって提供されるワイヤレスバックホールは、ほとんどネットワークリソースを使用しないことがある（たとえば、帯域幅の低い使用率およびコアネットワークエンティティにおける処理能力とメモリの低い使用率）。さらに、ｅＮＢビーコンのＵＥ部分とＨｅＮＢ  ＧＷまたはＳｅＧＷとの間のデータ接続は、ｅＮＢビーコンと関連付けられるＥ−ＳＭＬＣによるＬＰＰａ制御シグナリングのために利用されるバックホールを提供し得る。
【０１１１】
[00128]上で説明されたようにｅＮＢビーコンからのワイヤレスバックホールを実装するために利用され得る例示的なアーキテクチャが、図８のシステム８０により示されている。図８では、実線は、互いに直接接続される、またはされ得るエンティティのペアの間のインターフェースを表し、二重の破線の矢印は、中間エンティティを介して互いに接続され得るエンティティのペアの間のプロトコルを表す。図８は、図４ＡのｅＮＢビーコン４００に対応し得る、およびＨｅＮＢ部分８０１（ＨｅＮＢモジュール）とＵＥ部分８０２（ＵＥモジュール）とを含む、例示的なｅＮＢビーコン８００を示す。部分８０１、８０２は、互いに情報を提供し、情報を受信するために、互いに通信可能に結合され得る。ＨｅＮＢ部分８０１は、ＰＲＳを送信するように構成され、ＵＥ部分８０２とは別の論理構成要素である。ＨｅＮＢ部分８０１は、（ｉ）ＵＥ部分８０１によって確立されるワイヤレスバックホール接続を使用してコアネットワーク１４０に接続し、（ｉｉ）ノーマルＰＲＳモードと緊急ＰＲＳモードとを切り替えるためにコアネットワーク１４０中のＥ−ＳＭＬＣ８２４からのＬＰＰａメッセージングに応答するように構成される。ＵＥ部分８０２は、ＰＤＧ８０８、ＳｅＧＷ８２６、および／またはＨｅＮＢ  ＧＷ８２０などの、コアネットワーク１４０中のエンティティへのワイヤレスバックホール接続を確立するように構成される、モバイルデバイスのワイヤレス接続モジュールを備える。システム８０はまた、ｅＮＢビーコン８００を所有して展開する事業者のコアネットワーク１４０と、コアネットワーク１４０内の（下でさらに説明される）いくつかのネットワークエンティティと、１つまたは複数のｅＮＢ（たとえば、ｅＮＢ８０４）および１つまたは複数のｅＮＢビーコン（たとえば、ｅＮＢビーコン８００）を含み得るコアネットワーク１４０と関連付けられるＲＡＮ１２０とを含む。明確にするために、（ＨｅＮＢ部分８０１ではなく）ＵＥ部分８０２のためのネットワークアクセスと、データ移送と、位置特定とをサポートする図８のエンティティは、ＨｅＮＢ部分８０１をサポートするエンティティと区別するために影付きで示されており、ＨｅＮＢ部分８０１をサポートするエンティティは影付きされずに示されている。図８は１つのコアネットワーク１４０と１つのＲＡＮ１２０だけを示すが、図８に関連して説明される例示的な方法は、２つ以上のＲＡＮおよび／または２つ以上のコアネットワークがあるときにも適用可能である。たとえば、ｅＮＢビーコン８００のＵＥ部分８０２からのワイヤレスバックホールをサポートする、図８に影付きで示されているネットワークエンティティの一部は、ＨｅＮＢ部分８０１への接続をサポートする影付きされずに示されているエンティティとは、異なるＲＡＮおよび／または異なるコアネットワークの中にあり得る。加えて、ＲＡＮ１２０およびコアネットワーク１４０は、２つ以上のネットワーク事業者のうちの複数に属すことがあり、またはそれらをサポートすることがあり、ｅＮＢビーコン８００が、複数の事業者の中の１つまたは複数のネットワーク事業者に属してそれらによって展開されることと、自身のホーム事業者が上記の複数の事業者の中の任意の事業者を備えるＵＥの代わりに送信またはＰＲＳ信号を介したＯＴＤＯＡをサポートすることとが可能になる。
【０１１２】
[00129]図８では、ＵＥ部分８０２は、物理的なｅＮＢビーコン８００の論理構成要素または物理構成要素であり得る。たとえば、ＵＥ部分８０２は、ｅＮＢビーコン８００の別のハードウェアおよびソフトウェアの構成要素であってよく、または、ＨｅＮＢ部分８０１もサポートする共通のハードウェア、ソフトウェア、および／またはファームウェアなどの、ｅＮＢビーコン８００における共通のハードウェア、ソフトウェア、および／またはファームウェアを使用してサポートされ得る。同様に、ＨｅＮＢ部分８０１は、ｅＮＢビーコン８００の別のハードウェアおよびソフトウェアの構成要素であってよく、または、ｅＮＢビーコン８００の中の共通のハードウェア、ソフトウェア、および／またはファームウェアを使用してサポートされてよい。物理的に別々のＵＥ部分８０２またはＨｅＮＢ部分８０１の場合、ＵＥ部分８０２とＨｅＮＢ部分８０１との間の通信は、有線接続またはワイヤレス接続を介したものであり得る。単にＵＥ８０２ともここでは呼ばれるＵＥ部分８０２は、ノーマルＵＥ（たとえば、図１のＵＥ  ＵＥ  １・・・ＵＥ  Ｎ、ならびに、図３Ａ、図３Ｂ、図４Ａ、および図４ＢのＵＥ３０２など）の一部の機能だけをサポートすることができ、ネットワーク（たとえば、ＬＴＥネットワーク）に接続すること、ネットワークへの（たとえば、ＳＧＷ８０６およびＰＤＧ８０８への）１つまたは複数のＰＤＮ接続とデータベアラとを確立すること、および、これらのデータベアラとＰＤＮ接続とを使用してＨｅＮＢ  ＧＷ８２０などのネットワーク側の他のエンティティとデータを交換することが、可能にされ得る。しかしながら、ＵＥ８０２は、音声接続を確立し、テキストメッセージを移送し、ＵＥの通常のユーザの代わりに任意のサービスを実行することが可能であることなどの、ノーマルＵＥの他の機能をサポートしないことがある。同様に、ＨｅＮＢ部分８０１は、ノーマルｅＮＢ（図３Ａ、図３Ｂ、図４Ａ、および図４ＢのｅＮＢ３０５など）の一部の機能だけをサポートし得る。たとえば、ＨｅＮＢ部分８０１は、ターゲットＵＥのＯＴＤＯＡ測位を可能にするためにＰＲＳ信号を送信し得るが、ＵＥの代わりに音声またはデータの接続性をサポートしないことがある。しかしながら、いくつかの実施形態では、ＨｅＮＢ部分８０１は、ＵＥのためのモビリティと音声およびデータの接続性とをサポートすることを含む、ノーマルｅＮＢまたはノーマルＨｅＮＢの大半またはすべての機能をサポートし得る。ｅＮＢビーコン８００は、図４ＡのスタンドアロンのｅＮＢビーコン４００に対応し得る。
【０１１３】
[00130]ｅＮＢビーコン８００が最初に電源投入されるとき、またはｅＮＢビーコン８００のユーザによって別様に命令されるとき、ＵＥ８０２は、この例ではコアネットワーク１４０とＲＡＮ１２０とを所有する事業者であると想定される、ｅＮＢビーコン８００を所有する事業者に対応する、利用可能なネットワークを探索し得る。ＵＥ８０２は次いで、このネットワークに接続するために、ＬＴＥおよび／もしくは別の適切な無線アクセス技術、または技術の組合せを使用することができ、本明細書でさらに詳細に例示されるように、ＰＤＮ接続と１つまたは複数のデータベアラとを続いて取得することができる。図８に示されるように、ＵＥ８０２はそうすると、接続モードにあるとき、サービングｅＮＢ８０４と、サービングゲートウェイ（ＳＧＷ）８０６と、ＰＤＮゲートウェイ（ＰＤＧ）８０８とを有し得る。ＵＥ８０２は、サービングＭＭＥ８１０も有し得る。ＵＥ８０２がネットワークに接続されると、ｅＮＢビーコン８００（たとえば、ｅＮＢビーコン８００中のＨｅＮＢ部分８０１）は、図９に関して下でさらに説明されるように、ＵＥ８０２およびｅＮＢ８０４、ＳＧＷ８０６およびＰＤＧ８０８を介して、ＳｅＧＷ８２６と通信することが可能である。ｅＮＢビーコン８００は、ノーマルＨｅＮＢとして振る舞い、（たとえば、ＨｅＮＢ部分８０１を使用して）ＳｅＧＷ８２６へのセキュアな接続を確立し、そして、ＨｅＭＳ８２８に登録し、ＨｅＮＢ  ＧＷ８２０およびＭＭＥ８２２へのＳ１シグナリング接続を確立する。Ｓ１シグナリング接続の確立は、Ｅ−ＳＭＬＣ８２４が、ｅＮＢビーコン８００の近くのＵＥのＯＴＤＯＡ位置特定をサポートするために、ｅＮＢビーコン８００からのＰＲＳ送信を制御することを可能にする。説明を簡単にするために、図８は２つの別々の論理ＭＭＥ８１０および８２２と、２つの別々の論理Ｅ−ＳＭＬＣ８１４および８２４とを示すが、ＭＭＥ８１０および８２２は同じまたは異なる物理エンティティであってよく、Ｅ−ＳＭＬＣ８１４および８２４は同じまたは異なる物理エンティティであってよい。図８のＥ−ＳＭＬＣ８２４およびＥ−ＳＭＬＣ８１４は各々、図３Ａ、図３Ｂ、図４Ａ、図４Ｂ、および図７のＥ−ＳＭＬＣ３５５に対応し得る。図８のＨ−ＳＬＰ８１２は、図３ＡのＥ−ＳＬＰ３３５に対応し得る（たとえば、両方が、Ｅ−ＳＬＰとＨ−ＳＬＰの両方として機能できるＳＬＰの部分であり得る）。
【０１１４】
[00131]図８を参照すると、図９は、図８のｅＮＢビーコン８００からのワイヤレスバックホールの確立と、ターゲットＵＥのＯＴＤＯＡ位置特定をサポートするためのワイヤレスバックホールの後続の使用との、より完全な説明を与える。図９はｅＮＢビーコン８００のＨｅＮＢ部分８０１を示さないが、ＵＥ部分８０２によって実行されるものとして明示的に説明されない、図９に関連して説明されるｅＮＢビーコン８００の活動は、図８のＨｅＮＢ部分８０１によって部分的または完全に実行され得る。図９において、各矢印は、交換されている２つ以上のメッセージを表し得る。図９のステップ１において、ｅＮＢビーコン８００のＵＥ部分８０２は、３ＧＰＰ  ＴＳ  ２３．４０１に記述されるように、近くのｅＮＢ８０４によってサポートされる適切なＬＴＥサービングセルを（たとえば、ｅＮＢビーコン８００が最初に電源投入された後で近くのｅＮＢからの無線送信を聴取することによって）発見することができ、次いで、ＬＴＥ接続手順を実行することによって、コアネットワーク１４０に接続することができる。ＬＴＥ接続手順は、（ｉ）サービングｅＮＢ８０４とサービングＭＭＥ８１０とをＵＥ８０２に割り当て、（ｉｉ）ＳＧＷ８０６およびｅＮＢ８０４を介してＵＥ８０２からＰＤＧ８０８へのＰＤＮ接続を確立し、（ｉｉｉ）ＵＥ８０２およびｅＮＢビーコン８００のためのＩＰアドレスを割り当て、または確認し、（ｉｖ）ＰＤＧ８０８を介してｅＮＢビーコン８００とコアネットワーク１４０中の他のエンティティとの間でシグナリングメッセージを移送することが可能なデフォルトベアラを確立することができる。ステップ１において確立されるＰＤＮ接続およびデフォルトベアラは、ｅＮＢビーコン８００からコアネットワーク１４０へのワイヤレスバックホール接続として見なされ得る。ｅＮＢビーコン８００が、ＯＴＤＯＡ測位をサポートすることに加えて、外部のＵＥへの音声およびデータの接続性をサポートするように構成される場合、ＵＥ部分８０２は、ステップ１の一部として、またはより後の時間に（たとえば、外部のＵＥを後でサポートする場合）、ＰＤＧ８０８および／または外部のＵＥによる音声と、データと、シグナリングとのアクセスをサポートするための他のＰＤＧへの追加のＰＤＮ接続および／または追加のベアラを確立することができる。
【０１１５】
[00132]図９のステップ２において、ＵＥ８０２は、ＵＥ８０２の位置を決定または検証する際に支援を得るために、コアネットワーク１４０への接続を使用することができる。ＵＥ８０２は、支援されたＧＰＳ（Ａ−ＧＰＳ）、支援されたＧＮＳＳ（Ａ−ＧＮＳＳ）、ＥＣＩＤ、および／または他の測位方法を使用して、それ自体の位置を決定することができる。位置を決定する際、ＵＥ８０２は、３ＧＰＰ  ＴＳ  ３５．３０５および２３．２７１において説明される、ＬＴＥのための３ＧＰＰ制御プレーンの位置特定方法を利用することができ、この方法では、ＵＥ８０２のためのサービングＭＭＥ８１０に接続されるＥ−ＳＭＬＣ８１４が、（ｉ）ＵＥ８０２にＡ−ＧＰＳまたはＡ−ＧＮＳＳ支援データを提供するために、（ｉｉ）Ａ−ＧＰＳ、Ａ−ＧＮＳＳ、および／もしくは他の測位方法のためのＵＥ８０２からの測定もしくは位置推定を要求するために、ならびに／または、（ｉｉｉ）ＵＥ８０２の位置を計算するために、使用される。制御プレーンの方法が、図９のステップ２について概略的に示されている。しかしながら、制御プレーンの方法の代わりに、ＵＥ８０２は、ＰＤＧ８０８を介してホームＳＬＰ（Ｈ−ＳＬＰ）８１２とのＳＵＰＬセッションを確立し、ＯＭＡによって定義されるＳＵＰＬユーザプレーン位置特定プロトコル（ＵＬＰ）を使用してＨ−ＳＬＰ８１２と通信することによって、ＳＵＰＬユーザプレーン位置特定方法を使用することができる。この場合、Ｈ−ＳＬＰ８１２は、ＵＥ８０２が位置を測定して計算するのを助けるために、（たとえば、Ａ−ＧＰＳまたはＡ−ＧＮＳＳ支援データを、ＳＵＰＬ  ＰＯＳメッセージに含まれるＬＰＰまたはＬＰＰ／ＬＰＰｅメッセージにおいてＵＥ８０２に送信することによって）Ａ−ＧＰＳもしくはＡ−ＧＮＳＳ支援データをＵＥ８０２に提供することができ、または、Ａ−ＧＰＳ、Ａ−ＧＮＳＳ、および／もしくはＵＥ８０２によって得られた他の測定結果から、ＵＥ８０２の位置を計算することができる。ＵＥ８０２は次いで、今後の使用のためにその位置を記憶することができる。加えて、または代わりに、Ｅ−ＳＭＬＣ８１４またはＨ−ＳＬＰ８１２（どちらか使用される方）が、Ｅ−ＳＭＬＣ８１４またはＨ−ＳＬＰ８１２がそれぞれ、ＵＥ８０２がｅＮＢビーコン８００と関連付けられることを、たとえば、ｅＮＢビーコンに対応するものとしてＥ−ＳＭＬＣ８１４またはＨ−ＳＬＰ８１２においてすでに構成されている、ＵＥ８０２の測位の間にＥ−ＳＭＬＣ８１４またはＨ−ＳＬＰ８１２に運ばれる固有のまたは顕著なＩＭＳＩまたはＩＭＥＩなどの、ＵＥ８０２の固有のまたは顕著な識別情報が原因で認識している場合、ＵＥ８０２の（および、したがってｅＮＢビーコン８００の）位置を記憶することができる。顕著な識別情報の例として、ＩＭＳＩまたはＩＭＥＩの中のいくつかの桁または桁の値が、ｅＮＢビーコンを識別するためにコアネットワーク１４０の事業者によって確保されていることがあり、この場合、Ｅ−ＳＭＬＣ８１４またはＨ−ＳＬＰ８１２は、確保された桁または桁の値についての情報を用いて構成されるだけでよい。Ｅ−ＳＭＬＣ８１４またはＨ−ＳＬＰ８１２がＵＥ８０２の位置を記憶するとき、そ��位置は、ｅＮＢビーコン８００の位置を提供することによって、ＯＴＤＯＡを使用してターゲットＵＥの測位を助けるために後で使用され得る。
【０１１６】
[00133]図９のステップ３において、ｅＮＢビーコン８００は、ステップ１においてＵＥ８０２によって確立されたＰＤＧ８０８へのＰＤＮ接続とデフォルトベアラとを使用して、セキュリティゲートウェイ（ＳｅＧＷ）８２６へのセキュアなＩＰ接続（たとえば、ＩＰｓｅｃ接続またはＴＣＰ／ＴＬＳ接続）を確立することができる。ステップ３においてセキュアなＩＰ接続を確立することは、ＳｅＧＷ８２６とｅＮＢビーコン８００の両方において構成されるセキュリティ証明書に基づく、ｅＮＢビーコン８００によるＳｅＧＷ８２６の、およびＳｅＧＷ８２６によるｅＮＢビーコン８００の相互認証を伴い得る。相互認証は、コアネットワーク１４０と関連付けられないエンティティがｅＮＢビーコンとして偽装することを防ぐとともに、ｅＮＢビーコン８００が正しいコアネットワーク１４０に接続するのを確実にすることができる。ステップ３に続いて、ｅＮＢビーコン８００は、ステップ４において、スモールセルｅＮＢとして、ＨｅＮＢとして、またはｅＮＢビーコンとして登録するために、ＳｅＧＷ８２６を介してＨｅＮＢ管理システム（ＨｅＭＳ）８２８にアクセスすることができる。ステップ３およびステップ４は、ＨｅＮＢまたはスモールセルｅＮＢの登録について記述する、３ＧＰＰ  ＴＳ  ３２．５９３において記述されるようにサポートされ得る。さらに、ステップ３およびステップ４は、ＴＳ  ３２．５９３によって記述されるように、ｅＮＢビーコン８００がまず初期ＳｅＧＷ（図８にも図９にも示されていない）と初期ＨｅＭＳ（やはり図８にも図９にも示されていない）とにアクセスすることによって実現されてよく、初期ＨｅＭＳは、最終ＳｅＧＷ８２６および最終ＨｅＭＳ８２８のためのＩＰアドレスまたはＦＱＤＮをｅＮＢビーコン８００に提供する。ステップ４における登録の間、ｅＮＢビーコン８００は、ＨｅＭＳ８２８に対する識別情報（たとえば、コアネットワーク１４０の事業者によってｅＮＢビーコン８００によって割り当てられ、ｅＮＢビーコン８００において構成される固有のＩＤ）と、たとえばステップ２について説明されたような、先に取得されている可能性のあるｅＮＢビーコン８００の任意の位置とを提供することができる。ＨｅＭＳ８２８は、固有のＬＴＥセル識別情報（たとえば、ＴＡＣとＣＩ）をｅＮＢビーコン８００および１つまたは複数のＰＬＭＮ  ＩＤに割り当てることができる。ＨｅＭＳ８２８はまた、ｅＮＢビーコン８００によるＰＲＳスケジューリングおよびＰＲＳシグナリングに関する情報を構成することができ、たとえば、ノーマルＰＲＳモードおよび緊急ＰＲＳモードのためのパラメータを構成することができる。ｅＮＢビーコン８００がｅＮＢビーコンであり、ノーマルＨｅＮＢまたはスモールセルｅＮＢではないことをＨｅＭＳ８２８が認識している場合、ＨｅＭＳは、ｅＮＢビーコンに適したＰＲＳパラメータを構成することができ、たとえば、緊急ＰＲＳモードに対して高デューティサイクルまたは全デューティサイクルを構成することができる。ＨｅＭＳ８２８はまた、１つまたは複数のＬＴＥ  ＳＩＢにおいてｅＮＢビーコン８００によって続いてブロードキャストされ得る、ならびに、ノーマルｅＮＢ、ノーマルＨｅＮＢ、お���びノーマルスモールセルｅＮＢによってＳＩＢにおいてブロードキャストされる同様のデータとは異なり得る、他のデータをｅＮＢビーコン８００において構成することができる。ステップ４に続いて、ＨｅＭＳ８２８は、Ｅ−ＳＭＬＣ８２４、Ｅ−ＳＭＬＣ８１４、および／またはＨ−ＳＬＰ８１２などの、コアネットワーク１４０のための１つまたは複数の位置特定サーバにおいて、ステップ４の間にｅＮＢビーコン８００から受信された情報を構成することができる。構成された情報は、ｅＮＢビーコン８００の識別情報（たとえば、ＴＡＣおよびＣＩ）と、知られていればｅＮＢビーコン８００の位置と、ｅＮＢビーコン８００のためのＰＲＳスケジューリングおよびＰＲＳシグナリング情報（たとえば、ノーマルＰＲＳモードおよび緊急ＰＲＳモードのためのＰＲＳスケジューリング情報と、ＰＲＳのコーディング、ＰＲＳの周波数シフト、帯域幅ＢＷ、連続するサブフレームの数ＮPRS、および周期ＴPRSなどの各モードに適用可能なＰＲＳシグナリングパラメータ）とを含み得る。構成される情報は、構成された位置特定サーバによって後で使用されてよく、たとえば、Ｅ−ＳＭＬＣ８２４の場合はステップ８において後で使用されてよい。
【０１１７】
[00134]ステップ４に続いて、ｅＮＢビーコン８００は、３ＧＰＰ  ＴＳ  ３２．５９３において参照され、３ＧＰＰ  ＴＳ  ３６．４１３において記述されるＳ１セットアップ手順を実行することによって、ｅＮＢビーコン８００からＨｅＮＢ  ＧＷ８２０（図８には示されているが図９には示されていない）およびＭＭＥ８２２へのＬＴＥ  Ｓ１シグナリング接続を、ステップ５において確立することができる。ｅＮＢビーコン８００は、ステップ４の間にＨｅＭＳ８２８からＨｅＮＢ  ＧＷ８２０のＩＰアドレスを取得することができ、ＩＰを使用してＨｅＮＢ  ＧＷ８２０とメッセージを交換する方法として、ステップ３において取得されたＳｅＧＷ８２６へのセキュアなＩＰ接続を使用することができる。ステップ５において確立されたＬＴＥ  Ｓ１シグナリング接続は、ｅＮＢビーコン８００とＨｅＮＢ  ＧＷ８２０とＭＭＥ８２２との間でのシグナリングメッセージの移送をサポートするために、ステップ３において確立されたＳｅＧＷ８２６へのセキュアなＩＰ接続を使用することができる。そして、ステップ３において確立されたセキュアなＩＰ接続は、ステップ１においてＵＥ部分８０２によって確立されたＰＤＧ８０８へのＰＤＮ接続とデフォルトベアラとを利用することができる。したがって、ｅＮＢビーコン８００によってステップ５において確立されたＬＴＥ  Ｓ１シグナリング接続は、本明細書の他の箇所で説明されるように、ワイヤレスバックホール接続（この例ではステップ１においてＵＥ部分８０２によって確立される）によってサポートされると見なされ得る。ステップ５の後で、ｅＮＢビーコン８００は、サービングＨｅＮＢ  ＧＷ８２０とサービングＭＭＥ８２２とを有し得る。先に言及されたように、ＭＭＥ８２２は、ステップ１におけるＵＥ８０２によるワイヤレスバックホール接続のためのサービングＭＭＥ８１０と同じであることもまたはないこともある。いくつかの展開では、ＨｅＮＢ  ＧＷ８２０およびＳｅＧＷ８２６は、コストを減らすために組み合わされることがある（たとえば、同じ物理エンティティによってサポートされることがある）。
【０１１８】
[00135]任意選択のステップ６において、ステップ５に続いて、ｅＮＢビーコン８００は、ｅＮＢビーコン８００についての情報を、ＭＭＥ８２２からアクセス可能な、またはＭＭＥ８２２に接続される、１つまたは複数のＥ−ＳＭＬＣに運ぶことができる。たとえば、ｅＮＢビーコン８００は、それ自体の識別情報（たとえば、ステップ４においてＨｅＭＳ８２８によってＨｅＮＢビーコン８００に割り当てられるＴＡＣおよびＣＩ）、それ自体の位置（たとえば、ステップ２において取得されるような）、および／または、ＭＭＥ８２２に接続されるＥ−ＳＭＬＣ８２４へのＰＲＳ送信とスケジューリングとに関する情報（たとえば、ステップ４においてＨｅＭＳ８２８から取得されるような）を送信することができる。この情報はまた、（たとえば、ノーマルＨｅＮＢまたはスモールセルｅＮＢではなく）ｅＮＢビーコンとしてｅＮＢビーコン８００を識別することができる。この情報は、ステップ５において確立されたＬＴＥ  Ｓ１シグナリング接続を介して、およびＭＭＥ８２２を介して、ｅＮＢビーコン８００からＥ−ＳＭＬＣ８２４に移送されてよく、ｅＮＢビーコン８００とＥ−ＳＭＬＣ８２４との間で交換されるＬＰＰａプロトコルメッセージに収容されてよい。Ｅ−ＳＭＬＣ８２４は次いで、受信された情報を記憶し、ＯＴＤＯＡを使用して１つまたは複数のターゲットＵＥを位置特定するのを助けるためにその情報を後で（たとえば、ステップ８において）利用することができる。
【０１１９】
[00136]ある実施形態では、ステップ６における情報は、ｅＮＢビーコン８００によってサービスされているように見える（したがって、ｅＮＢビーコンによってエミュレートされており、よって実際にはｅＮＢビーコン８００の内部にあっても、ｅＮＢビーコン８００の外部にあるように見える）外部のＵＥ（たとえば、ＵＥ部分８０２とは別のＵＥ）をエミュレートしているｅＮＢビーコン８００によって、Ｅ−ＳＭＬＣ８２４に運ばれ得る。この実施形態では、ｅＮＢビーコン８００はまず、ＭＭＥ８２２との外部ＵＥのためのＬＴＥ接続手順を引き起こすことができ、次いで、３ＧＰＰ  ＴＳ  ２３．２７１において定義される３ＧＰＰ制御プレーン方法に従って、位置特定要求（たとえば、３ＧＰＰ  ＴＳ  ２４．１７１において定義されるような、モバイル由来の位置特定要求（ＭＯ−ＬＲ：mobile originated location request））をＭＭＥ８２２に送信することができる。この場合、ＭＭＥ８２２は、位置特定要求をＥ−ＳＭＬＣ８２４に渡すことができ、Ｅ−ＳＭＬＣ８２４は次いで、ｅＮＢビーコン８００（これはＥ−ＳＭＬＣ８２４の観点からは外部ＵＥとして扱われ得る）とＬＰＰメッセージを交換することによって、外部ＵＥの（したがってｅＮＢビーコン８００の）位置を取得するために、ｅＮＢビーコン８００を支援することができる。Ｅ−ＳＭＬＣ８２４が外部のＵＥの（したがってｅＮＢビーコン８００の）位置を取得した後で、外部のＵＥの位置を取得したように見えても、外部のＵＥが実際にはｅＮＢビーコンによってエミュレートされていることをＥ−ＳＭＬＣ８２４が認識している場合、この位置およびｅＮＢビーコン８００の識別情報（たとえば、ＴＡＣおよびＣＩ）は、Ｅ−ＳＭＬＣ８２４によって記憶され得る。Ｅ−ＳＭＬＣ８２４は、Ｅ−ＳＭＬＣ８２４においてすでに構成されておりｅＮＢビーコンと関連付けられている、外部のＵＥに対する、ＭＭＥ８２２への、したがってＥ−ＳＭＬＣ８２４へのｅＮＢビーコン８００による固有のまたは顕著なＩＭＥＩまたはＩＭＳＩの準備を介して、このエミュレーションを認識している可能性がある（たとえば、ステップ２について説明された顕著なまたは固有のＩＭＳＩまたはＩＭＥＩの使用と同様）。Ｅ−ＳＭＬＣ８２４は、この実施形態では受信された情報（たとえば、Ｅ−ＳＭＬＣがエミュレートされた外部のＵＥのための測位手順の一部として受信し得る、ｅＮＢビーコン８００の位置ならびにｅＮＢビーコン８００のＴＡＣおよびＣＩ）を同様に記憶することができ、ＯＴＤＯＡを使用して１つまたは複数のターゲットＵＥを位置特定するのを助けるためにそれを後で（たとえば、ステップ８において）利用することができる。
【０１２０】
[00137]ステップ５またはステップ６に続いて、ｅＮＢビーコン８００は、ＰＲＳ信号と、場合によってはＬＴＥ  ＳＩＢとを送信することによって、ＯＴＤＯＡのサポートを開始することができる。ｅＮＢビーコン８００は任意選択で、ノーマルｅＮＢスモールセルまたはＨｅＮＢとして機能することによって、データおよび音声の接続性をサポートするためにＵＥからのアクセスを可能にすることによって、ＵＥのためのＬＴＥカバレッジを（ＯＴＤＯＡのサポートに加えて）任意選択で提供することができる。ｅＮＢビーコンがＧＰＳまたはＧＮＳＳ受信機を有する場合、ｅＮＢビーコン８００からのＰＲＳ（および他の送信）は、ＧＰＳまたは何らかの他のＧＮＳＳなどの、何らかの絶対的な時間の基準と揃えられ得る。代替的に、ＰＲＳ送信は、ｅＮＢ８０４などの何らかの近くのｅＮＢから受信されたＰＲＳ送信と揃えられてよく、たとえば、近くのｅＮＢからの信号伝播時間を考慮して厳密に揃えられてよく、または、（ステップ４においてＨＭＳ８２８によって提供される）何らかの固定された既知のオフセットを有することがある。ｅＮＢビーコン８００と近くのｅＮＢとの間の信号伝播遅延は、ステップ４においてＨｅＭＳ８２８によって提供されてよく、または、ｅＮＢ８０４が近くのｅＮＢである場合、ｅＮＢビーコン８００および／またはｅＮＢ８０４によって測定されてよい。
【０１２１】
[00138]任意選択のステップ７において、ステップ５に続いて、Ｅ−ＳＭＬＣ８２４は、たとえばＬＰＰａプロトコルを使用して、ｅＮＢビーコン８００からの情報を要求し得る。たとえば、Ｅ−ＳＭＬＣ８２４は、ｅＮＢビーコン８００の位置および／またはＰＲＳ送信についての情報を要求し得る。ｅＮＢビーコン８００は、要求された情報を（たとえば、ＬＰＰａを使用して）Ｅ−ＳＭＬＣ８２４に返すことができ、Ｅ−ＳＭＬＣ８２４は、たとえばステップ８において、今後の使用のために情報を記憶することができる。ステップ７を引き起こして、ｅＮＢビーコン８００の識別情報（たとえば、ＴＡＣおよびＣＩ）（これは、ＭＭＥ８２２およびＨｅＮＢ  ＧＷ８２０を介してＥ−ＳＭＬＣ８２４からｅＮＢビーコン８００に情報の要求を正確にルーティングするために必要とされ得る）をＥ−ＳＭＬＣ８２４が事前に知ることを可能にするために、Ｅ−ＳＭＬＣ８２４は、（ステップ６が行われる場合には）ステップ６の間に取得された、または、上で説明されたようにステップ４に続いてＨｅＭＳ８２８から別様に取得された情報を利用することができる。
【０１２２】
[00139]代替的な実施形態では、図９のステップ７は、ターゲットＵＥ（たとえば、図３Ａ、図３Ｂ、図４Ａ、図４Ｂ、および図７のＵＥ３０２）に対する位置特定要求がＥ−ＳＭＬＣ８２４に（たとえば、図７のステップ７のようにＭＭＥ８２２から、そうするとＭＭＥ８２２は図７のＭＭＥ３１５に対応し、Ｅ−ＳＭＬＣ８２４は図７のＥ−ＳＭＬＣ３５５に対応する）送信される場合に、引き起こされ得る。Ｅ−ＳＭＬＣ８２４は、この実施形態ではターゲットＵＥのためのサービングセルに対して一意に構成される情報を有しないことがある（または、サービングセルに対して構成される位置情報またはＰＲＳ情報を有しないことがある）が、位置特定要求の一部として（たとえば、図７のステップ７のように位置特定要求の一部として）サービングセルＩＤ（たとえば、ＴＡＣおよびＣＩ）を受信することができる。受信されるサービングセルＩＤは、ｅＮＢビーコン８００が少なくともいくつかのＵＥに対して通常のＬＴＥサービス（たとえば、モビリティ管理および音声とデータとの接続性）ならびに測位をサポートする場合、ｅＮＢビーコン８００などのｅＮＢビーコンとサービングセルが関連付けられること、または関連付けられ得ることの指示を含み得る。この指示は、サービングセルＩＤ（たとえば、ＴＡＣまたはＣＩ）中のいくつかの桁またはビットに含まれ得る。たとえば、コアネットワーク１４０のネットワーク事業者は、ｅＮＢビーコンを示すために、ある範囲のＴＡＣ値もしくはＣＩ値、またはいくつかのＴＡＣビットもしくはＣＩビットのいくつかの値を確保していることがあり、Ｅ−ＳＭＬＣ８２４においてこの確保された範囲またはこれらの確保された値を構成していることがある。そのような構成に基づいて、Ｅ−ＳＭＬＣ８２４は、図９のステップ７について示されるように、位置および他の情報に対する要求をｅＮＢビーコン８００に送信してルーティングするために、サービングセルＩＤを使用することができる。この実施形態においてｅＮＢビーコン８００に送信される要求は、ターゲットＵＥのＥＣＩＤ情報に対するＬＰＰａ要求を備え得る（たとえば、ＬＰＰａ  ＥＣＩＤ  Ｍｅａｓｕｒｅｍｅｎｔ  Ｉｎｉｔｉａｔｉｏｎ  Ｒｅｑｕｅｓｔを備え得る）。ｅＮＢビーコン８００は次いで、ｅＮＢビーコン８００の位置座標、ｅＮＢビーコン８００のＰＲＳ情報、および／または、ｅＮＢビーコン８００および／またはターゲットＵＥによって行われるＥＣＩＤ測定などの他の情報を含み得る、ＬＰＰａ  ＥＣＩＤ応答（たとえば、ＬＰＰａ  ＥＣＩＤ  Ｍｅａｓｕｒｅｍｅｎｔ  Ｉｎｉｔｉａｔｉｏｎ  Ｒｅｓｐｏｎｓｅ）をＥ−ＳＭＬＣ８２４に返すことができる。ＬＰＰａ  ＥＣＩＤ要求および応答は、ＬＰＰａについて３ＧＰＰ  ＴＳ  ３６．４５５において定義されるようなものであり得る。この実施形態の変形では、Ｅ−ＳＭＬＣ８２４は代わりに、ＵＥのサービングセルではないＥ−ＳＭＬＣ８２４によって測位されている、ＵＥの近くのセルのＩＤを受信することができる。たとえば、測位されているＵＥは、ＵＥからＥ−ＳＭＬＣ８２４によって要求されるＥＣＩＤ測定結果の一部として、セルＩＤをＥ−ＳＭＬＣ８２４に提供することができる。Ｅ−ＳＭＬＣ８２４��、（たとえば、ちょうどサービングセルＩＤの場合に説明されたように）コアネットワーク１４０のネットワーク事業者のためのｅＮＢビーコンを示すものとして受信されたセルＩＤを認識するが、このセルのために構成された情報（または位置またはＰＲＳ関連の情報）を有しない場合、Ｅ−ＳＭＬＣ８２４は、ｅＮＢビーコンの位置およびＰＲＳ情報などの情報をｅＮＢビーコンから取得するために、図９のステップ７を引き起こすことができる。
【０１２３】
[00140]ステップ８において、図４Ａ、図４Ｂ、または図７のＵＥ３０２などのターゲットＵＥ（図８または図９には示されていない）が位置特定される必要があることがあり、Ｅ−ＳＭＬＣ８２４は、位置特定をサポートするためにＭＭＥによって（たとえば、ＭＭＥ８２２によって）要求されることがある。位置特定は、緊急の呼に関連して発生して、図７において説明されたように進行し得る。Ｅ−ＳＭＬＣ８２４は次いで、ターゲットＵＥのＯＴＤＯＡ位置特定をサポートするために、１つまたは複数のｅＮＢ、ＨｅＮＢ、および／またはｅＮＢビーコンを特定することができる。具体的には、（ｉ）ｅＮＢビーコンの既知の位置（たとえば、Ｅ−ＳＭＬＣ８２４においてＥ−ＳＭＬＣ８２４の事業者によって構成されるような、あるいは、ＨｅＭＳ８２８から、もしくはＨｅＮＢビーコン８００からステップ４の結果として、またはステップ６を使用したＨｅＮＢビーコン８００の測位の結果として、Ｅ−ＳＭＬＣ８２４によって取得されるような、あるいは、ステップ７においてｅＮＢビーコン８００からの情報を要求することによって取得されるような）、および、（ｉｉ）ターゲットＵＥの概略的な場所（たとえば、ターゲットＵＥのサービングセルから取得されるような）に基づいて、Ｅ−ＳＭＬＣ８２４は、ターゲットＵＥのためのＯＴＤＯＡ測位をサポートする際に、ｅＮＢビーコン８００を利用することを決定し得る。Ｅ−ＳＭＬＣ８２４はまた、ｅＮＢビーコン８００がターゲットＵＥのサービングセルをサポートする場合（たとえば、ｅＮＢビーコン８００が通常のＬＴＥサービスならびに測位をサポートする場合）、ターゲットＵＥのためのＯＴＤＯＡ測位をサポートする際にｅＮＢビーコン８００を利用すると決定し得る。Ｅ−ＳＭＬＣ８２４は次いで、たとえばステップ８またはステップ９または図７のように、ｅＮＢビーコンからのＰＲＳスケジューリングを適応させるために、ＭＭＥ（たとえば、ＭＭＥ８２２）およびＨｅＮＢ  ＧＷ８２０を介して、ｅＮＢビーコン８００にメッセージ（たとえば、ＬＰＰａメッセージ）を送信することができる。この場合、ｅＮＢビーコン８００は、図７のｅＮＢ１  ３０５またはｅＮＢ２  ４１０に対応し得る。ｅＮＢビーコン８００は次いで、たとえば図７で説明されるように、ターゲットＵＥの測位を支援し得るＰＲＳ送信を修正する（たとえば、ノーマルＰＲＳモードから緊急ＰＲＳモードに一時的に切り替える）ことができる。上で説明されたようなステップ６、７、および８においてｅＮＢビーコン８００とＭＭＥ８２２および／またはＥ−ＳＭＬＣ８２４との間で交換され得るシグナリングメッセージ（たとえば、ＬＰＰａシグナリングメッセージ、ＬＰＰシグナリングメッセージ、および／またはＭＯ−ＬＲ要求）は、ステップ５において確立されるＳ１シグナリング接続と、ステップ３において確立されるセキュアなＩＰ接続と、ステップ１において確立されるワイヤレスバックホール接続（たとえば、ＰＤＮ接続およびデフォルトベアラ）とを使用して運ばれ得る。
【０１２４】
[00141]図１０は、図９のステップ１において確立されたワイヤレスバックホール接続のための例示的なプロトコルスタックと、図９のステップ５において確立されたｅＮＢビーコン８００からＨｅＮＢ  ＧＷ８２０へのＬＴＥ  Ｓ１シグナリング接続とを示す。ＳｅＧＷ８２６は、図１０では省略されており、ＰＤＧ８０８からＨｅＮＢ  ＧＷ８２０へのＩＰレベルでの中継を行うだけであり得る。ＭＭＥ８２２も図１０では省略されており、図９のステップ５において確立されたＬＴＥ  Ｓ１シグナリング接続のサポートにおいてＨｅＮＢ  ＧＷ８２０と同じプロトコルをサポートし得る。図１０に示されるプロトコルは、ＵＥによるＬＴＥアクセスのために使用されるプロトコル（たとえば、３ＧＰＰ  ＴＳ  ２３．４０１に記述されるような）と、ＨｅＮＢ  ＧＷおよびＭＭＥへのＨｅＮＢアクセスのために使用されるプロトコル（たとえば、３ＧＰＰ  ＴＳ  ３６．３００およびＴＳ  ２３．４０１に記述されるような）とに対応する。図１０に示されるプロトコルレイヤは、３ＧＰＰ  ＴＳ  ３６．４１３に記述されるＳ１アプリケーションプロトコル（Ｓ１  ＡＰ）と、ＩＥＴＦ  ＲＦＣ  ４９６０において定義されるストリーム制御送信プロトコル（ＳＣＴＰ：Stream Control Transmission Protocol）と、３ＧＰＰ  ＴＳ  ２９．２８１に記述されるＧＰＲＳトンネリングプロトコルユーザプレーン（ＧＴＰ−Ｕ：GPRS Tunneling Protocol user plane）と、ＩＥＴＦ  ＲＦＣ７６８において定義されるユーザデータグラムプロトコル（ＵＤＰ）と、３ＧＰＰ  ＴＳ  ３６．３２３に記述されるパケットデータコンバージェンスプロトコル（ＰＤＣＰ）と、３ＧＰＰ  ＴＳ  ３６．３２２に記述される無線リンク制御（ＲＬＣ）プロトコルと、３ＧＰＰ  ＴＳ  ３６．３２１に記述される媒体アクセス制御（ＭＡＣ）プロトコルとを含む。ｅＮＢビーコン８００、ｅＮＢ８０４、ＳＧＷ８０６、およびＰＤＧ８０８によってサポートされるものとして示される図１０のＩＰレベル以下のプロトコルレイヤは、（図９のステップ１において確立される）ｅＮＢビーコン８００からのワイヤレスバックホール接続をサポートし得るが、図１０のＩＰレベルより上のプロトコルレイヤ（ならびにＩＰレベル以下のプロトコルレイヤ）は、（図９のステップ５において確立された）ＬＴＥ  Ｓ１シグナリング接続をサポートし得る。ｅＮＢビーコン８００のＵＥ部分８０２によってサポートされ得るプロトコルレイヤは、図１０では影付きで示されており、Ｌ１レイヤと、ＭＡＣレイヤと、ＲＬＣレイヤと、ＰＤＣＰレイヤと、ＩＰレイヤとを備える。
【０１２５】
[00142]図１１は、ＬＰＰａプロトコルを使用してｅＮＢビーコン８００とＥ−ＳＭＬＣ８２４との間での情報の移送を可能にするための、図９のステップ６、ステップ７、および／またはステップ８において使用され得る例示的なプロトコルスタックを示す。図１１に示されるプロトコルは、ＨｅＮＢ  ＧＷおよびＭＭＥへのＨｅＮＢアクセスのために使用されるプロトコル（たとえば、３ＧＰＰ  ＴＳ  ３６．３００に記述されるような）と、ＭＭＥとＥ−ＳＭＬＣとの間で使用されるプロトコル（たとえば、３ＧＰＰ  ＴＳ  ２９．１７１に記述されるような）とに対応する。図１０のように、プロトコルの略称が表１に列挙されており、公開されている定義を有する既知のプロトコルに対応する。図１１のｅＮＢビーコン８００とＨｅＮＢ  ＧＷ８２０との間での情報の移送は、ｅＮＢビーコン８００へのワイヤレスバックホール接続（図９のステップ１において確立される）を利用することができ、図１０に示されるプロトコルスタックと中間エンティティとを使用することができる（ただし図１１には示されていない）。図１１を参照すると、ｅＮＢビーコン８００およびＥ−ＳＭＬＣ８２４は、ＬＰＰａを介してエンドツーエンドで通信することができ、ＬＰＰａは、ｅＮＢビーコン８００およびＥ−ＳＭＬＣ８２４のためのプロトコルスタックの頂点に存在し得る。ＬＰＰａメッセージは、（ｉ）（たとえば、図９のステップ６および／またはステップ７において）ｅＮＢビーコン８００が情報をＥ−ＳＭＬＣ８２４に送信することを可能にするために、（ｉｉ）（たとえば、図９のステップ７において）Ｅ−ＳＭＬＣ８２４がｅＮＢビーコン８００からの情報を要求することを可能にするために、および／または、（ｉｉｉ）（たとえば、図９のステップ８において）Ｅ−ＳＭＬＣ８２４がｅＮＢビーコンにおいて新しいＰＲＳスケジューリングを構成するために情報および／または命令をｅＮＢビーコン８００に送信することを可能にするために、使用され得る。図１１に示されるｅＮＢビーコン８００とＨｅＮＢ  ＧＷ８２０との間のプロトコルスタック、およびＨｅＮＢ  ＧＷ８２０とＭＭＥ８２２との間のプロトコルスタックは、Ｓ１アプリケーションプロトコル（Ｓ１  ＡＰ）と、ストリーム制御送信プロトコル（ＳＣＴＰ）と、ＩＰと、レイヤ２（Ｌ２）と、レイヤＬ１（Ｌ１）とを含み得る。図１１に示されるＭＭＥ８２２とＥ−ＳＭＬＣ８２４との間のプロトコルスタックは、３ＧＰＰ  ＴＳ  ２９．１７１、ＳＣＴＰ、ＩＰ、レイヤ２、およびレイヤ１に記述される位置特定サービスアプリケーションプロトコル（ＬＣＳ−ＡＰ：Location Services Application Protocol）を含み得る。
【０１２６】
[00143]図９のステップ８においてターゲットＵＥのＯＴＤＯＡ測位を支援するためにｅＮＢビーコン８００を利用するために、Ｅ−ＳＭＬＣ８２４は、様々な方式で、識別情報（たとえば、ＴＡＣおよびＣＩ）および位置座標などの、ｅＮＢビーコン８００のための情報を用いて事前に構成され得る。たとえば、ｅＮＢビーコン８００のための情報は、コアネットワーク１４０およびＲＡＮ１２０のネットワーク事業者によって、または、この事業者の代わりにネットワーク事業者の管理者によって、Ｅ−ＳＭＬＣ８２４において事前に構成され得る。次いで、ｅＮＢビーコン８００の位置が、実地調査から、正確な地図もしくは建物の見取図を使用して、または、ｅＮＢビーコン８００の隣もしくは近くに位置するＧＰＳもしくはＧＮＳＳ測位受信機を使用することによって、取得され得る。代替的に、ｅＮＢビーコン８００の存在および／または位置は、図９のステップ４に続いてＨｅＭＳ８２８によって、または、（たとえば、図９のステップ６およびステップ７について説明されたように）ｅＮＢビーコン８００自体によって、Ｅ−ＳＭＬＣ８２４に知らされ得る。Ｅ−ＳＭＬＣ８２４がｅＮＢビーコン８００の存在および識別情報を認識すると、ｅＮＢビーコン８００のための追加の情報（たとえば、位置および／またはＰＲＳ関連の情報）が、図９のステップ７について説明されたように、Ｅ−ＳＭＬＣ８２４からｅＮＢビーコンへの要求によって取得され得る。上で説明された手順を、図８に示されるアーキテクチャと組み合わせて利用することによって、ｅＮＢビーコン８００は、さらなるバックホールのサポートなしで展開され得る。加えて、ｅＮＢビーコン８００の展開は迅速に実行され得るので、たとえば、緊急事態の際に公安によって、および／または迅速に展開される測位ビーコンを有利に利用する他の実装形態において、携帯可能なｅＮＢビーコンが迅速に展開されることが可能になる。
【０１２７】
[00144]図８および図９に関連して説明されたｅＮＢビーコン８００の展開は、（たとえば、図９のステップ１について説明されたように）ワイヤレスバックホールがＬＴＥを使用して提供されることを仮定する。しかしながら、他のタイプのワイヤレスバックホールが可能である。たとえば、図９のステップ１においてワイヤレスバックホールを確立するためにＬＴＥを使用する代わりに、ＵＥ部分８０２は、ＷＣＤＭＡネットワーク、ｃｄｍａ２０００ネットワーク、ＨＲＰＤネットワーク、またはＷｉＦｉ  ＩＥＥＥ  ８０２．１１  ＡＰに接続し、ＩＰ接続性を確立する（たとえば、図９のステップ１において確立されるＰＤＮ接続およびデフォルトベアラの等価物を確立する）ことができる。ＵＥ８０２は次いで、図９のステップ３のようにＳｅＧＷ８２６へのセキュアなＩＰ接続を確立するためにこのＩＰ接続性を利用し、先に説明されたような図９の残りのステップを実行することができる。この場合、図９のステップ２はまた、ＵＥ部分８０２が、ＳＵＰＬを使用して、または、ＷＣＤＭＡまたはｃｄｍａ２０００ネットワークへの接続の場合には、ＷＣＤＭＡもしくはｃｄｍａ２０００に適用可能な制御プレーンの位置特定方法をそれぞれ使用して、それ自体の位置を取得する、等価であるが異なるステップにより置き換えられ得る。ＬＴＥではない何らかの他のタイプのワイヤレスバックホール（ＷＣＤＭＡ、ｃｄｍａ２０００、またはＷｉＦｉなど）が使用されるとき、図８において影付きで示されているエンティティは、物理的または機能的に異なり得る。たとえば、ＵＥ部分８０２は使用され続けるが、今度はＬＴＥとは異なるワイヤレス技術を使用するネットワーク接続をサポートする。ｅＮＢ８０４は、バックホールのために使用されるワイヤレス技術のための基地局またはＡＰによって置き換えられる（たとえば、ＷｉＦｉ接続の場合にはＷｉＦｉ  ＡＰによって、または、ＷＣＤＭＡ接続の場合には３ＧＰＰ  Ｎｏｄｅ  Ｂによって置き換えられる）。Ｈ−ＳＬＰ８１２は、存在し続け得るが、ＰＤＧ８０８とは異なるコアネットワークエンティティに接続され得る。他のコアネットワークエンティティ（ＳＧＷ８０６、ＰＤＧ８０８、ＭＭＥ８１０、およびＥ−ＳＭＬＣ８１４）は、バックホールのために使用されるワイヤレス技術と関連付けられる他の等価のまたは同様のエンティティによって除去および／または置換され得る。たとえば、ＷＣＤＭＡバックホールの場合、Ｅ−ＳＭＬＣ８１４がＳＡＳによって置換されてよく、ＳＧＷ８０６とＭＭＥ８１０の両方がＳＧＳＮによって置換されてよく、ＰＤＧ８０８がＧＧＳＮによって置換されてよい。
【０１２８】
[00145]図９のステップ８のようにターゲットＵＥを測位するために３ＧＰＰ制御プレーンの位置特定方法を使用することは、ＳＵＰＬユーザプレーンの位置特定方法などの異なる位置特定方法によって置換され得る。たとえば、図９のステップ８においてＬＴＥの３ＧＰＰ制御プレーンの方法を使用してターゲットＵＥを測位するために図８のＥ−ＳＭＬＣ８２４を使用する代わりに、図８のＨ−ＳＬＰ８１２は代わりに、ＳＵＰＬの位置特定方法とともに使用され得る。その場合、Ｈ−ＳＬＰ８１２は、ｅＮＢビーコン８００などのｅＮＢビーコンの存在を認識する必要があり、いくつかのセルがサポートされるときの関連するセル識別情報（たとえば、ＴＡＣおよびＣＩ）または関連するセル識別情報、位置、ならびに場合によってはＰＲＳスケジューリング情報およびＰＲＳシグナリング情報（たとえば、ノーマルＰＲＳモードおよび緊急ＰＲＳモード、ならびに、ＰＲＳのコーディング、ＰＲＳの周波数シフト、帯域幅ＢＷ、連続するサブフレームの数ＮPRS、および周期ＴPRSなどの各モードに適用可能なＰＲＳシグナリングパラメータに関する）などの、これらのｅＮＢビーコンのための情報を必要とする。Ｅ−ＳＭＬＣ８２４の場合と同様に、この情報は、（ｉ）コアネットワーク１４０およびＲＡＮ１２０の事業者または管理者によってＨ−ＳＬＰ８１２において事前に構成され、（ｉｉ）図９のステップ４に続いてＨｅＭＳ８２８によってＨ−ＳＬＰ８１２に提供され、（ｉｉｉ）Ｈ−ＳＬＰ８１２に接続される、またはＨ−ＳＬＰ８１２の一部であるＥ−ＳＭＬＣ８２４などのＥ−ＳＭＬＣによってＨ−ＳＬＰ８１２に提供され（たとえば、Ｅ−ＳＭＬＣは図９について前に説明されたように情報を取得する）、または、（ｉｖ）（たとえば、ｅＮＢビーコンを表す予備のＩＭＳＩまたはＴＡＣまたはＣＩを介して）Ｈ−ＳＬＰ８１２がｅＮＢビーコン８００をｅＮＢビーコンとして認識することが可能である場合、ＳＵＰＬを使用して（ＭＭＥ８２２およびＥ−ＳＭＬＣ８２４からではなく）Ｈ−ＳＬＰ８１２から図９のステップ６においてｅＮＢビーコン８００がこの位置を要求すれば、ｅＮＢビーコン８００によって間接的に提供され得る。Ｈ−ＳＬＰ８１２は、ＳＵＰＬセッションにおいて運ばれる新しいＬＰＰメッセージを使用して、または、本明細書において先に説明されたようにＬＰＰａを使用することによって、図９のステップ８において（たとえば、ｅＮＢビーコン８００をノーマルＰＲＳモードと緊急ＰＲＳモードとの間で切り替えるために）ｅＮＢビーコン８００におけるＰＲＳスケジューリングを制御することができ、この場合、Ｈ−ＳＬＰ８１２は、Ｅ−ＳＭＬＣの一部の機能を実行するか、またはＨ−ＳＬＰ８１２がＬＰＰａを使用してＥ−ＳＭＬＣを介してｅＮＢビーコン８００との間で情報を送受信することを可能にするＥ−ＳＭＬＣ８２４などのノーマルＥ−ＳＭＬＣへのリンクを有するかのいずれかである。代替として、Ｈ−ＳＬＰ８１２は、ＩＰトランスポートを使用して、および場合によっては、ＳｅＧＷ８２６を介したＩＰ接続性を利用することによってＩＰより上にありＬＰＰａより下にあるＳＣＴＰプロトコルも使用することによって、ｅＮＢビーコン８００と直接��ＰＰａメッセージを交換することができ、たとえばこのとき、Ｈ−ＳＬＰ８１２は、ＩＰ（および場合によってはＳＣＴＰ）を使用してＳｅＧＷ８２６にＬＰＰａメッセージを送信し、ＳｅＧＷ８２６が次いで、ＵＥ部分８０２によって確立されるワイヤレスバックホールを介してＬＰＰａメッセージをｅＮＢビーコン８００にルーティングする。いくつかの実施形態では、ターゲットＵＥがＯＴＤＯＡを使用して測位されており、ターゲットＵＥがＲＡＮ１２０およびコアネットワーク１４０の事業者とは異なる事業者に属するとき、Ｈ−ＳＬＰ８１２は、ＯＴＤＯＡ測位をサポートするための上で説明された手順および対話に大きな変更を伴わずに、発見されたＳＬＰ（Ｄ−ＳＬＰ）によって置換されてよく、またはＤ−ＳＬＰとして機能し得る。
【０１２９】
[00146]ｅＮＢのＰＲＳスケジュールおよびｅＮＢビーコンが図８〜図１１に例示されたようにＥ−ＳＭＬＣまたはＨ−ＳＬＰ（またはＤ−ＳＬＰ）から制御され得るＯＴＤＯＡをサポートするように、追加のＰＲＳカバレッジを提供するためにｅＮＢビーコンを使用することは、セキュリティゲートウェイ（たとえば、ＳｅＧＷ８２６）およびＨｅＮＢゲートウェイ（たとえば、ＨｅＮＢ  ＧＷ８２０）を介してＨｅＮＢおよび／またはスモールセルｅＮＢをサポートするための、ネットワーク事業者の既存の能力に基づき得る。この既存の能力を有する事業者については、ｅＮＢビーコン（たとえば、ｅＮＢビーコン８００）の追加は、ＭＭＥ（たとえば、ＭＭＥ８１０またはＭＭＥ８２２）などのいくつかのコアネットワークエンティティまたは既存のＲＡＮエンティティ（たとえば、ｅＮＢ８０４）に対する新たな影響を与えないことがある（または大きな新たな影響を与えないことがある）。代わりに、新たな影響は、Ｏ＆Ｍ（たとえば、ＨｅＭＳ８２８）およびいくつかの位置特定サーバ（たとえば、Ｅ−ＳＭＬＣ８２４またはＨ−ＳＬＰ８１２）、ならびにｅＮＢビーコン８００に限られ得る（または主に限られ得る）。したがって、ｅＮＢビーコンをサポートする例示的な方法は、必要なＨｅＮＢまたはｅＮＢスモールセル能力をすでに展開している事業者に適していることがある。ＨｅＮＢまたはｅＮＢスモールセル能力を持たない事業者については、事業者は、１つまたは複数のｅＮＢビーコンを展開する代わりに、１つまたは複数の中継ノード（ＲＮ）を展開することができる。
【０１３０】
[00147]ＬＴＥカバレッジを拡大するために中継ノードを使用することは、３ＧＰＰ  Ｒｅｌｅａｓｅ  １１以降の３ＧＰＰ  ＴＳ  ３６．３００に記述されている。中継ノードは、ワイヤレスバックホールを使用してドナーｅＮＢ（ＤｅＮＢ）として知られている別のｅＮＢに接続し、ＤｅＮＢから直接ＬＴＥカバレッジを得るためにＤｅＮＢから遠すぎるＵＥからのアクセスを可能にすることによって、ＤｅＮＢのための拡張されたＬＴＥカバレッジを提供する。ＤｅＮＢは通常、事業者のコアネットワークへの有線のバックホールまたは専用のワイヤレス（たとえば、マイクロ波）バックホールを有する。３ＧＰＰ  ＴＳ  ３６．３００における方法は、ＤｅＮＢを介してＭＭＥまたはＥ−ＳＭＬＣなどのコアネットワークエンティティにＲＮがアクセスすることが必要である。コアネットワークエンティティ（Ｏ＆Ｍを除く）は、ＲＮへの直接のアクセス権を有しないことがあるので、ＲＮからのＰＲＳスケジューリングを制御すること、または（たとえば、ＬＰＰａを使用して）ＰＲＳ送信パラメータについてＲＮに問い合わせることが可能ではないことがある。具体的には、ＲＮは、ＵＥの代わりにＬＴＥカバレッジを拡大するように、および、ＯＴＤＯＡをサポートするためのＰＲＳカバレッジを拡大しないように、３ＧＰＰによって定義される。しかしながら、３ＧＰＰ  ＴＳ  ３６．３００において定義されるＲＮ方法に対するいくつかの拡張が、ＲＮの展開がＯＴＤＯＡをサポートすることを可能にするために、下でさらに説明されるように利用され得る。ＬＴＥカバレッジを拡大するためにＲＮをサポートすることは、いくつかの既存のＲＡＮエンティティに対する（たとえば、ＤｅＮＢに対する）、およびいくつかのコアネットワークエンティティ（たとえば、ＭＭＥ）ならびにＯ＆Ｍに対する、新たな影響を要し得る。加えて、ＯＴＤＯＡをサポートするために下でさらに説明されるようなＲＮの使用は、Ｅ−ＳＭＬＣまたはＨ−ＳＬＰなどの位置特定サーバに影響を与え得る。
【０１３１】
[00148]図１２は、ＯＴＤＯＡのための拡大されたＰＲＳカバレッジをサポートするために、および任意選択で、ＵＥのための拡大されたＬＴＥカバレッジをサポートするためにＲＮビーコン１２０２が展開され、ＵＥが、ＯＴＤＯＡをサポートするためにＰＲＳ信号を受信することに加えて、ＲＮビーコンに接続して音声およびデータの接続性のような通常のネットワークサービスを受けることが可能である、例示的なアーキテクチャ１２００を示す。ＲＮビーコン１２０２は、単一のＤｅＮＢ１２０４とサービングＭＭＥ１２０６とを有する。ＲＮビーコン１２０２は、図４ＡのｅＮＢビーコン４００に対応し得る。下でさらに説明されるように、ＲＮビーコン１２０２はまた、Ｅ−ＳＭＬＣ１２０８、Ｏ＆Ｍ機能１２１２、およびＨ−ＳＬＰ（またはＤ−ＳＬＰ）１２１４と対話し得る。ＲＮビーコン１２０２は、ＵＥ部分と、論理的または物理的に別のｅＮＢ部分（図１２には示されていない）とを含み得る。たとえば、ＵＥ部分は図１３において後で説明されるステップ１と２とをサポートすることができ、ｅＮＢ部分は図１３の他のステップの少なくとも一部をサポートすることができる。ＤｅＮＢ１２０４は、ＭＭＥ１２０６に（たとえば、ワイヤレスまたは有線バックホール接続を介して）、ならびに場合によっては他のＭＭＥ（図１２には示されていない）に接続され、Ｏ＆Ｍ機能１２１２およびＨ−ＳＬＰ１２１４にも接続される事業者のＩＰネットワーク１２１０（たとえば、ＬＡＮネットワークおよび／またはＩＰルータのセット）に接続され得る。いくつかの実施形態では、ＤｅＮＢ１２０４は、Ｏ＆Ｍ機能１２１２および／またはＨ−ＳＬＰ１２１４に直接接続され得る。ＲＮビーコン１２０２は、ＯＴＤＯＡをサポートするためにＰＲＳ信号を送信し、場合によっては、ＯＴＤＯＡをサポートするためだけに使用されるときは、１つまたは複数のＬＴＥ  ＳＩＢを送信する。ＵＥからのＬＴＥアクセスをサポートするためにも使用されるとき、ＲＮビーコンは、ＵＥからのＲＲＣ接続をサポートすること、ならびに音声および／またはデータのアクセスのためのベアラ接続性を提供することなどの、３ＧＰＰ  ＴＳ  ３６．３００において定義されるようなＲＮの他の機能をサポートすることができる。図１２のＥ−ＳＭＬＣ１２０８は、図３Ａ、図３Ｂ、図４Ａ、図４Ｂ、および図７におけるＥ−ＳＭＬＣ３５５に対応してよく、図１２のＨ−ＳＬＰ１２１４は、図３ＡのＥ−ＳＬＰ３３５に対応してよい（たとえば、両方が、Ｅ−ＳＬＰとＨ−ＳＬＰの両方として機能できるＳＬＰの部分であってよい）。
【０１３２】
[00149]図１３は、図１２のアーキテクチャ１２００と関連付けられる例示的な方法を示し、この方法では、ＲＮビーコンがＯＴＤＯＡをサポートするために展開され運用される。図１３において、各矢印は、交換されている２つ以上のメッセージを表し得る。図１３のステップ１において、図１２のＲＮビーコン１２０２は、電源投入され、ＤｅＮＢ１２０４であり得るがその必要はない近くのサービングｅＮＢを介して、ＲＮビーコン１２０２を所有または展開する事業者のコアネットワーク１４０に接続される。図１３のステップ１における接続は、ＵＥとして動作するＲＮビーコン１２０２によって実行され、３ＧＰＰ  ＴＳ  ３６．３００において記述されるＲＮのための段階Ｉ接続に対応し得る。図１３のステップ１における接続は、ＲＮビーコン１２０２がＯ＆Ｍ機能からある情報を取得することを可能にし、このＯ＆Ｍ機能は図１２のＯ＆Ｍ機能１２１２と同じであり得る（しかしその必要はない）。得られた情報は、どのＬＴＥセルがステップ２におけるその後のＲＮ接続のために使用され得るかを、ＲＮビーコン１２０２に伝え得る。ＲＮビーコンがステップ１においてＵＥとして接続した後で、および３ＧＰＰ  ＴＳ  ３６．３００におけるＲＮの記述とは異なり、ＲＮビーコン１２０２は、３ＧＰＰ  ＴＳ  ２３．２７１およびＴＳ  ３６．３０５において定義されるＬＴＥのための３ＧＰＰ制御プレーンの位置特定方法、またはＯＭＡ  ＳＵＰＬユーザプレーンの方法とのいずれかを使用して、コアネットワーク１４０から、ＲＮビーコン１２０２の位置を要求し、または、ＲＮビーコン１２０２の位置をＲＮビーコン１２０２が決定するのを助けるための支援データを要求し得る。制御プレーンの方法が使用される場合、ＲＮビーコン１２０２は、モバイル由来の位置特定要求（ＭＯ−ＬＲ）をそれ自体のサービングＭＭＥ（たとえば、ＭＭＥ１２０６または何らかの他のＭＭＥ）に送信することができ、その後、Ｅ−ＳＭＬＣ（たとえば、Ｅ−ＳＭＬＣ１２０８または何らかの他のＥ−ＳＭＬＣ）は、ＭＭＥによる位置特定要求をサポートすることと、ＲＮビーコン１２０２を用いてＬＰＰまたはＬＰＰ／ＬＰＰｅセッションを開始することとを要求され得る。ＳＵＰＬの方法が使用される場合、ＲＮビーコン１２０２は、コアネットワーク１４０中のＨ−ＳＬＰ（たとえば、Ｈ−ＳＬＰ１２１４）とのセキュアなＩＰ接続を確立することができ、ＳＵＰＬセッションを開始するためにＳＵＰＬ  ＳＴＡＲＴメッセージをＨ−ＳＬＰに送信することができ、このＳＵＰＬセッションにおいて、ＬＰＰまたはＬＰＰ／ＬＰＰｅメッセージは、ＳＵＰＬ  ＵＬＰメッセージ（たとえば、ＳＵＰＬ  ＰＯＳメッセージ）の内部でＬＰＰまたはＬＰＰ／ＬＰＰｅメッセージを移送することによって、Ｈ−ＳＬＰとＲＮビーコン１２０２との間で交換される。制御プレーンの方法またはＳＵＰＬの方法のいずれでも、位置特定サーバ（たとえば、Ｅ−ＳＭＬＣ１２０８またはＨ−ＳＬＰ１２１４）は、支援データ（たとえば、Ａ−ＧＰＳまたはＡ−ＧＮＳＳのための支援データ）をＲＮビーコン１２０２に送信することができ、このことは、ＲＮビーコン１２０２が（たとえば、Ａ−ＧＰＳまたはＡ−ＧＮＳＳを使用して）���れ自体の位置を正確に取得することを助け得る。代替的に、位置特定サーバは、（たとえば、ＧＰＳ衛星またはＧＮＳＳ衛星の）ＲＮビーコン１２０２からの測定を要求することができ、これらの測定をＲＮビーコン１２０２が行うのを助けるための支援データを提供することができ、得られた測定結果から位置を計算してその位置をＲＮビーコン１２０２に返すことができる。ＲＮビーコン１２０２がＯ＆Ｍ情報を取得した後で、および場合によってはそれ自体の位置を取得した後で、ＲＮビーコン１２０２は、コアネットワーク１４０およびＲＡＮ１２０から切断することができる。ＲＮビーコン１２０２は、任意の時間において、コアネットワーク１４０からの支援を伴わずに、たとえば、スタンドアロンのＧＰＳもしくはＧＮＳＳを使用して、または、コアネットワーク１４０と関連付けられない何らかの位置特定サーバ（たとえば、ＲＮビーコン１２０２のベンダーによって運用される位置特定サーバ）の支援によって、それ自体の位置を取得することができる。
【０１３３】
[00150]次に、図１３のステップ２において、ＲＮビーコン１２０２は、（たとえば、ステップ１において受信されるＯ＆Ｍ情報に従って）ＲＮビーコン１２０２がアクセスすることが許可されているセルのためのＤｅＮＢを介して、ＲＮとしてコアネットワーク１４０に接続することができる。ＲＮ接続の間、ＲＮビーコン１２０２は、サービングＤｅＮＢ１２０４とサービングＭＭＥ１２０６とを取得し、後で（たとえば、ステップ３において）使用され得るコアネットワーク１４０中のＳＧＷおよびＰＤＧ（図１２には示されていない）を介して、ＩＰ接続性を得ることができる。ＲＮビーコン１２０２はまた、（ｉ）ＲＮビーコン１２０２によってサービスされる任意のＵＥの代わりに音声およびデータのアクセスをサポートするために、ならびに／または（ｉｉ）ステップ５ａ、６ａ、および７ａにおいてＥ−ＳＭＬＣ１２０８へのアクセスをサポートするために後で使用され得る、１つまたは複数のデータおよび／またはシグナリングベアラを介して、ＤｅＮＢ１２０４に埋め込まれた論理ＳＧＷ／ＰＤＧ機能へのアクセス権を得ることができる。ステップ２の接続は、３ＧＰＰ  ＴＳ  ３６．３００に記述される段階ＩＩのＲＮ接続に対応し得る。ＲＮビーコン１２０２がステップ２においてＲＮとして接続した後の任意の時間において、および３ＧＰＰ  ＴＳ  ３６．３００におけるＲＮの記述とは異なり、ＲＮビーコン１２０２は、３ＧＰＰ  ＴＳ  ２３．２７１およびＴＳ  ３６．３０５において定義されるＬＴＥのための３ＧＰＰ制御プレーンの位置特定方法、またはＯＭＡ  ＳＵＰＬユーザプレーンの方法のいずれかを使用して、コアネットワーク１４０から、ＲＮビーコン１２０２の位置を要求し、または、ＲＮビーコン１２０２の位置をＲＮビーコン１２０２が決定するのを助けるための支援データを要求し得る。ＲＮビーコン１２０２による位置の決定は、ステップ１における接続に続いて、ＲＮビーコン１２０２の位置特定について先に説明されたものと同様に進行し得る。ステップ１またはステップ２のいずれかに続く位置決定は、ＲＮビーコン１２０２が他の方法（たとえば、実地調査または別のＧＰＳもしくはＧＮＳＳ受信機の使用）によって位置特定されていない場合に、ターゲットＵＥのＯＴＤＯＡ測位をサポートするために後で使用され得る、ＲＮビーコン１２０２の正確な位置を得るのに有用であり得る。
【０１３４】
[00151]ステップ２のＲＮ接続に続いて、図１３のステップ３において、ＲＮビーコン１２０２は、ＤｅＮＢ１２０４を介して、事業者のＩＰネットワーク１２１０を介して、および／または、ステップ２の間にコアネットワーク１４０中のＲＮビーコンに割り当てられたＳＧＷおよびＰＤＧを介して、ＩＰトランスポートを使用してＯ＆Ｍ機能１２１２にアクセスすることができる。Ｏ＆Ｍ機能１２１２は、ＲＮビーコン１２０２によって使用されるべき、１つまたは複数のＰＬＭＮ  ＩＤ、１つのＴＡＣ、および１つのセルＩＤ（または複数のセルＩＤ）などの、ステップ１において取得されないＲＮビーコン１２０２の動作のための追加の情報を提供し得る。ＲＮビーコン１２０２のあらゆるセルＩＤは、ＤｅＮＢ１２０４のセルＩＤと異なることがあり、または同じセルＩＤであり得る。加えて、３ＧＰＰ  ＴＳ  ３６．３００におけるＲＮ動作の説明とは異なり、ＲＮビーコン１２０２は、それ自体の位置（たとえば、ステップ１またはステップ２について説明されたように取得される位置）をＯ＆Ｍ機能１２１２に提供することができ、または、（たとえば、コアネットワーク１４０の事業者が、実地調査を使用して、または、ＲＮビーコン１２０２の近くに位置するＧＰＳ測位受信機を使用すること、ＲＮビーコン１２０２の位置を前もって決定し、次いでＯ＆Ｍ機能１２１２においてその位置を構成する場合）Ｏ＆Ｍ機能１２１２からそれ自体の位置を取得することができる。さらに、やはり３ＧＰＰ  ＴＳ  ３６．３００の記述とは異なり、Ｏ＆Ｍ機能１２１２は、必要とされるＰＲＳ送信およびスケジューリングについての情報をＲＮビーコン１２０２に提供することができ、この情報は、ノーマルＰＲＳスケジュールおよび緊急ＰＲＳスケジュールのためのパラメータを含み得る。
【０１３５】
[00152]ステップ３の前に、後に、または同時に行われ得るステップ４において、ＲＮビーコン１２０２は、ＤｅＮＢ１２０４に対する単一のＬＴＥ  Ｓ１シグナリング接続をセットアップすることができ、３ＧＰＰ  ＴＳ  ３６．３００に記述されるようなＤｅＮＢ１２０４へのＸ２シグナリング接続をセットアップすることができる。ＬＴＥ  Ｓ１シグナリング接続は、ＲＮビーコン１２０２が、ｅＮＢとして機能すること、たとえば、ＵＥによるデータおよび音声のアクセスをサポートして、ステップ５ａ、６ａ、および７ａについて後で説明されるようなＬＰＰａを使用するＥ−ＳＭＬＣとの対話を介した測位をサポートすることを、可能にし得る。ｅＮＢとして機能するとき、ＲＮビーコン１２０２は、いくつかのシグナリングおよびデータ変更の手順に関して、ＭＭＥまたはＳＧＷとしてＤｅＮＢ１２０４を扱い得る。
【０１３６】
[00153]ステップ４に続いて、ＲＮビーコン１２０２は、３ＧＰＰ  ＴＳ  ３６．３００に記述されるようなＵＥのための拡大されたＬＴＥカバレッジをサポートするために、ＲＮとして機能し始め得る。さらに、または代替的に、３ＧＰＰ  ＴＳ  ３６．３００の記述とは異なり、ＲＮビーコン１２０２は、ＯＴＤＯＡをサポートするために、ＰＲＳ信号と場合によってはＳＩＢとを送信し始め得る（たとえば、最初はノーマルＰＲＳモードをサポートし得る）。ＲＮビーコン１２０２がＧＰＳまたはＧＮＳＳ受信機を有する場合、（ＤｅＮＢ１２０４ではなく）ＵＥによって受信されることが意図されるＲＮビーコン１２０２からのＰＲＳ送信（および他の送信）は、ＧＰＳまたは何らかの他のＧＮＳＳなどの、何らかの絶対的な時間の基準と揃えられ得る。代替的に、ＰＲＳ送信は、ＤｅＮＢ１２０４からのＰＲＳ送信と揃えられてよく、たとえば、ＤｅＮＢ１２０４からの信号伝播時間を考慮して厳密に揃えられてよく（たとえば、信号伝播時間はステップ３においてＯ＆Ｍ機能１２１２によって提供されてよく、またはＲＮビーコン１２０２もしくはＤｅＮＢ１２０４によって測定されてよい）、または、ＤｅＮＢ１２０４からのＰＲＳ送信に対する何らかの固定された既知のオフセットを有してよい（たとえば、ステップ３においてＯ＆Ｍ機能１２１２によって提供されてよい）。
【０１３７】
[00154]ターゲットＵＥのＯＴＤＯＡ測位を支援するために、いくつかの代替物が、Ｅ−ＳＭＬＣ１２０８およびＨ−ＳＬＰ１２１４などの位置特定サーバにおいてＲＮビーコン１２０２のための情報を構成するために使用され得る。構成される情報は、ＲＮビーコン１２０２の識別情報（たとえば、ステップ２におけるＯ＆Ｍ機能によって割り当てられたＲＮビーコン１２０２によってサポートされるセルのＴＡＣおよびＣＩ）と、ＲＮビーコン１２０２の位置と、ＤｅＮＢ１２０４の識別情報（たとえば、セル識別情報）と、ＲＮビーコン１２０２のためのＰＲＳシグナリングおよびスケジューリングの情報（ノーマルＰＲＳモードと緊急ＰＲＳモードの各々に対する、ＰＲＳのタイミング、ＰＲＳ機会の頻度、ＰＲＳのコーディング、連続するサブフレームの数ＮPRS、帯域幅ＢＷなど）とを含み得る。この情報は、ＲＮビーコン１２０２が動作を始める前に、またはＲＮビーコン１２０２が動作を始めた後に、Ｏ＆Ｍによって、たとえば図１３のステップ３に続いてＯ＆Ｍ機能１２１２によって、位置特定サーバにおいて部分的または完全に構成され得る。情報はさらに、または代わりに、図１３のステップ５においてＲＮビーコン１２０２によって提供されてよく、この場合、ＲＮビーコン１２０２は、Ｅ−ＳＭＬＣに（たとえば、図１３のステップ５ａにおいてＥ−ＳＭＬＣ１２０８に）、および／または、Ｈ−ＳＬＰに（たとえば、図１３のステップ５ｂにおいてＨ−ＳＬＰ１２１４に）に直接１つまたは複数のメッセージ（たとえば、ＬＰＰａメッセージ）を送信することができる。ＲＮビーコン１２０２からＨ−ＳＬＰ１２１４へのステップ５ｂにおけるメッセージの移送（たとえば、ＬＰＰａメッセージ移送）は、ＤｅＮＢ１２０４を介した、および、ＩＰネットワーク１２１０と、ステップ２においてＲＮビーコン１２０２に割り当てられるコアネットワーク１４０中の任意のＳＧＷおよびＰＤＧとの、いずれかまたは両方を介した、ＩＰトランスポート（場合によってはＳＣＴＰによって支援される）を使用することができる。ＲＮビーコン１２０２からＥ−ＳＭＬＣ１２０８へのステップ５ａにおけるメッセージの移送（たとえば、ＬＰＰａメッセージ移送）は、ＤｅＮＢ１２０４を介して送信されてよく、この場合、ＤｅＮＢ１２０４は、ＲＮビーコン１２０２から受信されたあらゆるＬＰＰａメッセージを、１つまたは複数のＥ−ＳＭＬＣ（たとえば、Ｅ−ＳＭＬＣ１２０８など）へのさらなる移送のために、（たとえば、ＭＭＥ１２０６などの）１つまたは複数のＭＭＥに転送する。ステップ５ａの例として、ＲＮビーコン１２０２は、ステップ４において確立されたＬＴＥ  Ｓ１シグナリング接続を使用して、ＬＰＰａメッセージを含むＳ１−ＡＰ  Ｎｏｎ−ＵＥ  Ａｓｓｏｃｉａｔｅｄ  Ｕｐｌｉｎｋ  ＬＰＰａ  ＴｒａｎｓｐｏｒｔメッセージをＤｅＮＢ１２０４に送信することができ、（たとえば、ステップ３においてＯ＆Ｍ機能１２１２によってＲＮビーコン１２０２に提供されるような）Ｅ−ＳＭＬＣを示すものを、Ｓ１−ＡＰメッセージに含めることができる。ＤｅＮＢ１２０４は次いで、受信されたＳ１−ＡＰ  Ｎｏｎ−ＵＥ  Ａｓｓｏｃｉａｔｅｄ  Ｕｐｌｉｎｋ  ＴｒａｎｓｐｏｒｔメッセージをＭＭＥ（たとえば、ＭＭＥ１２０６）に転送することができ、このＭＭＥは、含まれているＬＰＰａメッセージを抽出して、受信されたＳ１−ＡＰ  Ｎｏｎ−ＵＥ  Ａｓｓｏｃｉａｔｅｄ  Ｕｐｌｉｎｋ  Ｔｒａｎｓｐｏｒｔメッセージにおいて示されるＥ−ＳＭＬＣ（たとえば、Ｅ−ＳＭＬＣ１２０８）にＬＰＰａメッセージを転送することができる。
【０１３８】
[00155]ＲＮビーコン１２０２のための構成情報の一部またはすべてがさらに、または代わりに、図１３のステップ６ａおよび／またはステップ６ｂにおいて１つまたは複数の位置特定サーバによって要求され得る。たとえば、ステップ６ｂにおいて、Ｈ−ＳＬＰ１２１４は、ＲＮビーコン１２０２の存在を認識していることがあり、（たとえば、ステップ５ｂにおいて）ＲＮビーコン１２０２によって先に提供された情報、またはＯ＆Ｍ機能１２１２によって先に提供された情報が原因で、ＤｅＮＢ１２０４によって、またはステップ２におけるＲＮビーコン接続の間にコアネットワーク１４０によって（たとえば、コアネットワーク１４０の中のＰＤＧによって）ＲＮビーコン１２０２に割り当てられるＩＰアドレスを知ることがある。Ｈ−ＳＬＰ１２１４は次いで、コアネットワーク１４０およびＤｅＮＢ１２０４を介して要求メッセージ（たとえば、ＬＰＰａメッセージ）をＲＮビーコン１２０２に送信するためにこのＩＰアドレスを使用することができ、ＲＮビーコン１２０２は、要求された情報を用いて応答することができる。ステップ６ａの代わりに、またはそれに加えて、Ｅ−ＳＭＬＣ１２０８は、ＲＮビーコン１２０２の存在を認識していることがあり、（たとえば、ステップ５ａにおいて）ＲＮビーコン１２０２により先に提供された情報、またはＯ＆Ｍ機能１２１２により先に提供された情報が原因で、ＤｅＮＢ１２０４およびＲＮビーコン１２０２の識別情報（たとえば、ＬＡＣおよびＣＩ）を知ることがある。Ｅ−ＳＭＬＣ１２０８は、ＭＭＥ１２０６およびＤｅＮＢ１２０４を介して（たとえば、ＭＭＥ１２０６とＤｅＮＢ１２０４との間のＳ１−ＡＰ  ｎｏｎ−ＵＥ  ａｓｓｏｃｉａｔｅｄ  ｔｒａｎｓｐｏｒｔを使用して）要求メッセージ（たとえば、ＬＰＰａメッセージ）をＲＮビーコン１２０２に送信することができ、ＲＮビーコン１２０２は要求された情報を用いて応答することができる。たとえば、ＬＰＰａ要求メッセージは、ＤｅＮＢ１２０４の識別情報（たとえば、セルＩＤ）に基づいてＭＭＥ１２０６を介してＥ−ＳＭＬＣ１２０８からＤｅＮＢ１２０４にルーティングされてよく、次いで、ＬＰＰａ要求メッセージの一部として含まれるか、ＬＰＰａ要求メッセージをＭＭＥ１２０６からＤｅＮＢ１２０４に移送するＳ１−ＡＰメッセージ（たとえば、Ｓ１−ＡＰ  Ｄｏｗｎｌｉｎｋ  Ｎｏｎ−ＵＥ  Ａｓｓｏｃｉａｔｅｄ  ＬＰＰａ  Ｔｒａｎｓｐｏｒｔメッセージ）に含まれるかのいずれかであり得る、ＲＮビーコン１２０２の識別情報（たとえば、セルＩＤ）に基づいて、ＤｅＮＢ１２０４によってＲＮビーコン１２０２に転送され得る。
【０１３９】
[00156]ある実施形態では、ステップ６ａまたはステップ６ｂは、Ｅ−ＳＭＬＣ１２０８またはＨ−ＳＬＰ１２１４がそれぞれ、ＲＮビーコン１２０２によってサービスされるＵＥ、またはＲＮビーコン１０２から見えるＵＥに対する位置測定要求を受信するとき、引き起こされ得る。Ｅ−ＳＭＬＣ１２０８またはＨ−ＳＬＰ１２１４は次いで、ＲＮビーコン１２０２のセル識別情報も（たとえば、位置特定要求の一部として、または、ＵＥによって提供されるＥＣＩＤ測定結果内などにおいて、測位されているＵＥから）受信することができる。受信されたセル識別情報は、ＲＮビーコンとの関連を示し得る。たとえば、この指示は、セル識別情報（たとえば、ＴＡＣまたはＣＩ）中のいくつかの桁またはビットに含まれ得る。その上、コアネットワーク１４０のネットワーク事業者は、ｅＮＢビーコンを示すために、ある範囲のＴＡＣ値もしくはＣＩ値、またはＴＣＡもしくはＣＩにおけるいくつかビットのいくつかの値を確保していることがあり、Ｅ−ＳＭＬＣ１２０８および／またはＨ−ＳＬＰ１２１４においてこの確保される範囲またはこれらの確保される値を構成していることがある。受信されたセル識別情報がＲＮビーコンに対応し得ると決定すると、Ｅ−ＳＭＬＣ１２０８またはＨ−ＳＬＰ１２１４はそれぞれ、上で説明されたように、ステップ６ａまたはステップ６ｂを引き起こすことができる。
【０１４０】
[00157]ＲＮビーコン１２０２からのＰＲＳ送信を制御する（たとえば、図７について説明されたステップ８または９を実行する）ために、位置特定サーバは、ＰＲＳ関連の情報（たとえば、ノーマルＰＲＳモードから緊急ＰＲＳモードへ一時的に切り替えるための命令）を含むメッセージをＲＮビーコン１２０２に送信することができる。Ｅ−ＳＭＬＣ（たとえば、Ｅ−ＳＭＬＣ１２０８）である位置特定サーバは、ＭＭＥ（たとえば、ＭＭＥ１２０６）およびＤｅＮＢ１２０４を介して、図１３のステップ７ａにおいてメッセージ（たとえば、ＬＰＰａメッセージ）を送信することができる。ＳＬＰ（たとえば、Ｈ−ＳＬＰ１２１４）である位置特定サーバは、コアネットワーク１４０およびＤｅＮＢ１２０４を介してＩＰトランスポートを使用して図１３のステップ７ｂにおいてメッセージ（たとえば、ＬＰＰａメッセージ）を送信することができる。ステップ７ａおよび７ｂにおけるメッセージの移送はそれぞれ、ステップ６ａおよび６ｂについて先に説明されたものと同様であり、または同じであり得る。
【０１４１】
[00158]図１３を再び参照すると、ステップ５ａ、ステップ６ａ、およびステップ７ａにおけるメッセージの移送をサポートするために、３ＧＰＰ  ＴＳＡ  ３６．３００に記述される中継ノードのサポートが改良され得る。たとえば、特定のＵＥと関連付けられないＬＰＰａメッセージをＭＭＥからｅＮＢに移送するＳ１  ＡＰプロトコルメッセージは、受信側のＤｅＮＢが、（たとえば、図１３のステップ２においてＲＮビーコンによって確立されるワイヤレスバックホールと、図１３のステップ４において確立されるＬＴＥ  Ｓ１シグナリング接続とを使用して）正しい宛先ＲＮビーコンにＬＰＰａメッセージを転送することを可能にするために、ＲＮビーコン（たとえば、ＲＮビーコン１２０２）のＩＤ（たとえば、ＣＩおよび場合によってはＴＡＣ）を含むようにダウンリンク方向に拡張され得る。アップリンク方向では、特定のＵＥと関連付けられないＬＰＰａメッセージを運ぶＳ１  ＡＰメッセージは、受信側のＭＭＥがＬＰＰａメッセージを宛先Ｅ−ＳＭＬＣに転送するときにソースＲＮビーコンのＩＤ（たとえば、ＣＩおよびＴＡＣ）（たとえば、ならびにソースＲＮビーコンのためのＤｅＮＢのＩＤ）を示すことを可能にするために、ソースＲＮビーコンのＩＤを搬送するように拡張され得る。これらの改良に関連して使用され得る、ならびに／または、これらの改良を伴わずにステップ５ａ、ステップ６ａ、およびステップ７ａをサポートするためのＬＰＰａメッセージの移送をサポートするために使用され得る、プロトコルのレイヤ化が、図１２のＲＮビーコン１２０２とＥ−ＳＭＬＣ１２０８との間のＬＰＰａメッセージの移送の特定の例について、図１４において示されている。図１４においてＲＮビーコン１２０２とＤｅＮＢ１２０４との間でサポートされるプロトコルレイヤは、図１４に示されるＩＰレベル以下のプロトコルレイヤによってサポートされるＲＮビーコン１２０２とＤｅＮＢ１２０４との間のデータベアラを使用して移送されるＳ１−ＡＰおよびＳＣＴＰシグナリングレイヤのためのメッセージを用いて、図１３のステップ４において確立されるＲＮビーコン１２０２とＤｅＮＢ１２０４との間のＬＴＥ  Ｓ１シグナリングリンクをサポートすることができる。図１４のＤｅＮＢ１２０４とＭＭＥ１２０６との間でサポートされるプロトコルレイヤは、３ＧＰＰ  Ｓ１インターフェースのための通常のプロトコルに対応してよく、ＭＭＥ１２０６とＥ−ＳＭＬＣ１２０８との間でサポートされるプロトコルレイヤは、３ＧＰＰ  ＳＬインターフェースのための通常のプロトコルレイヤに対応してよい。
【０１４２】
[00159]ＳＬＰ（たとえば、Ｈ−ＳＬＰ１２１４）とＲＮビーコン（たとえば、ＲＮビーコン１２０２）との間でのＬＰＰａメッセージの移送の場合、ＩＰトランスポートが使用されることがあり、場合によっては、ＩＰレイヤよりも上で、およびＬＰＰａよりも下でＳＣＴＰが使用され、ＬＰＰａメッセージが、ＩＰネットワーク１２１０および／またはコアネットワーク１４０を通じて、ならびにＤｅＮＢ１２０４を介して（図１３のステップ２においてＤｅＮＢ１２０４と確立されるＲＮビーコン１２０２へのワイヤレスバックホールを使用して）、ルーティングされる。
【０１４３】
[00160]（たとえば、図１〜図１１に関して説明されたような）ワイヤレスバックホールを伴うｅＮＢビーコン、および／または（たとえば、図１〜図７および図１２〜図１４に関して説明されたような）ワイヤレスバックホールを伴うＲＮビーコンを使用してＯＴＤＯＡ測位をサポートするための上で説明された技法と同様の技法が、他の測位方法をサポートするために使用され得る。たとえば、ＧＰＳ疑似衛星、ＧＮＳＳ疑似衛星、または、ダウンリンクの測位関連信号の送信および測定に依存する何らかの他の測位方法を使用した測位が、図８のｅＮＢビーコン８００または図１２のＲＮビーコン１２０２によってサポートされてよく、ここで、Ｅ−ＳＭＬＣ（たとえば、Ｅ−ＳＭＬＣ８２４またはＥ−ＳＭＬＣ１２０８）またはＨ−ＳＬＰもしくはＤ−ＳＬＰ（たとえば、Ｈ−ＳＬＰ８１２またはＨ−ＳＬＰ１２１４）は、ｅＮＢビーコン８００またはＲＮビーコン１２０２からダウンリンクの測位関連信号の送信を制御するために、ＬＰＰａ（または何らかの他のプロトコル）を使用する。そのような場合、ｅＮＢビーコン８００またはＲＮビーコン１２０２は、ターゲットＵＥによる取得と測定とを可能にする（たとえば、ＧＰＳまたはＧＮＳＳのために使用される信号と同様の、または同じ）何らかの測位基準信号をｅＮＢビーコン８００またはＲＮビーコン１２０２が送信する、ＯＴＤＯＡではない測位方法をサポートすることができる。そして、測位をサポートするための先に説明された図８〜図１４のすべての態様は、（ｉ）それぞれ、ｅＮＢビーコン８００またはＲＮビーコン１２０２と、ＨｅＭＳ８２８またはＯ＆Ｍ機能１２１２との間で移送される任意の情報Ｉ１（たとえば、図９のステップ４または図１３のステップ３における）、（ｉｉ）Ｅ−ＳＭＬＣ８２４とｅＮＢビーコン８００との間で移送される任意の情報Ｉ２（たとえば、図９のステップ６、ステップ７、およびステップ８における）、および（ｉｉｉ）ＲＮビーコン１２０２と、Ｅ−ＳＭＬＣ１２０８またはＨ−ＳＬＰ１２１４のいずれかとの間で移送される任意の情報Ｉ３（たとえば、図１３のステップ５ａ〜７ｂにおける）を除き、同じままであり得る。上の（ｉ）、（ｉｉ）、および（ｉｉ）に対する情報Ｉ１、Ｉ２、およびＩ３は、ＯＴＤＯＡ測位にもはや関連しないことがある（たとえば、ＰＲＳのための情報を含まないことがある）が、代わりに、ＯＴＤＯＡとは異なる測位方法（たとえば、ＧＰＳ疑似衛星またはＧＮＳＳ疑似衛星の使用など）に関連することがある。ＯＴＤＯＡ以外の測位方法のサポートは、例示的なｅＮＢビーコン８００およびＲＮビーコン１２０２とは少なくともいくつかの点で異なり得る、他のタイプのｅＮＢビーコン（たとえば、図４ＡのｅＮＢビーコン４００）に同様に適用され得る。
【０１４４】
[00161]ＯＴＤＯＡ測位のためのＰＲＳ送信または別の測位方法のための何らかの他の測位関連信号の送信をサポートすることに加えて、またはその代わりに、ｅＮＢビーコン８００またはＲＮビーコン１２０２などの測位ビーコンは、位置測定ユニット（ＬＭＵ）として機能し、（ｉ）同じ事業者のネットワークに属する他のｅＮＢによって送信されるＰＲＳ信号間の（または何らかの他のダウンリンクの測位関連信号間の）タイミング差、または、（ｉｉ）他のｅＮＢによって送信されるＰＲＳ信号（または何らかの他の測位関連信号）の到着の絶対的な時間を定期的に測定することができる。たとえば、測位ビーコンは、３ＧＰＰ  ＴＳ  ３６．２１４において定義されるような、ｅＮＢおよび／またはｅＮＢビーコンのペアからのＰＲＳ送信間の基準信号時間差（ＲＳＴＤ）を測定することができる。測定結果は、（たとえば、ｅＮＢビーコン８００の場合は図９のステップ６〜７と同様の、またはＲＮビーコン１２０２の場合は図１３のステップ５ａ〜６ａと同様のステップを使用して）Ｅ−ＳＭＬＣに提供され得る。測定結果は、さらに、または代わりに、Ｈ−ＳＬＰまたはＤ−ＳＬＰに（たとえば、ＲＮビーコン１２０２の場合、図１３のステップ５ｂ〜６ｂと同様のステップを使用して）提供され得る。測定結果は、Ｅ−ＳＭＬＣおよび／またはＳＬＰが、（ｉ）異なるｅＮＢおよび／または異なるｅＮＢビーコンの間のＰＲＳ同期の程度（または何らかの他の測位関連信号の同期の程度）を監視すること、および／または、（ｉｉ）異なるターゲットＵＥの代わりにＯＴＤＯＡ（または何らかの他の測位方法）をサポートするために必要とされ得るｅＮＢおよび／またはｅＮＢビーコン間の任意のタイミングの差を更新することを可能にし得る。効率的なワイヤレスバックホールを用いて測位ビーコン（たとえば、ｅＮＢビーコンまたはＲＮビーコン）を展開することによって、ネットワーク事業者は、測位ビーコンの一部またはすべてにＬＭＵ機能を含めることによって、より正確に、およびより低コストでＯＴＤＯＡ（またはダウンリンク関連の測位信号を使用する何らかの他の測位方法）をサポートすることが可能であり得る。
【０１４５】
[00162]図１５を参照し、さらに図１〜１４を参照すると、ワイヤレス通信システムにおいて測位ビーコンを初期化するプロセス１０００は図示される段階を含む。しかしながら、プロセス１０００は例にすぎず、限定するものではない。プロセス１０００は、たとえば、段階を追加させ、削除させ、並べ替えさせ、組み合わせ、および／または同時に実行させることによって改変され得る。図示され説明されたプロセス１０００へのさらに他の改変が可能である。
【０１４６】
[00163]段階１００２において、プロセス１０００は、測位ビーコンにおいて、通信ネットワークへのワイヤレスバックホール接続を確立することを含む。測位ビーコン、たとえば、図８〜図９に示されるようなｅＮＢビーコン８００（ＨｅＮＢ部分８０１とＵＥ部分８０２とを備え得る）を備えるビーコン、または図１２〜図１３に示されるようなＲＮビーコン１２０２を備えるビーコンが、通信ネットワークへのワイヤレスバックホール接続を確立する。ｅＮＢビーコン８００を備える測位ビーコンの場合、ワイヤレスバックホール接続は、図９のステップ１〜５について説明されたように確立され得る。ＲＮビーコン１２０２を備える測位ビーコンの場合、ワイヤレスバックホール接続は、図１３のステップ１〜４について説明されたように確立され得る。
【０１４７】
[00164]段階１００４において、プロセス１０００は、測位ビーコンにおいて、ワイヤレスバックホール接続を通じて、通信ネットワークからＰＲＳのためのスケジューリング情報を受信することを含む。測位ビーコンは、通信ネットワークから、たとえばネットワーク中のＥ−ＳＭＬＣまたはＳＬＰなどの位置特定サーバから、ＰＲＳのためのスケジューリング情報を受信する。段階１００４においてそこからのスケジューリング情報が受信されるエンティティは、測位ビーコンによって利用される位置特定方法、および／または他の要因に基づいて変化し得る。たとえば、３ＧＰＰのＬＴＥ制御プレーンの位置特定方法に従ってＭＭＥ（たとえば、ＭＭＥ８２２またはＭＭＥ１２０６）からの測位ビーコンによって位置特定サーバがアクセスされる場合、測位ビーコンは、図９のステップ８および図１３のステップ７ａについて説明されたように、Ｅ−ＳＭＬＣ（たとえば、Ｅ−ＳＭＬＣ８２４またはＥ−ＳＭＬＣ１２０８）からスケジューリング情報を取得することができる。代替的に、ユーザプレーンの位置特定方法に従ってＩＰを使用して（たとえば、ＩＰネットワーク１２１０などのＩＰネットワークを介して、および／またはＰＤＧ８０８などのＰＤＧを介して）測位ビーコンが位置特定サーバにアクセスする場合、測位ビーコンは、図１３のステップ７ｂについて説明されたように、Ｈ−ＳＬＰおよび／またはＤ−ＳＬＰ（たとえば、Ｈ−ＳＬＰ８１２またはＨ−ＳＬＰ１２１４）からスケジューリング情報を取得することができる。さらに、スケジューリング情報は、たとえばノーマルＰＲＳモードから緊急ＰＲＳモードへ、または緊急ＰＲＳモードからノーマルＰＲＳモードへとＰＲＳモードを調整するように、測位ビーコンに命令し得る。
【０１４８】
[00165]段階１００６において、プロセス１０００は、測位ビーコンから、受信されたスケジューリング情報に従ってＰＲＳを送信することを含む。測位ビーコンは、段階１００４において受信されたスケジューリング情報に従ってＰＲＳを送信することを開始する。測位ビーコンは、段階１００４において何らかの後の時間のＰＲＳの送信の間に、ＰＲＳに関する更新されたＰＲＳスケジューリング情報および／または他の制御情報をさらに受信することができ、これに応答して、測位ビーコンは、ＰＲＳ送信のスケジュールおよび／または１つまたは複数の他の特性を更新し、段階１００６における更新された特性に従ってＰＲＳを送信し続けることができる。
【０１４９】
[00166]次に図１６を参照し、さらに図１〜１４を参照すると、ワイヤレス通信システムにおいて測位ビーコンを初期化する別のプロセス１１００は図示される段階を含む。しかしながら、プロセス１１００は例にすぎず、限定するものではない。プロセス１１００は、たとえば、段階を追加させ、削除させ、並べ替えさせ、組み合わせ、および／または同時に実行させることによって改変され得る。図示され説明されたプロセス１１００へのさらに他の改変が可能である。
【０１５０】
[00167]段階１１０２において、プロセス１１００は、通信ネットワーク中の位置特定サーバにおいて、測位ビーコンのための構成情報を取得することを含み、測位ビーコンは通信ネットワークへのワイヤレスバックホール接続を有する。通信ネットワーク中の位置特定サーバは、測位ビーコンのための構成情報を取得し、測位ビーコンは通信ネットワークへのワイヤレスバックホール接続を有する。測位ビーコンは、図８のｅＮＢビーコン８００などのｅＮＢビーコン８００であってよく、この場合、位置特定サーバは、位置特定サーバがＥ−ＳＭＬＣであるとき、図９のステップ６およびステップ７について説明されたように構成情報を取得することができる。測位ビーコンは代わりに、図１２のＲＮビーコン１２０２などのＲＮビーコンであってよく、この場合、位置特定サーバは、位置特定サーバがＥ−ＳＭＬＣであるときは図１３のステップ５ａおよびステップ６ａについて説明されたように、または位置特定サーバがＳＬＰであるときは図１３のステップ５ｂおよびステップ６ｂについて説明されたように、構成情報を取得することができる。構成情報は、ＴＡＣ、ＣＩ、位置、ＰＲＳスケジューリング情報の１つまたは複数を備え得る。測位ビーコンのためのＰＲＳシグナリング情報またはＤｅＮＢ識別情報（たとえば、セルＩＤ）。
【０１５１】
[00168]段階１１０６において、プロセス１１００は、位置特定サーバにおいて、測位ビーコンの通信範囲内のユーザ機器（ＵＥ）の測位に対する要求を受信することを含む。位置特定サーバは、測位ビーコンの通信範囲内にあるＵＥの測位に対する要求を受信する。これは、ＵＥが位置ベースのサービスを要求すること、緊急通報を開始すること、または、位置特定要求が受信されて外部クライアント（たとえば、ＰＳＡＰ）から位置特定サーバに移送されることなどによって、引き起こされ得る。
【０１５２】
[00169]段階１１０８において、プロセス１１００は、構成情報を受信したことに応答して、および基づいて、位置特定サーバから測位ビーコンに測位基準信号（ＰＲＳ）スケジューリング調整命令を送信することを含む。ＰＲＳスケジューリング調整命令は、段階１１０６において要求を受信したことに応答して、位置特定サーバから測位ビーコンに送信される。この送信は、段階１１０２において受信された構成情報、たとえば、測位ビーコンのＣＩ、ＴＡＣ、またはＤｅＮＢの識別情報を利用することができる。図１５に関して上で述べられたように、位置特定サーバから測位ビーコンへの送信は、測位ビーコンおよび位置特定サーバによって利用される特定のネットワーク構成および測位技法（たとえば、ユーザプレーンまたは制御プレーン）に基づいて、ＭＭＥ、ＰＤＧ、ＩＰネットワークなどの１つまたは複数の中間エンティティを通じて行われ得る。図１５に関して上でさらに説明されたように、測位ビーコンに送信される命令は、たとえばノーマルＰＲＳモードから緊急ＰＲＳモードに、または緊急ＰＲＳモードからノーマルＰＲＳモードに切り替えることによって、測位ビーコンのＰＲＳ送信スケジュールを１つまたは複数の方法で測位ビーコンに変更させることができる。
【０１５３】
[00170]プロセス１１００のいくつかの実施形態では、段階１１０２は、段階１１０６の後で、しかし段階１１０８の前に、段階１１０６においてＵＥの測位に対する要求を位置特定サーバが受信した結果として発生し得る。そのような実施形態では、段階１１０２は、ｅＮＢビーコン（たとえば、ｅＮＢビーコン８００）である測位ビーコンおよびＥ−ＳＭＬＣ（たとえば、Ｅ−ＳＭＬＣ８２４）である位置特定サーバの場合、位置特定サーバへのＵＥの位置特定に対する要求によって、図９のステップ７を引き起こすことについて説明されたように、段階１１０６によって引き起こされ得る。代替的に、段階１１０２は、ＲＮビーコン（たとえば、ＲＮビーコン１２０２）である測位ビーコン、およびステップ６ａの場合はＥ−ＳＭＬＣ（たとえば、Ｅ−ＳＭＬＣ１２０８）であり、またはステップ６ｂの場合はＳＬＰ（たとえば、Ｈ−ＳＬＰ１２１４）である位置特定サーバの場合、位置特定サーバへのＵＥの位置特定に対する要求によって図１３のステップ６ａまたはステップ６ｂを引き起こすことについて説明されたように、段階１１０６によって引き起こされ得る。この段階において、段階１１０８は段階１１０２の後で発生する。
【０１５４】
[00171]図１７は、例示的な測位ビーコン１６００の様々な構成要素を示すブロック図である。簡単のために、図１７のボックス図に示される様々な特徴および機能は、共通のプロセッサ１６１０と、これらの様々な特徴および機能が互いに動作可能に結合されることを表すことが意図されるいくつかの専用のリンクとを使用して、一緒に接続されるように示されている。実際のポータブルワイヤレスデバイスを動作可能に結合し、構成するために、他の接続、機構、特徴、機能など（たとえば、共通バスまたは共通メモリなど）が必要に応じて与えられ、適応され得ることを、当業者は認識されよう。さらに、図１７の例に示される特徴もしくは機能の１つもしくは複数は、さらに再分割されてよく、または図１７に示される特徴もしくは機能の２つ以上が組み合わされてよいことも認識されたい。測位ビーコン１６００は、図２のｅＮＢ２０２、２０５、および／もしくは２１０、図３Ａ、図３Ｂ、図４Ａ、および／もしくは図４ＢのｅＮＢ３０５、図４ＡのｅＮＢ４１０および／もしくはｅＮＢビーコン４００、図７のｅＮＢ３０５および／もしくはｅＮＢ４１０、図８〜図１１のｅＮＢビーコン８００、ＨｅＮＢ部分８０１および／もしくはＵＥ部分８０２、ならびに／または、図１２〜図１４のＲＮビーコン１２０２および／もしくはＤｅＮＢ１２０４の例であり得る。
【０１５５】
[00172]測位ビーコン１６００は、１つまたは複数のアンテナ１６０２に接続され得る１つまたは複数のワイドエリアネットワーク（ＷＡＮ）送受信機１６０４を含み得る。ＷＡＮ送受信機１６０４は、（ｉ）ｅＮｏｄｅＢ２０２、２０５、２１０、および３０５などのワイヤレスアクセスポイントまたは基地局、（ｉｉ）図１のＵＥ  ＵＥ  １・・・ＵＥ  Ｎ、図２のＵＥ２５０、２５２、２５４、および図３Ａ、図３Ｂ、図４Ａ、図４Ｂ、図７のＵＥ３０２、ならびに／または（ｉｉｉ）ネットワーク内の他のワイヤレスデバイスと直接信号を通信し、および／またはそれらへの／からの信号を検出するための、適切なデバイス、ハードウェア、および／またはソフトウェアを備える。一態様では、ＷＡＮ送受信機１６０４は、ＬＴＥシステム、ＷＣＤＭＡシステム、ＣＤＭＡ２０００システム、ＴＤＭＡ、ＧＳＭ、または任意の他のタイプのワイドエリアワイヤレスネットワーキング技術と通信するのに適していることがある。ある態様では、ＷＡＮ送受信機１６０４は、図７、図９、および図１３に関連して説明されたようにＯＴＤＯＡ測位をサポートするために使用される、ＰＲＳ信号の送信とスケジューリングとをサポートすることができ、緊急ＰＲＳモードとノーマルＰＲＳモードとをサポートすることができる。測位ビーコン１６００はまた、１つまたは複数のアンテナ１６０２に接続され得る１つまたは複数のワイヤレスローカルエリアネットワーク（ＷＬＡＮ）送受信機１６０６を含み得る。ＷＬＡＮ送受信機１６０６は、ＷＬＡＮ  ＡＰと、および／またはネットワーク内の他のワイヤレスデバイスと直接、信号を通信し、および／またはそれらへの／からの信号を検出するのに適したデバイス、ハードウェア、および／またはソフトウェアを備える。一態様では、ＷＬＡＮ送受信機１６０６は、１つまたは複数のワイヤレスアクセスポイントと通信するのに適切なＷｉ−Ｆｉ（登録商標）（８０２．１１ｘ）通信システムを備え得るが、他の態様では、ＷＬＡＮ送受信機１６０６は、別のタイプのローカルエリアネットワーク、パーソナルエリアネットワーク（たとえば、Ｂｌｕｅｔｏｏｔｈ）を備える。加えて、任意の他のタイプのワイヤレスネットワーキング技術、たとえば、Ｕｌｔｒａ  Ｗｉｄｅ  Ｂａｎｄ、ＺｉｇＢｅｅ（登録商標）、ワイヤレスＵＳＢなどが使用され得る。
【０１５６】
[00173]ＳＰＳ受信機１６０８は、測位ビーコン１６００にも含まれ得る。ＳＰＳ受信機１６０８は、衛星信号を受信するために１つまたは複数のアンテナ１６０２に接続され得る。この目的で、アンテナ１６０２は、１つまたは複数の専用ＳＰＳアンテナを含んでよく、または代替的に、アンテナ１６０２の１つまたは複数が、ＳＰＳ通信を含む複数の通信技術のために利用されてよい。ＳＰＳ受信機１６０８は、ＳＰＳ信号を受信し処理するための、任意の適切なハードウェアおよび／またはソフトウェアを備え得る。ＳＰＳ受信機１６０８は、他のシステムからの情報と動作とを適宜要求し、任意の適切なＳＰＳアルゴリズムによって取得された測定結果を使用して測位ビーコン１６００の場所を決定するのに、または決定するのを助けるのに必要な計算を実行する。ある態様では、ＳＰＳ受信機１６０８は、測位ビーコン１６００が属し得るネットワークのための他のＡＰ、基地局、および測位ビーコンからのＰＲＳ送信のために使用される共通の時間に、測位ビーコン１６００によるＰＲＳ送信を同期するために、測位ビーコン１６００によって使用され得る。
【０１５７】
[00174]動きセンサ１６１２は、ＷＡＮ送受信機１６０４と、ＷＬＡＮ送受信機１６０６と、ＳＰＳ受信機１６０８とによって受信された信号から導出される動きデータとは無関係である、動き情報および／または方向情報を与えるために、プロセッサ１６１０に結合され得る。
【０１５８】
[00175]プロセッサ１６１０は、ＷＡＮ送受信機１６０４と、ＬＡＮ送受信機１６０６と、ＳＰＳ受信機１６０８と、動きセンサ１６１２とに接続され得る。プロセッサ１６１０は、処理機能ならびに他の計算および制御の機能を与える１つまたは複数のマイクロプロセッサ、マイクロコントローラ、および／または、デジタル信号プロセッサを含み得る。プロセッサ１６１０はまた、測位ビーコン１６００内でプログラムされた機能を実行するためのデータおよびソフトウェア命令を記憶するためのメモリ１６１４を含んでよく、またはそれらに結合されてよい。メモリ１６１４はプロセッサ１６１０に搭載されてよく（たとえば、同じ集積回路パッケージ内にあってよく）、および／または、メモリは、プロセッサに対して外部のメモリであり、データバスを通じて機能的に結合されてよい。
【０１５９】
[00176]いくつかのソフトウェアモジュールおよびデータテーブルが、メモリ１６１４に存在し、通信と場所決定機能の両方を管理するために、プロセッサ１６１０によって利用され得る。図１７に示されるように、メモリ１６１４は、ワイヤレスベースの測位モジュール１６１６と、アプリケーションモジュール１６１８と、測位モジュール１６２８とを含み、および／または場合によっては受け得る。メモリ１６１４はさらに、図１〜図１６に例示されたものなどの測位ビーコンについて本明細書で説明される様々な技法を測位ビーコン１６００が実行することを可能にするための命令（たとえば、ソフトウェアまたはファームウェア）を含み得る。メモリ１６１４はさらに、Ｏ＆Ｍ機能によって、または（たとえば、図９および図１３において例示されたように）位置特定サーバによって測位ビーコン１６００において構成されている可能性がある、ＰＲＳスケジューリングおよび／またはＰＲＳシグナリングに関する構成情報を含み得る。図１７に示されるメモリ内容の編成は例にすぎず、したがって、モジュールおよび／またはデータ構造の機能は、測位ビーコン１６００の実装形態に応じて様々な方法で組み合わされ、分離され、および／または構造化され得る。
【０１６０】
[00177]アプリケーションモジュール１６１８は、ワイヤレスベースの測位モジュール１６１６からの測位情報を要求する、測位ビーコン１６００のプロセッサ１６１０上で実行されるプロセスであり得る。アプリケーションは通常、ソフトウェアアーキテクチャの上側のレイヤ内で実行される。ワイヤレスベースの測位モジュール１６１６は、測位／動きデータ１６２６を記憶してそれらにアクセスすることができ、ＳＰＳ受信機１６０８から導かれる情報、ならびに／またはｅＮｏｄｅＢ２０２、２０５、２１０、および３０５などの複数のＡＰと交換される信号から測定される時間情報を使用して、測位ビーコン１６００の場所を導出することができる。交換される信号は、本明細書で開示される（拡大された）適応ＰＲＳスケジューリングメッセージを含み得る。
【０１６１】
[00178]図１７に示されるモジュールは、メモリ１６１４に含まれているものとして例に示されているが、いくつかの実装形態では、そのような手順は、他の機構または追加の機構を使用して与えられるか、または場合によっては動作可能に構成され得ることを認識されたい。たとえば、ワイヤレスベースの測位モジュール１６１６および／またはアプリケーションモジュール１６１８のすべてまたは一部はファームウェアで与えられ得る。さらに、この例では、ワイヤレスベースの測位モジュール１６１６およびアプリケーションモジュール１６１８は、別個の特徴であるものとして示されているが、たとえば、そのような手順は、１つの手順として、もしくは場合によっては他の手順と一緒に組み合わされ得るか、またはそうでなければ複数の手順にさらに分割され得ることを認識されたい。
【０１６２】
[00179]プロセッサ１６１０は、少なくとも本明細書で与えられる技法を実行するのに適した任意の形態の論理を含み得る。たとえば、プロセッサ１６１０は、測位ビーコンの他の部分において使用するために動きデータを活用する１つまたは複数のルーチンを選択的に開始するように、メモリ１６１４中の命令に基づいて動作可能に構成可能であり得る。
【０１６３】
[00180]測位ビーコン１６００は、測位ビーコン１６００とのユーザ対話を可能にするマイクロフォン／スピーカー１６５２、キーパッド１６５４、およびディスプレイ１６５６などの、任意の適切なインターフェースシステムを与えるユーザインターフェース１６５０を含み得る。マイクロフォン／スピーカー１６５２は、ＷＡＮ送受信機１６０４および／またはＷＬＡＮ送受信機１６０６を使用して、音声通信サービスを提供する。キーパッド１６５４は、ユーザ入力のための任意の適切なボタンを備える。ディスプレイ１６５６は、たとえば、バックライト付きのＬＣＤディスプレイなどの任意の適切なディスプレイを備え、追加のユーザ入力モードのために、タッチスクリーンディスプレイをさらに含み得る。
【０１６４】
[00181]図１８は、測位ビーコン３０５およびＵＥ３０２の例示的な設計のブロック図を示し、これらは、様々な実施形態に関して本明細書で論じられる測位ビーコン（たとえば、ｅＮＢビーコン４００、ｅＮＢビーコン８００、またはＲＮビーコン１２０２）の１つ、およびＵＥ（たとえば、ＵＥ３０２）の１つであり得る。この設計では、測位ビーコン３０５はＴ個のアンテナ１２３４ａ〜１２３４ｔを備え、ＵＥ３０２はＲ個のアンテナ１２６２ａ〜１２６２ｒを備え、ＴおよびＲは一般に１以上である。
【０１６５】
[00182]測位ビーコン３０５において、送信プロセッサ１２２０は、データソース１２１８から（たとえば、位置特定サーバ１７０から直接、または間接的に）ＰＲＳスケジュールを表すデータを受信することができる。送信プロセッサ１２２０は、データシンボルを取得するために各サービスのためのデータを処理することができる。送信プロセッサ１２２０はまた、スケジューリング情報、構成情報、制御情報、システム情報、および／または他のオーバーヘッド情報を、コントローラ／プロセッサ１２４０および／またはスケジューラ１２４４から受信することができる。送信プロセッサ１２２０は、受信されたオーバーヘッド情報を処理し、オーバーヘッドシンボルを提供することができる。送信（ＴＸ）多入力多出力（ＭＩＭＯ）プロセッサ１２３０は、データおよびオーバーヘッドシンボルをパイロットシンボルと多重化し、多重化されたシンボルを処理（たとえば、プリコーディング）し、Ｔ個の出力シンボルストリームをＴ個の変調器（ＭＯＤ）１２３２ａ〜１２３２ｔに提供することができる。各変調器１２３２は、出力サンプルストリームを取得するために、（たとえば、ＯＦＤＭのために）それぞれの出力シンボルストリームを処理し得る。各変調器１２３２はさらに、ＰＲＳ信号などのダウンリンク信号を取得するために、出力サンプルストリームを処理する（たとえば、アナログに変換し、増幅し、フィルタリングし、アップコンバートする）ことができる。変調器１２３２ａ〜１２３２ｔからのＴ個のダウンリンク信号は、それぞれＴ個のアンテナ１２３４ａ〜１２３４ｔを介して送信され得る。Ｔ個のアンテナ１２３４ａ〜１２３４ｔを介した送信は送信ダイバーシティを利用することができ、送信ダイバーシティによって、各ＰＲＳサブフレーム（または各ＰＲＳサブフレームの一部）が、すべてのアンテナからではなく、１つのアンテナまたはアンテナのサブセットだけから送信される。たとえば、送信ダイバーシティは、２つの異なるアンテナの各々からの連続するＰＲＳサブフレーム全体の送信を交互に行い得る。
【０１６６】
[00183]ＵＥ３０２において、アンテナ１２６２ａ〜１２６２ｒが、それぞれ、測位ビーコン３０５からダウンリンク信号（たとえば、ＰＲＳ信号）を受信し、受信された信号をそれぞれ復調器（ＤＥＭＯＤ）１２６４ａ〜１２６４ｒに提供することができる。各復調器１２６４は、受信されたサンプルを得るためにそれぞれの受信された信号を調整する（たとえば、フィルタリングし、増幅し、ダウンコンバートし、デジタル化する）ことができ、受信されたシンボルを得るために受信されたサンプルを（たとえば、ＯＦＤＭのために）さらに処理することができる。ＭＩＭＯ検出器１２６０は、すべてのＲ個の復調器１２６４ａ〜１２６４ｒからの受信されたシンボルを受信して処理し、検出されたシンボルを提供することができる。受信プロセッサ１２７０は、検出されたシンボルを処理し、ＰＲＳ信号の到着時間またはＲＳＴＤを検出して測定し、または、ＵＥ３０２のための復号されたデータおよび／もしくは所望のサービスをデータシンク１２７２に提供し、復号されたオーバーヘッド情報をコントローラ／プロセッサ１２９０に提供することができる。一般に、ＭＩＭＯ検出器１２６０および受信プロセッサ１２７０による処理は、測位ビーコン３０５におけるＴＸ  ＭＩＭＯプロセッサ１２３０および送信プロセッサ１２２０による処理を補足するものである。
【０１６７】
[00184]アップリンク上では、ＵＥ３０２において、データソース１２７８からのデータと、コントローラ／プロセッサ１２９０からのオーバーヘッド情報が、送信プロセッサ１２８０によって処理され、（適宜）ＴＸ  ＭＩＭＯプロセッサ１２８２によってさらに処理され、変調器１２６５ａ〜１２６５ｒによって調整され、アンテナ１２６２ａ〜１２６２ｒを介して送信され得る。測位ビーコン３０５において、ＵＥ３０２からのアップリンク信号が、ＵＥ３０２によって送信されたデータとオーバーヘッド情報とを取得するために、アンテナ１２３４によって受信され、復調器１２３３によって調整され、ＭＩＭＯ検出器１２３６によって検出され、受信プロセッサ１２３８によって処理され得る。
【０１６８】
[00185]コントローラ／プロセッサ１２４０および１２９０は、それぞれ測位ビーコン３０５およびＵＥ３０２における動作を指示し得る。スケジューラ１２４４は、ダウンリンクおよび／またはアップリンク送信についてＵＥをスケジューリングし、ＰＲＳ信号の送信をスケジューリングし、スケジューリングされたＵＥおよびサービスのための無線リソースの割当てを提供することができる。コントローラ／プロセッサ１２４０および／またはスケジューラ１２４４は、ＰＲＳ信号のためのスケジューリング情報および／または他のオーバーヘッド情報を生成することができる。
【０１６９】
[00186]コントローラ／プロセッサ１２９０は、本明細書で説明される技法のプロセスを実施し得る。メモリ１２４２および１２９２は、それぞれｅＮｏｄｅＢ３０５およびＵＥ３０２のためのデータとプログラムコードとを記憶し得る。したがって、適応ＰＲＳスケジューリングは、既存の規格に適合したままでありながら、本明細書で開示される様々な実施形態に従って達成されることが可能である。
【０１７０】
[00187]図１９は、機能を実行するように構成された論理を含む通信デバイス１３００を示す。通信デバイス１３００は、限定はされないが、ＵＥ２５０、２５２、２５４、ＲＡＮ１２０の任意の構成要素（たとえば、ｅＮｏｄｅＢ２０２、２０５、２１０、ｅＮＢビーコン４００、ｅＮＢビーコン８００、ＲＮビーコン１２０２など）、コアネットワーク１４０の任意の構成要素（たとえば、ＭＭＥ２１５または２２０、ＳＧＷ２３０、ＰＤＧ２３５）、コアネットワーク１４０および／またはインターネット１７５に結合される任意の構成要素（たとえば、位置特定サーバ１７０）、ならびに任意の位置特定サーバ（たとえば、位置特定サーバ１７０、Ｅ−ＳＭＬＣ３５５、８１４、８２４、もしくは１２０８、Ｅ−ＳＬＰ３３５、またはＨ−ＳＬＰ８１２もしくは１２１４）などを含む、上で述べられた通信デバイスのいずれにも対応し得る。したがって、通信デバイス１３００は、図１のワイヤレス通信システム１００および図２〜図４に示されるシステム／アーキテクチャを通じて１つまたは複数の他のエンティティと通信する（またはそれらとの通信を容易にする）ように構成された任意の電子デバイスに対応し得る。
【０１７１】
[00188]図１９を参照すると、通信デバイス１３００は、情報を受信および／または送信するように構成された論理１３０５を含む。ある例では、通信デバイス１３００がワイヤレス通信デバイス（たとえば、測位ビーコン１６００、ｅＮＢビーコン８００、ＲＮビーコン１２０２、ｅＮｏｄｅＢ２０２、２０５、２１０、３０５、４００のいずれかなど）に対応する場合、情報を受信および／または送信するように構成された論理１３０５は、ワイヤレス送受信機および関連するハードウェア（たとえば、ＲＦアンテナ、モデム、変調器、および／または復調器など）などのワイヤレス通信インターフェース（たとえば、Ｂｌｕｅｔｏｏｔｈ、ＷｉＦｉ、２Ｇ、ＣＤＭＡ２０００、ＷＣＤＭＡ、３Ｇ、４Ｇ、ＬＴＥなど）を含み得る。別の例では、情報を受信および／または送信するように構成された論理１３０５は、有線通信インターフェース（たとえば、シリアル接続、ＵＳＢまたはファイアワイヤ接続、インターネット１７５および／または他のネットワークエンティティがそれを通じてアクセスされ得る、イーサネット接続、パケットケーブル接続、ＤＳＬ接続、ＳＯＮＥＴ接続）に対応し得る。したがって、通信デバイス１３００が、何らかのタイプのネットワークベースのサーバまたは他のネットワーク要素（たとえば、ＳＧＳＮ、ＧＧＳＮ、ＳＧＷ、ＰＤＧ、ＭＭＥ、Ｅ−ＳＭＬＣ、ＳＬＰ、位置特定サーバ１７０など）に対応する場合、情報を受信および／または送信するように構成された論理１３０５は、ある例では、イーサネットプロトコルを介してネットワークベースのサーバを他の通信エンティティに接続するイーサネットカードに対応し得る。さらなる例では、情報を受信および／または送信するように構成された論理１３０５は、通信デバイス１３００がローカル環境をそれによって監視することができる感知または測定ハードウェア（たとえば、加速度計、温度センサ、光センサ、ローカルＲＦ信号を監視するためのアンテナなど）を含み得る。情報を受信および／または送信するように構成された論理１３０５はまた、実行されると、情報を受信および／または送信するように構成された論理１３０５の関連するハードウェアが（１つまたは複数の）受信および／または送信機能を実行することを可能にする、ソフトウェアを含み得る。しかしながら、情報を受信および／または送信するように構成された論理１３０５は、ソフトウェアだけに対応するのではないことがあり、その機能を実現するためにハードウェアに少なくとも一部依存することがある。
【０１７２】
[00189]図１９を参照すると、通信デバイス１３００はさらに、情報を処理するように構成された論理１３１０を含む。ある例では、情報を処理するように構成された論理１３１０は、少なくともプロセッサを含み得る。情報を処理するように構成された論理１３１０によって実行され得るタイプの処理の例示的な実装形態は、限定はされないが、決定を行うこと、接続を確立すること、異なる情報の選択肢の間で選択を行うこと、データに関する評価を行うこと、測定動作を実行するために通信デバイス１３００に結合されたセンサと対話すること、情報をあるフォーマットから別のフォーマットに変換することを含む。たとえば、情報を処理するように構成された論理１３１０に含まれるプロセッサは、汎用プロセッサ、デジタル信号プロセッサ（ＤＳＰ）、ＡＳＩＣ、フィールドプログラマブルゲートアレイ（ＦＰＧＡ）もしくは他のプログラマブル論理デバイス、個別ゲートもしくはトランジスタ論理、個別ハードウェア構成要素、または本明細書で説明される機能を実行するように設計されたそれらの任意の組合せに対応し得る。汎用プロセッサはマイクロプロセッサであり得るが、代替では、プロセッサは任意の従来のプロセッサ、コントローラ、マイクロコントローラ、またはステートマシンであり得る。プロセッサはまた、コンピューティングデバイスの組合せ、たとえば、ＤＳＰおよびマイクロプロセッサの組合せ、複数のマイクロプロセッサ、ＤＳＰコアと連携する１つもしくは複数のマイクロプロセッサ、または任意の他のそのような構成として実装され得る。情報を処理するように構成された論理１３１０はまた、実行されると、情報を処理するように構成された論理１３１０の関連するハードウェアが（１つまたは複数の）処理機能を実行することを可能にする、ソフトウェアを含み得る。しかしながら、情報を処理するように構成された論理１３１０は、ソフトウェアだけに対応するのではないことがあり、その機能を実現するためにハードウェアに少なくとも一部依存することがある。
【０１７３】
[00190]図１９を参照すると、通信デバイス１３００はさらに、情報を記憶するように構成された論理１３１５を含む。ある例では、情報を記憶するように構成された論理１３１５は、少なくとも非一時的メモリと、関連するハードウェア（たとえば、メモリコントローラなど）とを含み得る。たとえば、情報を記憶するように構成された論理１３１５に含まれる非一時的メモリは、ＲＡＭ、フラッシュメモリ、ＲＯＭ、ＥＰＲＯＭ、ＥＥＰＲＯＭ（登録商標）、レジスタ、ハードディスク、リムーバブルディスク、ＣＤ−ＲＯＭ、または当技術分野で知られている任意の他の形態の記憶媒体に対応し得る。情報を記憶するように構成された論理１３１５はまた、実行されると、情報を記憶するように構成された論理１３１５の関連するハードウェアが（１つまたは複数の）記憶機能を実行することを可能にする、ソフトウェアを含み得る。しかしながら、情報を記憶するように構成された論理１３１５は、ソフトウェアだけに対応するのではないことがあり、その機能を実現するためにハードウェアに少なくとも一部依存することがある。
【０１７４】
[00191]図１９を参照すると、通信デバイス１３００はさらに、情報を提示するように構成された論理１３２０を任意選択で含む。ある例では、情報を提示するように構成された論理１３２０は、少なくとも出力デバイスと、関連するハードウェアとを含み得る。たとえば、出力デバイスは、ビデオ出力デバイス（たとえば、ディスプレイスクリーン、ＵＳＢ、ＨＤＭＩ（登録商標）などの、ビデオ情報を搬送することができるポートなど）、オーディオ出力デバイス（たとえば、スピーカー、マイクロフォンジャック、ＵＳＢ、ＨＤＭＩなどの、オーディオ情報を搬送することができるポートなど）、振動デバイス、および／または、情報がそれによって出力のためにフォーマットされるか、または通信デバイス１３００のユーザまたは操作者によって実際に出力され得る、任意の他のデバイスを含み得る。たとえば、通信デバイス１３００が、図１７に示されているような測位ビーコン１６００に対応する場合、情報を提示するように構成された論理１３２０は、測位ビーコン１６００のディスプレイ１６５６を含み得る。さらなる例では、情報を提示するように構成された論理１３２０は、ローカルユーザを有しないネットワーク通信デバイス（たとえば、ネットワークスイッチまたはルータ、リモートサーバなど）などの、いくつかの通信デバイスでは省略されることがある。情報を提示するように構成された論理１３２０はまた、実行されると、情報を提示するように構成された論理１３２０の関連するハードウェアが（１つまたは複数の）提示機能を実行することを可能にする、ソフトウェアを含み得る。しかしながら、情報を提示するように構成された論理１３２０は、ソフトウェアだけに対応するのではないことがあり、その機能を実現するためにハードウェアに少なくとも一部依存することがある。
【０１７５】
[00192]図１９を参照すると、通信デバイス１３００はさらに、ローカルユーザ入力を受け取るように構成された論理１３２５を任意選択で含む。ある例では、ローカルユーザ入力を受信するように構成された論理１３２５は、少なくともユーザ入力デバイスと、関連するハードウェアとを含み得る。たとえば、ユーザ入力デバイスは、ボタン、タッチスクリーンディスプレイ、キーボード、カメラ、オーディオ入力デバイス（たとえば、マイクロフォン、またはマイクロフォンジャックなどのオーディオ情報を搬送することができるポートなど）、および／または情報がそれによって通信デバイス１３００のユーザまたは操作者から受け取られ得る任意の他のデバイスを含み得る。たとえば、通信デバイス１３００が、図１７に示されているような測位ビーコン１６００に対応する場合、ローカルユーザ入力を受け取るように構成された論理１３２５は、マイクロフォン１６５２、キーパッド１６５４、ディスプレイ１６５６などを含み得る。さらなる例では、ローカルユーザ入力を受け取るように構成された論理１３２５は、ローカルユーザを有しないネットワーク通信デバイス（たとえば、ネットワークスイッチまたはルータ、リモートサーバなど）などの、いくつかの通信デバイスでは省略されることがある。ローカルユーザ入力を受け取るように構成された論理１３２５はまた、実行されると、ローカルユーザ入力を受け取るように構成された論理１３２５の関連するハードウェアが（１つまたは複数の）入力受け取り機能を実行することを可能にする、ソフトウェアを含み得る。しかしながら、ローカルユーザ入力を受け取るように構成された論理１３２５は、ソフトウェアだけに対応するのではないことがあり、その機能を実現するためにハードウェアに少なくとも一部依存することがある。
【０１７６】
[00193]図１９を参照すると、１３０５〜１３２５の構成された論理は、図１９では別個のまたは異なるブロックとして示されているが、それぞれの構成された論理が機能をそれによって実行するハードウェアおよび／またはソフトウェアは、部分的に重複することがある。たとえば、１３０５〜１３２５の構成された論理の機能を容易にするために使用される任意のソフトウェアが、情報を記憶するように構成された論理１３１５と関連付けられる非一時的メモリに記憶されて得るので、１３０５〜１３２５の構成された論理は各々、情報を記憶するように構成された論理１３１５によって記憶されたソフトウェアの動作に部分的に基づいて機能（すなわち、この場合はソフトウェア実行）を実行する。同様に、構成された論理の１つと直接関連付けられるハードウェアが時々、他の構成された論理によって借用または使用され得る。たとえば、情報を処理するように構成された論理１３１０のプロセッサは、データを、情報を受信および／または送信するように構成された論理１３０５によって送信される前に、適切なフォーマットへとフォーマットすることができるので、情報を受信および／または送信するように構成された論理１３０５は、情報を処理するように構成された論理１３１０と関連付けられるハードウェア（すなわち、プロセッサ）の動作に部分的に基づいて機能（すなわち、この場合はデータの送信）を実行する。
【０１７７】
[00194]全般に、明示的に別段述べられていない限り、本開示全体にわたって使用される「ように構成された論理」という句は、少なくとも部分的にハードウェアを用いて実装される態様を呼び出すことを意図しており、ハードウェアから独立しているソフトウェア専用の実装形態と対応付けることを意図するものではない。また、様々なブロックにおける構成される論理または「ように構成される論理」は、特定の論理ゲートまたは要素に限定されず、一般に、（ハードウェアまたはハードウェアとソフトウェアの組合せのいずれかを介して）本明細書で説明される機能を実行する能力を指す。したがって、様々なブロックに示されているような構成される論理または「ように構成される論理」は、「論理」という単語を共有するにもかかわらず、必ずしも論理ゲートまたは論理要素として実装されるとは限らない。様々なブロック中の論理間の他の対話または協調が、以下でより詳細に説明される態様の検討から当業者に明らかになろう。
【０１７８】
[00195]様々な態様は、図２０に示されるサーバ１４００のような、様々な市販のサーバデバイスのいずれでも実装され得る。ある例では、サーバ１４００は、上で説明された、位置特定サーバ１７０、Ｅ−ＳＭＬＣ３５５、８１４、８２４、もしくは１２０８、ＳＧＷ２３０、ＰＤＧ２３５、Ｅ−ＳＬＰ３３５、Ｈ−ＳＬＰ８１２もしくは１２１４、またはＰＤＥ、ＳＭＬＣ、ＳＡＳ、もしくは他のＳＬＰなどの１つの例示的な構成に対応し得る。図２０では、サーバ１４００は、揮発性メモリ１４０２と、ディスクドライブ１４０３などの大容量の不揮発性メモリとに結合された、プロセッサ１４０１を含む。サーバ１４００はまた、プロセッサ１４０１に結合されたフロッピー（登録商標）ディスクドライブ、コンパクトディスク（ＣＤ）、またはＤＶＤディスクドライブ１４０６を含み得る。サーバ１４００はまた、他のブロードキャストシステムコンピュータおよびサーバに、またはインターネットに結合されたローカルエリアネットワークなどのネットワーク１４０７とのデータ接続を確立するための、プロセッサ１４０１に結合されたネットワークアクセスポート１４０４を含み得る。図１９の状況では、図２０のサーバ１４００は、通信デバイス１３００の１つの例示的な実装形態を示し、この実装形態によって、情報を送信および／または受信するように構成された論理１３０５は、ネットワーク１４０７と通信するためにサーバ１４００によって使用されるネットワークアクセスポート１４０４に対応し、情報を処理するように構成された論理１３１０は、プロセッサ１４０１に対応し、情報を記憶するように構成された論理１３１５は、揮発性メモリ１４０２、ディスクドライブ１４０３、および／またはディスクドライブ１４０６の任意の組合せに対応する。情報を提示するように構成された任意選択の論理１３２０およびローカルユーザ入力を受け取るように構成された任意選択の論理１３２５は、図２０には明示的に示されておらず、図２０に含まれることもまたは含まれないこともある。したがって、図２０は、図１７のような測位ビーコンの実装形態に加えて、通信デバイス１３００がサーバとして実装され得ることを例証するのを助ける。
【０１７９】
[00196]上で論じられた方法、システム、およびデバイスは例である。様々な代替的な構成は、様々な手順またはコンポーネントを適宜、省略し、置換し、または追加し得る。たとえば、代替的な方法では、段階は、上の議論とは異なる順序で実行されてよく、様々な段階が追加され、省略され、または組み合わせられてよい。また、いくつかの構成に関して説明された特徴は、様々な他の構成においては組み合わせられ得る。構成の異なる態様および要素が、同様にして組み合わせられ得る。また、技術は発展するので、要素の多くは例であり、本開示または特許請求の範囲を限定しない。
【０１８０】
[00197]説明では、（実装形態を含む）例示的な構成の完全な理解を与えるように、具体的な詳細が与えられる。しかしながら、構成はこれらの具体的な詳細を伴わずに実践され得る。たとえば、構成を不明瞭にすることを避けるために、よく知られている回路、プロセス、アルゴリズム、構造、および技法は、不要な詳細を伴わずに示されている。この説明は、例示的な構成を与えるにすぎず、特許請求の範囲の範囲、適用性、または構成を限定しない。そうではなく、構成の上記の説明は、説明された技法を実装することを可能にする説明を当業者に与えるものである。本開示の趣旨および範囲から逸脱することなく、要素の機能および構成において様々な変更が行われ得る。
【０１８１】
[00198]上で説明された様々な実装形態は、ネットワーク要素に言及し、および／または、１つまたは複数のネットワーク技術に固有の用語を利用するが、本明細書で説明される技法は、特定の技術に限定されることを意図しておらず、現在存在するものか、または今後開発されるものかにかかわらず、あらゆる適切な技術またはその組合せに適用され得る。
【０１８２】
[00199]構成は、流れ図またはブロック図として示されるプロセスとして説明されることがある。各々は動作を逐次プロセスとして説明することがあるが、動作の多くは並行してまたは同時に実行され得る。加えて、動作の順序は並べ替えられ得る。プロセスは、図に含まれない追加のステップを有し得る。さらに、本方法の例は、ハードウェア、ソフトウェア、ファームウェア、ミドルウェア、マイクロコード、ハードウェア記述言語、またはそれらの任意の組合せによって実装され得る。ソフトウェア、ファームウェア、ミドルウェア、またはマイクロコードで実装されるとき、必要なタスクを実行するためのプログラムコードまたはコードセグメントは、記憶媒体などの非一時的コンピュータ可読媒体に記憶され得る。プロセッサは、説明されたタスクを実行し得る。
【０１８３】
[00200]特許請求の範囲を含めて、本明細書で使用される場合、「の少なくとも１つ」または「の１つまたは複数」で終わる項目の列挙中で使用される「または」は、たとえば、「Ａ、Ｂ、またはＣの少なくとも１つ」、または「Ａ、Ｂ、またはＣの１つまたは複数」という列挙が、ＡもしくはＢもしくはＣもしくはＡＢもしくはＡＣもしくはＢＣもしくはＡＢＣ（すなわち、ＡおよびＢおよびＣ）、または２つ以上の特徴をもつ組合せ（たとえば、ＡＡ、ＡＡＢ、ＡＢＢＣなど）を意味するような、選言的列挙を示す。
【０１８４】
[00201]いくつかの例示的な構成について説明してきたが、様々な修正、代替的な構成、および均等物が、本開示の趣旨から逸脱することなく使用され得る。たとえば、上記の要素は、より大きいシステムの構成要素であってよく、このとき、他の規則が、本実施形態の適用例よりも優先されてよく、または本実施形態の適用例を別様に修正してよい。また、複数のステップが、上記の要素が抗考慮される前、考慮されている間、または考慮された後に着手され得る。したがって、上記の説明は特許請求の範囲を限定しない。
【０１８５】
[00202]情報および信号は、多種多様な技術および技法のいずれかを使用して表され得る。たとえば、上の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１８６】
[00203]さらに、本明細書で開示される態様に関して説明された様々な説明のための論理ブロック、モジュール、回路、およびアルゴリズムステップは、電子ハードウェア、コンピュータソフトウェア、または両方の組合せとして実装され得る。ハードウェアおよびソフトウェアのこの互換性を明確に示すために、様々な説明のための構成要素、ブロック、モジュール、回路、およびステップが、上では全般にそれらの機能に関して説明されてきた。そのような機能をハードウェアとして実装するか、またはソフトウェアとして実装するかは、特定の適用例および全体的なシステムに課された設計制約に依存する。当業者は、説明された機能を特定の適用例ごとに様々な方法で実装し得るが、そのような実装の決定は、本開示の範囲からの逸脱を生じるものと解釈されるべきではない。
【０１８７】
[00204]本明細書で開示された態様に関して説明された様々な説明のための論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または本明細書で説明された機能を実行するように設計されたそれらの任意の組合せを用いて実装または実行され得る。汎用プロセッサはマイクロプロセッサであり得るが、代替的に、プロセッサは、任意の従来のプロセッサ、コントローラ、マイクロコントローラ、またはステートマシンであり得る。プロセッサはまた、コンピューティングデバイスの組合せ、たとえば、ＤＳＰおよびマイクロプロセッサの組合せ、複数のマイクロプロセッサ、ＤＳＰコアと連携する１つもしくは複数のマイクロプロセッサ、または任意の他のそのような構成として実装され得る。
【０１８８】
[00205]本明細書で開示される態様に関して説明された方法、シーケンスおよび／またはアルゴリズムは、ハードウェアで直接具現化され、プロセッサによって実行されるソフトウェアモジュールで具現化され、またはそれらの２つの組合せで具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体内に存在し得る。例示的な記憶媒体は、プロセッサが、記憶媒体から情報を読み取り、記憶媒体に情報を書き込むことができるようにプロセッサに結合される。代わりに、記憶媒体はプロセッサと一体であってよい。プロセッサおよび記憶媒体は、ＡＳＩＣ中に存在してよい。ＡＳＩＣはユーザ端末（たとえば、ＵＥ）中に存在してよい。代わりに、プロセッサおよび記憶媒体は、ユーザ端末の個別構成要素として存在してよい。
【０１８９】
[00206]１つまたは複数の例示的な態様では、説明された機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、またはコンピュータ可読媒体を通じて送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または命令またはデータ構造の形態の所望のプログラムコードを搬送または記憶するために使用されコンピュータによってアクセスされ得る任意の他の媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピーディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲に含まれるべきである。
【０１９０】
[00207]上記の開示は本開示の説明のための態様を示しているが、添付の特許請求の範囲によって規定される本開示の範囲から逸脱することなく、本明細書において様々な変更および修正が行われ得る。本明細書で説明された本開示の態様による方法クレームの機能、ステップおよび／または活動は、特定の順序で実行される必要はない。さらに、本開示の要素は、単数形で説明または請求されていることがあるが、単数形に限定することが明示的に述べられていない限り、複数形が企図される。
【０１９１】
[00208]非一時的プロセッサ可読媒体についての実施形態の例が、以下の例示的な請求項において与えられる。
１．プロセッサに、
測位ビーコンから通信ネットワークへのワイヤレスバックホール接続を確立させ、
ワイヤレスバックホール接続を通じて通信ネットワークから測位基準信号（ＰＲＳ）のためのスケジューリング情報を受信させ、
スケジューリング情報に従ってＰＲＳを送信させる
ように構成されるプロセッサ実行可能命令を備える、非一時的プロセッサ可読媒体。
２．プロセッサに、
ユーザ機器（ＵＥ）モジュールとホームｅＮｏｄｅＢ（ＨｅＮＢ）モジュールとを実装させ、
ＵＥモジュールによって、通信ネットワーク中のパケットデータネットワークゲートウェイ（ＰＤＧ）への、ＩＰ接続性に対するサポートを伴うワイヤレスバックホール接続を確立させ、
ＨｅＮＢモジュールを介してＰＲＳを送信させる
ように構成される命令をさらに備える、請求項１に記載のプロセッサ可読媒体。
３．プロセッサに、
ＰＤＧへのワイヤレスバックホール接続を使用して、通信ネットワークにおいてＨｅＮＢモジュールからセキュリティゲートウェイ（ＳｅＧＷ）へのセキュアなＩＰ接続を確立させ、
ＳｅＧＷからＨｅＮＢ管理システム（ＨｅＭＳ）へアクセスさせ、
ＨｅＮＢモジュールをＨｅＭＳへ登録させ、
測位ビーコンのための第１の情報をＨｅＭＳへ送信させ、
測位ビーコンのための第２の情報をＨｅＭＳから受信させる
ように構成される命令をさらに備える、請求項２に記載のプロセッサ可読媒体。
４．測位ビーコンのための第１の情報が、位置もしくはＰＲＳのためのスケジューリング情報、またはこれらの組合せを備え、測位ビーコンのための第２の情報が、位置登録エリアコード（ＴＡＣ）、セル識別情報（ＣＩ）、位置、もしくはＰＲＳのためのスケジューリング情報、またはこれらの組合せを備える、請求項３に記載のプロセッサ可読媒体。
５．プロセッサに、
ＳｅＧＷへのセキュアなＩＰ接続を使用して、ＨｅＮＢゲートウェイ（ＨｅＮＢ  ＧＷ）およびモビリティ管理エンティティ（ＭＭＥ）へのシグナリング接続を確立させ、
ＭＭＥまたはＳｅＧＷのいずれかから位置特定サーバへアクセスさせ、
位置特定サーバから測位ビーコンのための第３の情報を受信させ、および／または位置特定サーバへ測位ビーコンのための第４の情報を送信させる
ように構成される命令をさらに備える、請求項３に記載のプロセッサ可読媒体。
６．プロセッサに、測位ビーコンのための第３の情報または第４の情報をそれぞれ受信および／または送信させるように構成される命令が、プロセッサに、３ＧＰＰによって定義されるＬＴＥ測位プロトコルＡ（ＬＰＰａ）に従ってメッセージを受信および／または送信させるように構成される命令を備える、請求項５に記載のプロセッサ可読媒体。
７．第３の情報がＰＲＳのためのスケジューリング情報を備える、請求項５に記載のプロセッサ可読媒体。
８．第４の情報が、位置登録エリアコード（ＴＡＣ）、セル識別情報（ＣＩ）、位置、もしくはＰＲＳのためのスケジューリング情報、またはこれらの組合せを備える、請求項５に記載のプロセッサ可読媒体。
９．ＵＥモジュールがさらに、非位置特定サービスをサポートするのを妨げるように構成される、請求項２に記載のプロセッサ可読媒体。
１０．プロセッサに、第３世代パートナーシッププロジェクト（３ＧＰＰ）によって定義されるロングタームエボリューション（ＬＴＥ）ワイヤレス技術のためのコアネットワークへのワイヤレスバックホール接続を確立させるように構成される命令をさらに備える、請求項１に記載のプロセッサ可読媒体。
１１．ＰＲＳが、観測到着時間差（ＯＴＤＯＡ）に従ったユーザ機器（ＵＥ）の位置特定をサポートする、請求項１に記載のプロセッサ可読媒体。
１２．プロセッサに、スケジューリング情報に応答して、ノーマルＰＲＳモードと緊急ＰＲＳモードとを切り替えさせるように構成される命令をさらに備える、請求項１に記載のプロセッサ可読媒体。
１３．プロセッサに、ワイヤレスバックホール接続を介した、通信ネットワーク中の位置特定サーバとの通信に少なくとも一部基づいて、測位ビーコンの位置を決定させるように構成される命令をさらに備える、請求項１に記載のプロセッサ可読媒体。
１４．プロセッサに測位ビーコンの位置を決定させるように構成される命令が、プロセッサに、ロングタームエボリューション（ＬＴＥ）制御プレーンプロトコルに従って、進化型サービングモバイル位置特定センター（Ｅ−ＳＭＬＣ）と通信させるように構成される命令を備える、請求項１３に記載のプロセッサ可読媒体。
１４．プロセッサに測位ビーコンの位置を決定させるように構成される命令が、プロセッサに、オープンモバイルアライアンス（ＯＭＡ）によって定義されるセキュアユーザプレーン位置特定（ＳＵＰＬ）プロトコルに従って、ＳＵＰＬ位置特定プラットフォーム（ＳＬＰ）と通信させるように構成される命令を備える、請求項１３に記載のプロセッサ可読媒体。
１６．測位ビーコンがロングタームエボリューション（ＬＴＥ）中継ノード（ＲＮ）を備え、プロセッサにワイヤレスバックホール接続を確立させるように構成される命令が、プロセッサに、通信ネットワークのための無線アクセスネットワーク（ＲＡＮ）中のＬＴＥドナーｅＮｏｄｅＢ（ＤｅＮＢ）へのインターネットプロトコル接続を確立させるように構成される命令を備える、請求項１にプロセッサ可読媒体。
１７．プロセッサに、
ＤｅＮＢから運用および保守（Ｏ＆Ｍ）機能へアクセスさせ、
測位ビーコンのための第５の情報をＨｅＭＳへ送信させ、第５の情報は、ＤｅＮＢの識別情報、位置、もしくはＰＲＳのためのスケジューリング情報、またはこれらの組合せを備える、
測位ビーコンのための第６の情報をＨｅＭＳから受信させ、第６の情報は、位置登録エリアコード（ＴＡＣ）、セル識別情報（ＣＩ）、位置、もしくはＰＲＳのためのスケジューリング情報、またはこれらの組合せを備える
ように構成される命令をさらに備える、請求項１６に記載のプロセッサ可読媒体。
１８．プロセッサに、
ＤｅＮＢから位置特定サーバへアクセスさせ、
３ＧＰＰによって定義されるＬＴＥ測位プロトコルＡ（ＬＰＰａ）に従って、位置特定サーバへ、および／または位置特定サーバから、測位ビーコンのための第７の情報を送信および／または受信させる
ように構成される命令をさらに備える、請求項１６に記載のプロセッサ可読媒体。
１９．プロセッサに、３ＧＰＰのためのＬＴＥ制御プレーンの位置特定方法に従って、ＤｅＮＢから位置特定サーバへアクセスさせるように構成される命令をさらに備える、請求項１８に記載のプロセッサ可読媒体。
２０．プロセッサに、ＩＰシグナリングを使用してＤｅＮＢから位置特定サーバへアクセスさせるように構成される命令をさらに備える、請求項１８に記載のプロセッサ可読媒体。
【０１９２】
[00209]位置特定サーバの実施形態の例が以下の請求項において与えられる。
１．測位ビーコンのための構成情報を取得するための手段と、ここにおいて、測位ビーコンは通信ネットワークへのワイヤレスバックホール接続を有する、
測位ビーコンの通信範囲内にあるユーザ機器（ＵＥ）の測位に対する要求を受信するための手段と、
ＵＥの測位に対する要求に応答して、および構成情報に基づいて、位置特定サーバから測位ビーコンに測位基準信号（ＰＲＳ）スケジューリング調整命令を送信するための手段とを備える、位置特定サーバ。
２．構成情報が、位置登録エリアコード、セル識別情報、位置、ＰＲＳスケジューリング情報、もしくはドナーｅＮｏｄｅＢ識別情報、またはこれらの組合せを備える、請求項１に記載の位置特定サーバ。
３．構成情報を取得するための手段が、３ＧＰＰによって定義されるＬＴＥ測位プロトコルＡ（ＬＰＰａ）を使用して測位ビーコンから構成情報を取得するためのものである、請求項２に記載の位置特定サーバ。
４．送信するための手段が、３ＧＰＰによって定義されるＬＴＥ測位プロトコルＡ（ＬＰＰａ）に従って、位置特定サーバから測位ビーコンにＰＲＳスケジューリング調整命令を送信するためのものである、請求項１に記載の位置特定サーバ。
５．ＰＲＳスケジューリング調整命令が、ノーマルＰＲＳモードから緊急ＰＲＳモードに測位ビーコンを切り替えるための命令を備える、請求項１に記載の位置特定サーバ。
６．位置特定サーバが、進化型サービングモバイル位置特定サーバ（Ｅ−ＳＭＬＣ）またはセキュアユーザプレーン位置特定（ＳＵＰＬ）位置特定プラットフォーム（ＳＬＰ）の１つを備える、請求項１に記載の位置特定サーバ。
７．測位ビーコンがＬＴＥ中継ノード（ＲＮ）を備え、
ＰＲＳスケジューリング調整命令を送信するための手段が、ＲＮと関連付けられるＬＴＥドナーｅＮｏｄｅＢ（ＤｅＮＢ）を通じて、ＰＲＳスケジューリング調整命令をＲＮに送信するためのものである、請求項１に記載の位置特定サーバ。
８．測位ビーコンが、ＵＥ機能を含むＬＴＥ  ｅＮｏｄｅＢビーコンを備え、ＰＲＳスケジューリング調整命令を送信するための手段が、ＵＥ機能へのワイヤレスバックホール接続を使用して、ＰＲＳスケジューリング調整命令をＬＴＥ  ｅＮｏｄｅＢビーコンに送信するためのものである、請求項１に記載の位置特定サーバ。
【０１９３】
[00210]位置特定サーバの実施形態のさらなる例が以下の例示的な請求項において与えられる。
１．命令を記憶するメモリと、
メモリに結合され、
測位ビーコンのための構成情報を取得し、ここにおいて、測位ビーコンは通信ネットワークへのワイヤレスバックホール接続を有する、
測位ビーコンの通信範囲内にあるユーザ機器（ＵＥ）の測位に対する要求を受信し、
ＵＥの測位に対する要求を受信したことに応答して、および構成情報に基づいて、測位ビーコンに測位基準信号（ＰＲＳ）スケジューリング調整命令を送信する
ための命令を実行するように構成されるプロセッサとを備える、位置特定サーバ。
２．構成情報が、位置登録エリアコード、セル識別情報、位置、ＰＲＳスケジューリング情報、もしくはドナーｅＮｏｄｅＢ識別情報、またはこれらの組合せを備える、請求項１に記載の位置特定サーバ。
３．プロセッサに構成情報を取得させるように構成される命令が、プロセッサに、３ＧＰＰによって定義されるＬＴＥ測位プロトコルＡ（ＬＰＰａ）を使用して測位ビーコンから構成情報を取得させるように構成される、請求項２に記載の位置特定サーバ。
４．プロセッサにＰＲＳスケジューリング調整命令を送信させるように構成される命令が、プロセッサに、３ＧＰＰによって定義されるＬＴＥ測位プロトコルＡ（ＬＰＰａ）に従って、測位ビーコンへＰＲＳスケジューリング調整命令を送信させるように構成される、請求項１に記載の位置特定サーバ。
５．ＰＲＳスケジューリング調整命令が、ノーマルＰＲＳモードから緊急ＰＲＳモードに測位ビーコンを切り替えるための命令を備える、請求項１に記載の位置特定サーバ。
６．位置特定サーバが、進化型サービングモバイル位置特定センター（Ｅ−ＳＭＬＣ）またはセキュアユーザプレーン位置特定（ＳＵＰＬ）位置特定プラットフォーム（ＳＬＰ）の１つを備える、請求項１に記載の位置特定サーバ。
７．測位ビーコンがＬＴＥ中継ノード（ＲＮ）を備え、
プロセッサにＰＲＳスケジューリング調整命令を送信させるように構成される命令が、プロセッサに、ＲＮと関連付けられるＬＴＥドナーｅＮｏｄｅＢ（ＤｅＮＢ）を通じて、ＰＲＳスケジューリング調整命令をＲＮへ送信させるように構成される、請求項１に記載の位置特定サーバ。
８．測位ビーコンが、ＵＥ機能を含むＬＴＥ  ｅＮｏｄｅＢビーコンを備え、プロセッサにＰＲＳスケジューリング調整命令を送信させるように構成される命令が、プロセッサに、ＵＥ機能へのワイヤレスバックホール接続を使用して、ＰＲＳスケジューリング調整命令をＬＴＥ  ｅＮｏｄｅＢビーコンへ送信させるように構成される、請求項１に記載の位置特定サーバ。
【０１９４】
[00211]非一時的プロセッサ可読媒体の実施形態のさらなる例が以下の例示的な請求項において与えられる。１．プロセッサに、測位ビーコンのための構成情報を取得させ、ここにおいて、測位ビーコンは通信ネットワークへのワイヤレスバックホール接続を有する、測位ビーコンの通信範囲内にあるユーザ機器（ＵＥ）の測位に対する要求を受信させ、ＵＥの測位に対する要求を受信したことに応答して、および構成情報に基づいて、位置特定サーバから測位ビーコンに測位基準信号（ＰＲＳ）スケジューリング調整命令を送信させるように構成されるプロセッサ実行可能命令を備える、非一時的プロセッサ可読媒体。２．構成情報が、位置登録エリアコード、セル識別情報、位置、ＰＲＳスケジューリング情報、もしくはドナーｅＮｏｄｅＢ識別情報、またはこれらの組合せを備える、請求項１に記載のプロセッサ可読媒体。３．プロセッサに構成情報を取得させるように構成される命令が、プロセッサに、３ＧＰＰによって定義されるＬＴＥ測位プロトコルＡ（ＬＰＰａ）を使用して測位ビーコンから構成情報を取得させるように構成される、請求項２に記載のプロセッサ可読媒体。４．プロセッサにＰＲＳスケジューリング調整命令を送信させるように構成される命令が、プロセッサに、３ＧＰＰによって定義されるＬＴＥ測位プロトコルＡ（ＬＰＰａ）に従って、測位ビーコンへＰＲＳスケジューリング調整命令を送信させるように構成される、請求項１に記載のプロセッサ可読媒体。５．ＰＲＳスケジューリング調整命令が、ノーマルＰＲＳモードから緊急ＰＲＳモードに測位ビーコンを切り替えるための命令を備える、請求項１に記載のプロセッサ可読媒体。６．位置特定サーバが、進化型サービングモバイル位置特定センター（Ｅ−ＳＭＬＣ）またはセキュアユーザプレーン位置特定（ＳＵＰＬ）位置特定プラットフォーム（ＳＬＰ）の１つを備える、請求項１に記載のプロセッサ可読媒体。７．測位ビーコンがＬＴＥ中継ノード（ＲＮ）を備え、プロセッサにＰＲＳスケジューリング調整命令を送信させるように構成される命令が、プロセッサに、ＲＮと関連付けられるＬＴＥドナーｅＮｏｄｅＢ（ＤｅＮＢ）を通じて、ＰＲＳスケジューリング調整命令をＲＮへ送信させるように構成される、請求項１に記載のプロセッサ可読媒体。８．測位ビーコンが、ＵＥ機能を含むＬＴＥ  ｅＮｏｄｅＢビーコンを備え、プロセッサにＰＲＳスケジューリング調整命令を送信させるように構成される命令が、プロセッサに、ＵＥ機能へのワイヤレスバックホール接続を使用して、ＰＲＳスケジューリング調整命令をＬＴＥ  ｅＮｏｄｅＢビーコンへ送信させるように構成される、請求項１に記載のプロセッサ可読媒体。
以下に、本願出願の当初の特許請求の範囲に記載された発明を付記する。
［Ｃ１］
測位ビーコンにおいて測位基準信号を提供するための方法であって、
前記測位ビーコンにおいて、通信ネットワークへのワイヤレスバックホール接続を確立することと、
前記測位ビーコンにおいて、前記ワイヤレスバックホール接続を通じて前記通信ネットワークから測位基準信号（ＰＲＳ）のためのスケジューリング情報を受信することと、
前記測位ビーコンから、前記スケジューリング情報に従って前記ＰＲＳを送信することと
を備える、方法。
［Ｃ２］
前記測位ビーコンがユーザ機器（ＵＥ）モジュールを備え、前記確立することが、前記ＵＥモジュールによって、前記通信ネットワーク中のパケットデータネットワークゲートウェイ（ＰＤＧ）への、ＩＰ接続性に対するサポートを伴う前記ワイヤレスバックホール接続を確立することを備える、Ｃ１に記載の方法。
［Ｃ３］
前記ＰＤＧへの前記ワイヤレスバックホール接続を使用して、前記通信ネットワークにおいてセキュリティゲートウェイ（ＳｅＧＷ）へのセキュアなＩＰ接続を確立することと、
前記ＳｅＧＷからＨｅＮＢ管理システム（ＨｅＭＳ）にアクセスすることと、
前記測位ビーコンを前記ＨｅＭＳに登録することと、
前記測位ビーコンのための第１の情報を前記ＨｅＭＳに送信することと、
前記測位ビーコンのための第２の情報を前記ＨｅＭＳから受信することと
をさらに備える、Ｃ２に記載の方法。
［Ｃ４］
前記測位ビーコンのための前記第２の情報が、位置登録エリアコード（ＴＡＣ）、セル識別情報（ＣＩ）、位置、もしくは前記ＰＲＳのための前記スケジューリング情報、またはこれらの組合せを備える、Ｃ３に記載の方法。
［Ｃ５］
前記測位ビーコンのための前記第１の情報が、位置もしくは前記ＰＲＳのための前記スケジューリング情報、またはこれらの組合せを備える、Ｃ３に記載の方法。
［Ｃ６］
前記ＳｅＧＷへの前記セキュアなＩＰ接続を使用して、ＨｅＮＢゲートウェイ（ＨｅＮＢ  ＧＷ）およびモビリティ管理エンティティ（ＭＭＥ）へのシグナリング接続を確立することと、
前記ＭＭＥまたは前記ＳｅＧＷのいずれかから位置特定サーバにアクセスすることと、
前記位置特定サーバに、および／または前記位置特定サーバから、前記測位ビーコンのための第３の情報を送信および／または受信することと
をさらに備える、Ｃ３に記載の方法。
［Ｃ７］
前記位置特定サーバに、および／または前記位置特定サーバから、前記測位ビーコンのための前記第３の情報を前記送信および／または受信することが、３ＧＰＰによって定義されるＬＴＥ測位プロトコルＡ（ＬＰＰａ）に従ってメッセージを送信および／または受信することを備える、Ｃ６に記載の方法。
［Ｃ８］
前記位置特定サーバから受信される前記第３の情報が、前記ＰＲＳのための前記スケジューリング情報を備える、Ｃ６に記載の方法。
［Ｃ９］
位置特定サーバに送信される前記第３の情報が、位置登録エリアコード（ＴＡＣ）、セル識別情報（ＣＩ）、位置、もしくは前記ＰＲＳのための前記スケジューリング情報、またはこれらの組合せを備える、Ｃ６に記載の方法。
［Ｃ１０］
前記位置特定サーバが、３ＧＰＰのためのＬＴＥ制御プレーンの位置特定方法に従って前記ＭＭＥからアクセスされ、前記位置特定サーバが、進化型サービングモバイル位置特定センター（Ｅ−ＳＭＬＣ）を備える、Ｃ６に記載の方法。
［Ｃ１１］
前記位置特定サーバが前記ＳｅＧＷからアクセスされ、前記位置特定サーバがホームＳＬＰ（Ｈ−ＳＬＰ）または発見されたＳＬＰ（Ｄ−ＳＬＰ）を備える、Ｃ６に記載の方法。
［Ｃ１２］
非位置特定サービスのサポートを妨げる前記ＵＥモジュールをさらに備える、Ｃ２に記載の方法。
［Ｃ１３］
前記通信ネットワークが、第３世代パートナーシッププロジェクト（３ＧＰＰ）によって定義されるロングタームエボリューション（ＬＴＥ）ワイヤレス技術のためのコアネットワークである、Ｃ１に記載の方法。
［Ｃ１４］
前記ＰＲＳが、観測到着時間差（ＯＴＤＯＡ）に従ったユーザ機器（ＵＥ）の位置特定をサポートする、Ｃ１に記載の方法。
［Ｃ１５］
前記スケジューリング情報に応答して、ノーマルＰＲＳモードと緊急ＰＲＳモードとを切り替えることをさらに備える、Ｃ１に記載の方法。
［Ｃ１６］
前記通信ネットワーク中の位置特定サーバとの通信を行うために前記ワイヤレスバックホール接続を使用することと、
前記位置特定サーバとの前記通信に少なくとも一部基づいて、前記測位ビーコンの位置を決定することとをさらに備える、Ｃ１に記載の方法。
［Ｃ１７］
前記位置特定サーバが改良されたサービングモバイル位置特定センター（Ｅ−ＳＭＬＣ）であり、前記ワイヤレスバックホール接続を使用することが、ロングタームエボリューション（ＬＴＥ）制御プレーンプロトコルに従って前記位置特定サーバと通信することを備える、Ｃ１６に記載の方法。
［Ｃ１８］
位置特定サーバがセキュアユーザプレーン位置特定（ＳＵＰＬ）位置特定プラットフォーム（ＳＬＰ）であり、前記ワイヤレスバックホール接続を使用することが、オープンモバイルアライアンス（ＯＭＡ）によって定義されるＳＵＰＬプロトコルに従って、前記位置特定サーバと通信することを備える、Ｃ１６に記載の方法。
［Ｃ１９］
前記測位ビーコンが、ロングタームエボリューション（ＬＴＥ）中継ノード（ＲＮ）を備え、
前記ワイヤレスバックホール接続を使用する前記ＲＮによって、前記通信ネットワークのための無線アクセスネットワーク（ＲＡＮ）中のＬＴＥドナーｅＮｏｄｅＢ（ＤｅＮＢ）へのインターネットプロトコル接続を確立することをさらに備える、Ｃ１に記載の方法。
［Ｃ２０］
前記ＤｅＮＢから運用および保守（Ｏ＆Ｍ）機能にアクセスすることと、
前記測位ビーコンのための第４の情報を前記ＨｅＭＳに送信することと、
前記測位ビーコンのための第５の情報を前記ＨｅＭＳから受信することと
をさらに備える、Ｃ１９に記載の方法。
［Ｃ２１］
前記第５の情報が、位置登録エリアコード（ＴＡＣ）、セル識別情報（ＣＩ）、位置、もしくは前記ＰＲＳのための前記スケジューリング情報、またはこれらの組合せを備える、Ｃ２０に記載の方法。
［Ｃ２２］
前記第４の情報が、前記ＤｅＮＢの識別情報、位置、もしくは前記ＰＲＳのための前記スケジューリング情報、またはこれらの組合せを備える、Ｃ２０に記載の方法。
［Ｃ２３］
前記ＤｅＮＢから位置特定サーバにアクセスすることと、
前記位置特定サーバに、および／または前記位置特定サーバから、前記測位ビーコンのための第６の情報を送信および／または受信することと
をさらに備える、Ｃ１９に記載の方法。
［Ｃ２４］
前記位置特定サーバとの間で、前記測位ビーコンのための前記第６の情報を前記送信および／または受信することが、３ＧＰＰによって定義されるＬＴＥ測位プロトコルＡ（ＬＰＰａ）に従ってメッセージを送信および／または受信することを備える、Ｃ２３に記載の方法。
［Ｃ２５］
前記位置特定サーバが、３ＧＰＰのためのＬＴＥ制御プレーンの位置特定方法に従って前記ＤｅＮＢからアクセスされ、前記位置特定サーバが、進化型サービングモバイル位置特定センター（Ｅ−ＳＭＬＣ）を備える、Ｃ２３に記載の方法。
［Ｃ２６］
前記位置特定サーバがＩＰシグナリングを使用して前記ＤｅＮＢからアクセスされ、前記位置特定サーバがホームＳＬＰ（Ｈ−ＳＬＰ）または発見されたＳＬＰ（Ｄ−ＳＬＰ）を備える、Ｃ２３に記載の方法。
［Ｃ２７］
測位基準信号（ＰＲＳ）を提供するための測位ビーコンであって、
通信ネットワークへのワイヤレスバックホール接続を確立するための手段と、
前記ワイヤレスバックホール接続を通じて前記通信ネットワークから前記ＰＲＳのためのスケジューリング情報を受信するための手段と、
前記スケジューリング情報に従って前記ＰＲＳを送信するための手段と
を備える、測位ビーコン。
［Ｃ２８］
確立するための前記手段がユーザ機器（ＵＥ）モジュールを含み、送信するための前記手段がホームｅＮｏｄｅＢ（ＨｅＮＢ）モジュールを含み、
確立するための前記手段が、前記ＵＥモジュールによって、前記通信ネットワーク中のパケットデータネットワークゲートウェイ（ＰＤＧ）への、ＩＰ接続性に対するサポートを伴う前記ワイヤレスバックホール接続を確立するためのものであり、
送信するための前記手段が、前記ＨｅＮＢモジュールを介して前記ＰＲＳを送信するためのものである、Ｃ２７に記載の測位ビーコン。
［Ｃ２９］
前記ＰＤＧへの前記ワイヤレスバックホール接続を使用して、前記通信ネットワークにおいて前記ＨｅＮＢモジュールからセキュリティゲートウェイ（ＳｅＧＷ）へのセキュアなＩＰ接続を確立するための手段と、
前記ＳｅＧＷからＨｅＮＢ管理システム（ＨｅＭＳ）にアクセスするための手段と、
前記ＨｅＮＢモジュールを前記ＨｅＭＳに登録するための手段と、
前記測位ビーコンのための第１の情報を前記ＨｅＭＳに送信するための手段と、
前記測位ビーコンのための第２の情報を前記ＨｅＭＳから受信するための手段と
をさらに備える、Ｃ２８に記載の測位ビーコン。
［Ｃ３０］
前記測位ビーコンのための前記第１の情報が、位置もしくは前記ＰＲＳのための前記スケジューリング情報、またはこれらの組合せを備え、前記測位ビーコンのための前記第２の情報が、位置登録エリアコード（ＴＡＣ）、セル識別情報（ＣＩ）、位置、もしくは前記ＰＲＳのための前記スケジューリング情報、またはこれらの組合せを備える、Ｃ２９に記載の測位ビーコン。
［Ｃ３１］
前記ＳｅＧＷへの前記セキュアなＩＰ接続を使用して、ＨｅＮＢゲートウェイ（ＨｅＮＢ  ＧＷ）およびモビリティ管理エンティティ（ＭＭＥ）へのシグナリング接続を確立するための手段と、
前記ＭＭＥまたは前記ＳｅＧＷのいずれかから位置特定サーバにアクセスするための手段と、
前記位置特定サーバから前記測位ビーコンのための第３の情報を受信するための手段と、
前記測位ビーコンのための第４の情報を前記位置特定サーバに送信するための手段と
をさらに備える、Ｃ２９に記載の測位ビーコン。
［Ｃ３２］
前記第３の情報を受信するための前記手段および前記第４の情報を送信するための前記手段が、それぞれ、３ＧＰＰによって定義されるＬＴＥ測位プロトコルＡ（ＬＰＰａ）に従ってメッセージを送信して受信するためのものである、Ｃ３１に記載の測位ビーコン。
［Ｃ３３］
前記第３の情報が、前記ＰＲＳのための前記スケジューリング情報を備える、Ｃ３１に記載の測位ビーコン。
［Ｃ３４］
前記第４の情報が、位置登録エリアコード（ＴＡＣ）、セル識別情報（ＣＩ）、位置、もしくは前記ＰＲＳのための前記スケジューリング情報、またはこれらの組合せを備える、Ｃ３１に記載の測位ビーコン。
［Ｃ３５］
前記ＵＥモジュールが、非位置特定サービスのサポートを妨げるように構成される、Ｃ２８に記載の測位ビーコン。
［Ｃ３６］
確立するための前記手段が、第３世代パートナーシッププロジェクト（３ＧＰＰ）によって定義されるロングタームエボリューション（ＬＴＥ）ワイヤレス技術のためのコアネットワークへの前記ワイヤレスバックホール接続を確立するためのものである、Ｃ２７に記載の測位ビーコン。
［Ｃ３７］
前記ＰＲＳが、観測到着時間差（ＯＴＤＯＡ）に従ったユーザ機器（ＵＥ）の位置特定をサポートする、Ｃ２７に記載の測位ビーコン。
［Ｃ３８］
送信するための前記手段が、前記スケジューリング情報に応答して、ノーマルＰＲＳモードと緊急ＰＲＳモードとを切り替えるための手段を含む、Ｃ２７に記載の測位ビーコン。
［Ｃ３９］
前記ワイヤレスバックホール接続を介した、前記通信ネットワーク中の位置特定サーバとの通信に少なくとも一部基づいて、前記測位ビーコンの位置を決定するための手段をさらに備える、Ｃ２７に記載の測位ビーコン。
［Ｃ４０］
決定するための前記手段が、ロングタームエボリューション（ＬＴＥ）制御プレーンプロトコルに従って、進化型サービングモバイル位置特定センター（Ｅ−ＳＭＬＣ）と通信するためのものである、Ｃ３９に記載の測位ビーコン。
［Ｃ４１］
決定するための前記手段が、オープンモバイルアライアンス（ＯＭＡ）によって定義されるセキュアユーザプレーン位置特定（ＳＵＰＬ）プロトコルに従って、ＳＵＰＬ位置特定プラットフォーム（ＳＬＰ）と通信するためのものである、Ｃ３９に記載の測位ビーコン。
［Ｃ４２］
前記測位ビーコンがロングタームエボリューション（ＬＴＥ）中継ノード（ＲＮ）を備え、確立するための前記手段が、前記通信ネットワークのための無線アクセスネットワーク（ＲＡＮ）中のＬＴＥドナーｅＮｏｄｅＢ（ＤｅＮＢ）へのインターネットプロトコル接続を確立するためのものである、Ｃ２７に記載の測位ビーコン。
［Ｃ４３］
前記ＤｅＮＢから運用および保守（Ｏ＆Ｍ）機能にアクセスするための手段と、
前記測位ビーコンのための第５の情報を前記ＨｅＭＳに送信するための手段と、前記第５の情報は、前記ＤｅＮＢの識別情報、位置、もしくは前記ＰＲＳのための前記スケジューリング情報、またはこれらの組合せを備える、
前記測位ビーコンのための第６の情報を前記ＨｅＭＳから受信するための手段と、前記第６の情報は、位置登録エリアコード（ＴＡＣ）、セル識別情報（ＣＩ）、位置、もしくは前記ＰＲＳのための前記スケジューリング情報、またはこれらの組合せを備える、をさらに備える、Ｃ４２に記載の測位ビーコン。
［Ｃ４４］
前記ＤｅＮＢから位置特定サーバにアクセスするための手段と、
３ＧＰＰによって定義されるＬＴＥ測位プロトコルＡ（ＬＰＰａ）に従って、前記位置特定サーバに、および／または前記位置特定サーバから、前記測位ビーコンのための第７の情報を送信および／または受信する手段と
をさらに備える、Ｃ４２に記載の測位ビーコン。
［Ｃ４５］
前記位置特定サーバにアクセスするための前記手段が、３ＧＰＰのためのＬＴＥ制御プレーンの位置特定方法に従って、前記ＤｅＮＢから前記位置特定サーバにアクセスするためのものである、Ｃ４４に記載の測位ビーコン。
［Ｃ４６］
前記位置特定サーバにアクセスするための前記手段が、ＩＰシグナリングを使用して、前記ＤｅＮＢから前記位置特定サーバにアクセスするためのものである、Ｃ４４に記載の測位ビーコン。
［Ｃ４７］
測位基準信号（ＰＲＳ）を提供するための測位ビーコンであって、
通信ネットワークへのワイヤレスバックホール接続を確立し、
前記ワイヤレスバックホール接続を通じて前記通信ネットワークから前記ＰＲＳのためのスケジューリング情報を受信する
ように構成されるユーザ機器（ＵＥ）モジュールと、
前記ＵＥモジュールに通信可能に結合され、前記スケジューリング情報に従って前記ＰＲＳを送信するように構成される、ホームｅＮｏｄｅＢ（ＨｅＮＢ）モジュールと
を備える、測位ビーコン。
［Ｃ４８］
前記通信ネットワークへの前記ワイヤレスバックホール接続を確立することを可能にするために、前記ＵＥモジュールが、ＩＰ接続性に対するサポートを伴う前記通信ネットワーク中のパケットデータネットワークゲートウェイ（ＰＤＧ）への前記ワイヤレスバックホール接続を確立するように構成される、Ｃ４７に記載の測位ビーコン。
［Ｃ４９］
前記ＨｅＮＢモジュールがさらに、
前記ＰＤＧへの前記ワイヤレスバックホール接続を使用して、前記通信ネットワークにおいて前記ＨｅＮＢモジュールからセキュリティゲートウェイ（ＳｅＧＷ）へのセキュアなＩＰ接続を確立し、
前記ＳｅＧＷからＨｅＮＢ管理システム（ＨｅＭＳ）にアクセスし、
前記ＨｅＮＢモジュールを前記ＨｅＭＳに登録し、
前記測位ビーコンのための第１の情報を前記ＨｅＭＳに送信し、
前記測位ビーコンのための第２の情報を前記ＨｅＭＳから受信するように構成される、Ｃ４８に記載の測位ビーコン。
［Ｃ５０］
前記測位ビーコンのための前記第１の情報が、位置もしくは前記ＰＲＳのための前記スケジューリング情報、またはこれらの組合せを備え、前記測位ビーコンのための前記第２の情報が、位置登録エリアコード（ＴＡＣ）、セル識別情報（ＣＩ）、位置、もしくは前記ＰＲＳのための前記スケジューリング情報、またはこれらの組合せを備える、Ｃ４９に記載の測位ビーコン。
［Ｃ５１］
前記ＨｅＮＢモジュールがさらに、
前記ＳｅＧＷへの前記セキュアなＩＰ接続を使用して、ＨｅＮＢゲートウェイ（ＨｅＮＢ  ＧＷ）およびモビリティ管理エンティティ（ＭＭＥ）へのシグナリング接続を確立し、
前記ＭＭＥまたは前記ＳｅＧＷのいずれかから位置特定サーバにアクセスし、
前記位置特定サーバから前記測位ビーコンのための第３の情報を受信し、
前記測位ビーコンのための第４の情報を前記位置特定サーバに送信するように構成される、Ｃ４９に記載の測位ビーコン。
［Ｃ５２］
前記測位ビーコンのための前記第３の情報を受信して前記第４の情報を送信することを可能にするために、前記ＨｅＮＢモジュールが、３ＧＰＰによって定義されるＬＴＥ測位プロトコルＡ（ＬＰＰａ）に従ってメッセージを受信して送信するように構成される、Ｃ５１に記載の測位ビーコン。
［Ｃ５３］
前記第３の情報が、前記ＰＲＳのための前記スケジューリング情報を備える、Ｃ５１に記載の測位ビーコン。
［Ｃ５４］
前記第４の情報が、位置登録エリアコード（ＴＡＣ）、セル識別情報（ＣＩ）、位置、もしくは前記ＰＲＳのための前記スケジューリング情報、またはこれらの組合せを備える、Ｃ５１に記載の測位ビーコン。
［Ｃ５５］
前記ＵＥモジュールがさらに、非位置特定サービスのサポートを妨げるように構成される、Ｃ４８に記載の測位ビーコン。
［Ｃ５６］
前記ＵＥモジュールがさらに、第３世代パートナーシッププロジェクト（３ＧＰＰ）によって定義されるロングタームエボリューション（ＬＴＥ）ワイヤレス技術のためのコアネットワークへの前記ワイヤレスバックホール接続を確立するように構成される、Ｃ４７に記載の測位ビーコン。
［Ｃ５７］
前記ＰＲＳが、観測到着時間差（ＯＴＤＯＡ）に従ったユーザ機器（ＵＥ）の位置特定をサポートする、Ｃ４７に記載の測位ビーコン。
［Ｃ５８］
前記ＨｅＮＢモジュールがさらに、前記スケジューリング情報に応答して、ノーマルＰＲＳモードと緊急ＰＲＳモードとを切り替えるように構成される、Ｃ４７に記載の測位ビーコン。
［Ｃ５９］
（１）前記ワイヤレスバックホール接続を介した、前記通信ネットワーク中の位置特定サーバとの通信、または、（２）衛星測位システムの衛星との通信に少なくとも一部基づいて、前記測位ビーコンの位置を決定するように構成される、ワイヤレスベースの測位モジュールをさらに備える、Ｃ４７に記載の測位ビーコン。
［Ｃ６０］
前記測位ビーコンの位置を決定することを可能にするために、前記ワイヤレスベースの測位モジュールが、ロングタームエボリューション（ＬＴＥ）制御プレーンプロトコルに従って、進化型サービングモバイル位置特定センター（Ｅ−ＳＭＬＣ）と通信するように構成される、Ｃ５９に記載の測位ビーコン。
［Ｃ６１］
前記測位ビーコンの位置を決定することを可能にするために、前記ワイヤレスベースの測位モジュールが、オープンモバイルアライアンス（ＯＭＡ）によって定義されるセキュアユーザプレーン位置特定（ＳＵＰＬ）プロトコルに従って、ＳＵＰＬ位置特定プラットフォーム（ＳＬＰ）と通信するように構成される、Ｃ５９に記載の測位ビーコン。
［Ｃ６２］
前記ＵＥモジュールがロングタームエボリューション（ＬＴＥ）中継ノード（ＲＮ）を備え、前記ワイヤレスバックホール接続を確立することを可能にするために、前記ＵＥモジュールが、前記通信ネットワークのための無線アクセスネットワーク（ＲＡＮ）中のＬＴＥドナーｅＮｏｄｅＢ（ＤｅＮＢ）へのインターネットプロトコル接続を確立するように構成される、Ｃ４７に記載の測位ビーコン。
［Ｃ６３］
前記ＵＥモジュールがさらに、
前記ＤｅＮＢから運用および保守（Ｏ＆Ｍ）機能にアクセスし、
前記測位ビーコンのための第５の情報を前記ＨｅＭＳに送信し、前記第５の情報は、前記ＤｅＮＢの識別情報、位置、もしくは前記ＰＲＳのための前記スケジューリング情報、またはこれらの組合せを備える、
前記測位ビーコンのための第６の情報を前記ＨｅＭＳから受信し、前記第６の情報は、位置登録エリアコード（ＴＡＣ）、セル識別情報（ＣＩ）、位置、もしくは前記ＰＲＳのための前記スケジューリング情報、またはこれらの組合せを備える
ように構成される、Ｃ６２に記載の測位ビーコン。
［Ｃ６４］
前記ＵＥモジュールがさらに、
前記ＤｅＮＢから位置特定サーバにアクセスし、
３ＧＰＰによって定義されるＬＴＥ測位プロトコルＡ（ＬＰＰａ）に従って、前記位置特定サーバに、および／または前記位置特定サーバから、前記測位ビーコンのための第７の情報を送信および／または受信する
ように構成される、Ｃ６２に記載の測位ビーコン。
［Ｃ６５］
前記ＤｅＮＢから前記位置特定サーバにアクセスすることを可能にするために、前記ＵＥモジュールが、３ＧＰＰのためのＬＴＥ制御プレーンの位置特定方法に従って動作するように構成される、Ｃ６４に記載の測位ビーコン。
［Ｃ６６］
前記ＵＥモジュールが、ＩＰシグナリングを使用して、前記ＤｅＮＢから前記位置特定サーバにアクセスするように構成される、Ｃ６４に記載の測位ビーコン。
［Ｃ６７］
プロセッサに、
測位ビーコンから通信ネットワークへのワイヤレスバックホール接続を確立させ、
前記ワイヤレスバックホール接続を通じて前記通信ネットワークから測位基準信号（ＰＲＳ）のためのスケジューリング情報を受信させ、
前記スケジューリング情報に従ってＰＲＳを送信させる
ように構成されるプロセッサ実行可能命令を備える、非一時的プロセッサ可読媒体。
［Ｃ６８］
通信ネットワーク中の位置特定サーバにおいて、測位ビーコンのための構成情報を取得することと、ここにおいて、前記測位ビーコンは前記通信ネットワークへのワイヤレスバックホール接続を有する、
前記位置特定サーバにおいて、前記測位ビーコンの通信範囲内にあるユーザ機器（ＵＥ）の測位に対する要求を受信することと、
前記ＵＥの測位に対する前記要求を前記受信したことに応答して、および前記構成情報に基づいて、前記位置特定サーバから前記測位ビーコンに測位基準信号（ＰＲＳ）スケジューリング調整命令を送信することと
を備える、方法。
［Ｃ６９］
前記構成情報が、位置登録エリアコード、セル識別情報、位置、ＰＲＳスケジューリング情報、もしくはドナーｅＮｏｄｅＢ識別情報、またはこれらの組合せを備える、Ｃ６８に記載の方法。
［Ｃ７０］
前記構成情報が、３ＧＰＰによって定義されるＬＴＥ測位プロトコルＡ（ＬＰＰａ）を使用して前記測位ビーコンから取得される、Ｃ６９に記載の方法。
［Ｃ７１］
前記送信することが、３ＧＰＰによって定義されるＬＴＥ測位プロトコルＡ（ＬＰＰａ）に従って、前記位置特定サーバから前記測位ビーコンに前記ＰＲＳスケジューリング調整命令を送信することを備える、Ｃ６８に記載の方法。
［Ｃ７２］
前記ＰＲＳスケジューリング調整命令が、ノーマルＰＲＳモードから緊急ＰＲＳモードに前記測位ビーコンを切り替えるための命令を備える、Ｃ６８に記載の方法。
［Ｃ７３］
前記位置特定サーバが、進化型サービングモバイル位置特定センター（Ｅ−ＳＭＬＣ）またはセキュアユーザプレーン位置特定（ＳＵＰＬ）位置特定プラットフォーム（ＳＬＰ）の１つを備える、Ｃ６８に記載の方法。
［Ｃ７４］
前記測位ビーコンがＬＴＥ中継ノード（ＲＮ）を備え、
前記ＰＲＳスケジューリング調整命令が、前記ＲＮと関連付けられるＬＴＥドナーｅＮｏｄｅＢ（ＤｅＮＢ）を通じて前記ＲＮに送信される、Ｃ６８に記載の方法。
［Ｃ７５］
前記測位ビーコンが、ＵＥ機能を含むＬＴＥ  ｅＮｏｄｅＢビーコンを備え、前記ＰＲＳスケジューリング調整命令が、前記ＵＥ機能への前記ワイヤレスバックホール接続を使用して、前記ＬＴＥ  ｅＮｏｄｅＢビーコンに送信される、Ｃ６８に記載の方法。
【図１】
0006258528.tif 000007
【図２】
0006258528.tif 000008
【図３Ａ】
0006258528.tif 000009
【図３Ｂ】
0006258528.tif 000010
【図３Ｃ】
0006258528.tif 000011
【図４Ａ】
0006258528.tif 000012
【図４Ｂ】
0006258528.tif 000013
【図５】
0006258528.tif 000014
【図６Ａ】
0006258528.tif 000015
【図６Ｂ】
0006258528.tif 000016
【図６Ｃ】
0006258528.tif 000017
【図７】
0006258528.tif 000018
【図８】
0006258528.tif 000019
【図９】
0006258528.tif 000020
【図１０】
0006258528.tif 000021
【図１１】
0006258528.tif 000022
【図１２】
0006258528.tif 000023
【図１３】
0006258528.tif 000024
【図１４】
0006258528.tif 000025
【図１５】
0006258528.tif 000026
【図１６】
0006258528.tif 000027
【図１７】
0006258528.tif 000028
【図１８】
0006258528.tif 000029
【図１９】
0006258528.tif 000030
【図２０】
0006258528.tif 000031